(57)【要約】【課題】３次元画像の外観を有するビデオのビューイングのためのビューイングシステムを提供する。【解決手段】左ビューイングシャッタおよび右ビューイングシャッタを有する、左画像および右画像のビューイングのための３Ｄ眼鏡に、左ビューイングシャッタおよび右ビューイングシャッタに操作可能に結合され、左ビューイングシャッタおよび右ビューイングシャッタの動作を制御するコントローラと、コントローラに操作可能に結合され、前記３Ｄ眼鏡の動作と表示装置とを同期させるための複数のプロトコルに関する情報を含むメモリとを含ませる。【選択図】図１
2011217375.tif 000002
【特許請求の範囲】
【請求項１】
左ビューイングシャッタおよび右ビューイングシャッタを有する、左画像および右画像のビューイングのための３Ｄ眼鏡であって、
前記左ビューイングシャッタおよび右ビューイングシャッタに操作可能に結合されたコントローラであって、前記左ビューイングシャッタおよび右ビューイングシャッタの動作を制御する、コントローラと、
前記コントローラに操作可能に結合されたメモリであって、前記３Ｄ眼鏡の動作と表示装置とを同期させるための複数のプロトコルに関する情報を含む、メモリと、
を含む、３Ｄ眼鏡。
【請求項２】
前記表示装置からの１つ以上の同期信号を感知するように、前記コントローラに操作可能に結合された信号センサをさらに含む、請求項１に記載の３Ｄ眼鏡。
【請求項３】
左シャッタおよび右シャッタを有する３Ｄ眼鏡の動作と表示装置とを同期させる方法であって、
前記表示装置から送信された同期信号の有無を検出するステップと、
前記前記表示装置から送信された同期信号が検出された場合、前記表示装置と関連付けられた前記同期プロトコルを決定するステップと、
前記表示装置と関連付けられた前記同期プロトコルを決定するステップ後、前記決定された同期プロトコルに従って、前記３Ｄ眼鏡の動作と前記表示装置の動作とを同期させるステップと、
を含む、方法。
【請求項４】
前記３Ｄ眼鏡の動作と前記表示装置の動作とを同期させるステップは、
先ず前記３Ｄ眼鏡の動作と前記表示装置の動作とを同期させるステップと、
前記３Ｄ眼鏡の動作と前記表示装置の動作とを定期的に再同期させるステップと、
を含む、請求項３に記載の方法。
【請求項５】
先ず前記３Ｄ眼鏡の動作と前記表示装置の動作とを同期させるステップは、前記３Ｄ眼鏡に第１の信号を送信するステップを含み、前記３Ｄ眼鏡の動作と前記表示装置の動作とを定期的に再同期させるステップは、前記３Ｄ眼鏡に第２の信号を送信するステップを含む、請求項４に記載の方法。
【請求項６】
前記第１の信号は、赤外線信号および無線周波数信号のうち少なくとも１つを含む、請求項５に記載の方法。
【請求項７】
前記第２の信号は、赤外線信号および無線周波数信号のうち少なくとも１つを含む、請求項６に記載の方法。
【請求項８】
前記第２の信号は、赤外線信号および無線周波数信号のうち少なくとも１つを含む、請求項５に記載の方法。
【請求項９】
先ず前記３Ｄ眼鏡の動作と前記表示装置の動作とを同期させるステップは、
１つ以上の同期パルスを含む信号を前記表示装置から前記３Ｄ眼鏡に送信するステップ、
を含む、請求項４に記載の方法。
【請求項１０】
先ず前記３Ｄ眼鏡の動作と前記表示装置の動作とを同期させるステップは、
前記表示装置の種類を示す情報を含む信号を前記表示装置から前記３Ｄ眼鏡に送信するステップ、
を含む、請求項４に記載の方法。
【請求項１１】
先ず前記３Ｄ眼鏡の動作と前記表示装置の動作とを同期させるステップは、
前記左シャッタおよび右シャッタを開け閉めするシーケンスを示す情報を含む信号を前記表示装置から前記３Ｄ眼鏡に送信するステップ、
を含む、請求項４に記載の方法。
【請求項１２】
先ず前記３Ｄ眼鏡の動作と前記表示装置の動作とを同期させるステップは、
前記表示装置上に表示されている画像の動作周波数を示す情報を含む信号を前記表示装置から前記３Ｄ眼鏡に送信するステップ、
を含む、請求項４に記載の方法。
【請求項１３】
先ず前記３Ｄ眼鏡の動作と前記表示装置の動作とを同期させるステップは、
１つ以上の同期パルスを含む信号を前記表示装置から前記３Ｄ眼鏡に送信するステップと、
前記表示装置の種類を示す情報を含む信号を前記表示装置から前記３Ｄ眼鏡に送信するステップと、
前記左シャッタおよび右シャッタを開け閉めするシーケンスを示す情報を含む信号を前記表示装置から前記３Ｄ眼鏡に送信するステップと、
前記表示装置上に表示されている画像の動作周波数を示す情報を含む信号を前記表示装置から前記３Ｄ眼鏡に送信するステップと、
を含む、請求項４に記載の方法。
【請求項１４】
前記３Ｄ眼鏡の動作と前記表示装置の動作とを定期的に再同期させるステップは、
１つ以上の同期パルスを含む信号を前記表示装置から前記３Ｄ眼鏡に送信するステップ、
を含む、請求項４に記載の方法。
【請求項１５】
前記３Ｄ眼鏡の動作と前記表示装置の動作とを定期的に再同期させるステップは、
前記信号の送信時間を示す情報を含む信号を前記表示装置から前記３Ｄ眼鏡に送信するステップ、
を含む、請求項４に記載の方法。
【請求項１６】
前記３Ｄ眼鏡の動作と前記表示装置の動作とを定期的に再同期させるステップは、
前記信号の送信遅延を示す情報を含む信号を前記表示装置から前記３Ｄ眼鏡に送信するステップ、
を含む、請求項４に記載の方法。
【請求項１７】
前記３Ｄ眼鏡の動作と前記表示装置の動作とを定期的に再同期させるステップは、
１つ以上の同期パルスを含む信号を前記表示装置から前記３Ｄ眼鏡に送信するステップと、
前記信号の送信時間を示す情報を含む信号を前記表示装置から前記３Ｄ眼鏡に送信するステップと、
前記信号の送信遅延を示す情報を含む信号を前記表示装置から前記３Ｄ眼鏡に送信するステップと、
を含む、請求項４に記載の方法。
【請求項１８】
前記３Ｄ眼鏡が前記信号の送信の時間遅延を用いて、前記３Ｄ眼鏡の動作と前記表示装置の動作とを再同期させるステップ、
をさらに含む、請求項１７に記載の方法。
【請求項１９】
３Ｄ眼鏡と共に用いられるメモリ素子であって、
表示装置と共に用いられる複数の同期プロトコルを示す情報を含む情報が前記メモリ素子内に保存される、
メモリ素子。
【請求項２０】
左シャッタおよび右シャッタを有する３Ｄ眼鏡と関連付けられたタンジブル記憶媒体上に保存された、コンピュータで読み出し可能なプログラム製品であって、前記プログラム製品は、３Ｄ眼鏡の動作と表示装置とを同期させ、前記プログラム製品は１組の命令を含み、前記１組の命令は、前記３Ｄ眼鏡によって実行されると、前記３Ｄ眼鏡に以下の動作を行わせる、
前記表示装置から送信された同期信号の有無を検出するステップと、
前記前記表示装置から送信された同期信号が検出された場合、前記表示装置と関連付けられた前記同期プロトコルを決定するステップと、
前記表示装置と関連付けられた前記同期プロトコルを決定するステップ後、前記決定された同期プロトコルに従って、前記３Ｄ眼鏡の動作と前記表示装置の動作とを同期させるステップと、
プログラム製品。
【請求項２１】
前記３Ｄ眼鏡の動作と前記表示装置の動作とを同期させるステップは、
先ず前記３Ｄ眼鏡の動作と前記表示装置の動作とを同期させるステップと、
前記３Ｄ眼鏡の動作と前記表示装置の動作とを定期的に再同期させるステップと、
請求項２０に記載のプログラム製品。
【請求項２２】
先ず前記３Ｄ眼鏡の動作と前記表示装置の動作とを同期させるステップは、前記３Ｄ眼鏡に第１の信号を送信するステップを含み、前記３Ｄ眼鏡の動作と前記表示装置の動作とを定期的に再同期させるステップは、前記３Ｄ眼鏡に第２の信号を送信するステップを含む、請求項２１に記載のプログラム製品。
【請求項２３】
前記第１の信号は、赤外線信号および無線周波数信号のうち少なくとも１つを含む、請求項２２に記載のプログラム製品。
【請求項２４】
前記第２の信号は、赤外線信号および無線周波数信号のうち少なくとも１つを含む、請求項２３に記載のプログラム製品。
【請求項２５】
前記第２の信号は、赤外線信号および無線周波数信号のうち少なくとも１つを含む、請求項２２に記載のプログラム製品。
【請求項２６】
先ず前記３Ｄ眼鏡の動作と前記表示装置の動作とを同期させるステップは、
１つ以上の同期パルスを含む信号を前記表示装置から前記３Ｄ眼鏡に送信するステップ、
を含む、請求項２１に記載のプログラム製品。
【請求項２７】
先ず前記３Ｄ眼鏡の動作と前記表示装置の動作とを同期させるステップは、
前記表示装置の種類を示す情報を含む信号を前記表示装置から前記３Ｄ眼鏡に送信するステップ、
を含む、請求項２１に記載のプログラム製品。
【請求項２８】
先ず前記３Ｄ眼鏡の動作と前記表示装置の動作とを同期させるステップは、
前記左シャッタおよび右シャッタを開け閉めするシーケンスを示す情報を含む信号を前記表示装置から前記３Ｄ眼鏡に送信するステップ、
を含む、請求項２１に記載のプログラム製品。
【請求項２９】
先ず前記３Ｄ眼鏡の動作と前記表示装置の動作とを同期させるステップは、
前記表示装置上に表示されている画像の動作周波数を示す情報を含む信号を前記表示装置から前記３Ｄ眼鏡に送信するステップ、
を含む、請求項２１に記載のプログラム製品。
【請求項３０】
先ず前記３Ｄ眼鏡の動作と前記表示装置の動作とを同期させるステップは、
１つ以上の同期パルスを含む信号を前記表示装置から前記３Ｄ眼鏡に送信するステップと、
前記表示装置の種類を示す情報を含む信号を前記表示装置から前記３Ｄ眼鏡に送信するステップと、
前記左シャッタおよび右シャッタを開け閉めするシーケンスを示す情報を含む信号を前記表示装置から前記３Ｄ眼鏡に送信するステップと、
前記表示装置上に表示されている画像の動作周波数を示す情報を含む信号を前記表示装置から前記３Ｄ眼鏡に送信するステップと、
を含む、請求項２１に記載のプログラム製品。
【請求項３１】
前記３Ｄ眼鏡の動作と前記表示装置の動作とを定期的に再同期させるステップは、
１つ以上の同期パルスを含む信号を前記表示装置から前記３Ｄ眼鏡に送信するステップ、
を含む、請求項２１に記載のプログラム製品。
【請求項３２】
前記３Ｄ眼鏡の動作と前記表示装置の動作とを定期的に再同期させるステップは、
前記信号の送信時間を示す情報を含む信号を前記表示装置から前記３Ｄ眼鏡に送信するステップ、
を含む、請求項２１に記載のプログラム製品。
【請求項３３】
前記３Ｄ眼鏡の動作と前記表示装置の動作とを定期的に再同期させるステップは、
前記信号の送信遅延を示す情報を含む信号を前記表示装置から前記３Ｄ眼鏡に送信するステップ、
を含む、請求項２１に記載のプログラム製品。
【請求項３４】
前記３Ｄ眼鏡の動作と前記表示装置の動作とを定期的に再同期させるステップは、
１つ以上の同期パルスを含む信号を前記表示装置から前記３Ｄ眼鏡に送信するステップと、
前記信号の送信時間を示す情報を含む信号を前記表示装置から前記３Ｄ眼鏡に送信するステップと、
前記信号の送信遅延を示す情報を含む信号を前記表示装置から前記３Ｄ眼鏡に送信するステップと、
を含む、請求項２１に記載のプログラム製品。
【請求項３５】
前記３Ｄ眼鏡が前記信号の送信の時間遅延を用いて、前記３Ｄ眼鏡の動作と前記表示装置の動作とを再同期させるステップ、
をさらに含む、請求項３４に記載のプログラム製品。
【発明の詳細な説明】
【技術分野】
【０００１】
関連出願の相互参照
本願は、２０１０年３月３１日に出願された米国仮特許出願第６１／３１９，７２７号（弁理士ドケット番号第０９２８４７．０００２９５号）の恩恵および優先権を主張する。
【０００２】
本願は、２００９年５月１８日に出願された米国仮特許出願第６１／１７９，２４８号（弁理士ドケット番号第０９２８４７．００００２０）と、２００８年１１月１７日に出願された米国仮特許出願第６１／１１５，４７７号（弁理士ドケット番号第０９２８４７．０００００８号）との出願日の恩恵を主張する、２００９年１１月１６日に出願された米国特許出願第１２／６１９，５１８号（弁理士ドケット番号第０９２８４７．００００２７号）の部分継続出願であり、その内容を、引用をもって本明細書内に組み込んだものとする。
【０００３】
本願は、２００８年１１月１７日に出願された米国仮特許出願第６１／１１５，４７７号（弁理士ドケット番号第０９２８４７．０００００８号）の出願日と，２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，５１７号（弁理士ドケット番号第０９２８４７．００００４２号）の部分継続出願であり、その内容を、引用をもって本明細書内に組み込んだものとする。
【０００４】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，３０９号（弁理士ドケット番号第０９２８４７．００００４３号）の部分継続出願であり、その内容を、引用をもって本明細書内に組み込んだものとする。
【０００５】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，４１５号（弁理士ドケット番号第０９２８４７．００００４４号）の部分継続出願であり、その内容を、引用をもって本明細書内に組み込んだものとする。
【０００６】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，４００号（弁理士ドケット番号第０９２８４７．００００４５号）の部分継続出願であり、その内容を、引用をもって本明細書内に組み込んだものとする。
【０００７】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，４３１号（弁理士ドケット番号第０９２８４７．００００４６号）の部分継続出願であり、その内容を、引用をもって本明細書内に組み込んだものとする。
【０００８】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，１６３号（弁理士ドケット番号第０９２８４７．００００６０号）の部分継続出願であり、その内容を、引用をもって本明細書内に組み込んだものとする。
【０００９】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された米国特許出願第１２／６１９，４５６号（弁理士ドケット番号第０９２８４７．００００６４号）の部分継続出願であり、その内容を、引用をもって本明細書内に組み込んだものとする。
【００１０】
本願は、２００８年１１月１７日に出願された米国仮特許出願第６１／１１５，４７７号（弁理士ドケット番号第０９２８４７．０００００８号）の出願日と、２００９年５月１８日に出願された米国仮特許出願第６１／１７９，２４８号（弁理士ドケット番号第０９２８４７．００００２０号）の出願日との恩恵を主張する、２００９年１１月１６日に出願された第１２／６１９，１０２号（弁理士ドケット番号第０９２８４７．００００８０号）の部分継続出願であり、その内容を、引用をもって本明細書内に組み込んだものとする。
【００１１】
本願は、２００９年１２月９日に出願された米国仮特許出願第６１／２８５，０７１号（弁理士ドケット番号第０９２８４７．００００９５号）の出願日の恩恵を主張する、２０１１年２月２日に出願された米国特許出願第１３／０１９，８９６号（弁理士ドケット番号第０９２８４７．０００２５４号）の部分継続出願であり、引用をもって本明細書内に組み込んだものとする。
【００１２】
本願は、２００９年１１月１６日に出願された米国特許出願第１２／６１９，５１８号（弁理士ドケット番号第０９２８４７．００００２７号）の出願日の恩恵と、２００９年５月１８日に出願された米国仮特許出願第６１／１７９，２４８号（弁理士ドケット番号第０９２８４７．００００２０号）および２００８年１１月１７日に出願された米国仮特許出願第６１／１１５，４７７号（弁理士ドケット番号第０９２８４７．０００００８号）の出願日の恩恵とを主張する、２０１０年３月２６日に出願された米国特許出願第１２／７４８，１８５号（弁理士ドケット番号第０９２８４７．０００２５８Ａ号）と、２０１０年９月１３日に出願された米国特許出願第１２／８８０，９２０号（弁理士ドケット番号第０９２８４７．０００２５８Ｂ号）との部分継続出願であり、その内容を、引用をもって本明細書内に組み込んだものとする。
【００１３】
本願は、２００９年１０月２０日に出願された米国仮特許出願第６１／２５３，１５０号（弁理士ドケット番号第０９２８４７．００００６７号）の出願日の恩恵を主張する、２０１０年１０月２０日に出願された米国特許出願第１２／９０８，４３０号（弁理士ドケット番号第０９２８４７．０００５２０号）の部分継続出願であり、その内容を、引用をもって本明細書内に組み込んだものとする。
【００１４】
本願は、２００９年１０月２０日に出願された米国仮特許出願第６１／２５３，１４０号（弁理士ドケット番号第０９２８４７．００００８９号）の出願日の恩恵を主張する、２０１０年１０月２０日に出願された米国特許出願第１２／９０８，３７１号（弁理士ドケット番号第０９２８４７．０００５４９号）の部分継続出願であり、その内容を、引用をもって本明細書内に組み込んだものとする。
【００１５】
本願は、２００９年１１月１６日に出願された米国仮特許出願第６１／２６１，６６３号（弁理士ドケット番号第０９２８４７．００００９８号）の出願日の恩恵を主張する、２０１０年１１月１６日に出願された米国特許出願第１２／９４７，６１９号（弁理士ドケット番号第０９２８４７．０００５８４号）の部分継続出願であり、その内容を、引用をもって本明細書内に組み込んだものとする。
【００１６】
本願は、２００９年１２月９日に出願された米国仮特許出願第６１／２８５，０４８号（弁理士ドケット番号第０９２８４７．００００９４号）の出願日の恩恵を主張する、２０１０年１２月９日に出願された米国特許出願第１２／９６３，８１２号（弁理士ドケット番号第０９２８４７．０００６２４号）の部分継続出願であり、その内容を、引用をもって本明細書内に組み込んだものとする。
【００１７】
本願は、２００９年１２月９日に出願された米国仮特許出願第６１／２８５，０７１号（弁理士ドケット番号第０９２８４７．００００９５号）の出願日の恩恵を主張する、２０１０年１２月８日に出願された米国特許出願第１２／９６３，３７３号（弁理士ドケット番号第０９２８４７．０００６４２号）の部分継続出願であり、その内容を、引用をもって本明細書内に組み込んだものとする。
【背景技術】
【００１８】
本開示は、観察者に３次元のように見えるビデオ画像を表示するための画像処理システムに関する。
【先行技術文献】
【特許文献】
【００１９】
【特許文献１】米国仮特許出願第６１／３１９，７２７号
【特許文献２】米国仮特許出願第６１／１７９，２４８号
【特許文献３】米国仮特許出願第６１／１１５，４７７号
【特許文献４】米国特許出願第１２／６１９，５１８号
【特許文献５】米国仮特許出願第６１／１１５，４７７号
【特許文献６】米国仮特許出願第６１／１７９，２４８号
【特許文献７】米国特許出願第１２／６１９，５１７号
【特許文献８】米国仮特許出願第６１／１１５，４７７号
【特許文献９】米国仮特許出願第６１／１７９，２４８号
【特許文献１０】米国特許出願第１２／６１９，３０９号
【特許文献１１】米国仮特許出願第６１／１１５，４７７号
【特許文献１２】米国仮特許出願第６１／１７９，２４８号
【特許文献１３】米国特許出願第１２／６１９，４１５号
【特許文献１４】米国仮特許出願第６１／１１５，４７７号
【特許文献１５】米国仮特許出願第６１／１７９，２４８号
【特許文献１６】米国特許出願第１２／６１９，４００号
【特許文献１７】米国仮特許出願第６１／１１５，４７７号
【特許文献１８】米国仮特許出願第６１／１７９，２４８号
【特許文献１９】米国特許出願第１２／６１９，４３１号
【特許文献２０】米国仮特許出願第６１／１１５，４７７号
【特許文献２１】米国仮特許出願第６１／１７９，２４８号
【特許文献２２】米国特許出願第１２／６１９，１６３号
【特許文献２３】米国仮特許出願第６１／１１５，４７７号
【特許文献２４】米国仮特許出願第６１／１７９，２４８号
【特許文献２５】米国特許出願第１２／６１９，４５６号
【特許文献２６】米国仮特許出願第６１／１１５，４７７号
【特許文献２７】米国仮特許出願第６１／１７９，２４８号
【特許文献２８】第１２／６１９，１０２号
【特許文献２９】米国仮特許出願第６１／２８５，０７１号
【特許文献３０】米国特許出願第１３／０１９，８９６号
【特許文献３１】米国特許出願第１２／６１９，５１８号
【特許文献３２】米国仮特許出願第６１／１７９，２４８号
【特許文献３３】米国仮特許出願第６１／１１５，４７７号
【特許文献３４】米国特許出願第１２／７４８，１８５号
【特許文献３５】米国特許出願第１２／８８０，９２０号
【特許文献３６】米国仮特許出願第６１／２５３，１５０号
【特許文献３７】米国特許出願第１２／９０８，４３０号
【特許文献３８】米国仮特許出願第６１／２５３，１４０号
【特許文献３９】米国特許出願第１２／９０８，３７１号
【特許文献４０】米国仮特許出願第６１／２６１，６６３号
【特許文献４１】米国特許出願第１２／９４７，６１９号
【特許文献４２】米国仮特許出願第６１／２８５，０４８号
【特許文献４３】米国特許出願第１２／９６３，８１２号
【特許文献４４】米国仮特許出願第６１／２８５，０７１号
【特許文献４５】米国特許出願第１２／９６３，３７３号
【図面の簡単な説明】
【００２０】
【図１】３次元画像を提供するためのシステムの例示的な実施形態の図である。
【００２１】
【図２】図１のシステムを作動させるための方法例示的な実施形態のフローチャートである。
【００２２】
【図３】図２の方法の作動を示すグラフである。
【００２３】
【図４】図２の方法の一実験的実施形態を示すグラフである。
【００２４】
【図５】図１のシステムを作動させるための方法の例示的な実施形態のフローチャートである。
【００２５】
【図６】図１のシステムを作動させるための方法の例示的な実施形態のフローチャートである。
【００２６】
【図７】図１のシステムを作動させるための方法の例示的な実施形態のフローチャートである。
【００２７】
【図８】図７の方法の作動を示すグラフである。
【００２８】
【図９】図１のシステムを作動させるための方法の例示的な実施形態のフローチャートである。
【００２９】
【図１０】図９の方法の作動を示すグラフである。
【００３０】
【図１１】図１のシステムを作動させるための方法の例示的な実施形態のフローチャートである。
【００３１】
【図１２】図１１の方法の作動を示すグラフである。
【００３２】
【図１３】図１のシステムを作動させるための方法の例示的な実施形態のフローチャートである。
【００３３】
【図１４】図１３の方法の作動を示すグラフである。
【００３４】
【図１５】図１のシステムを作動させるための方法の例示的な実施形態のフローチャートである。
【００３５】
【図１６】図１のシステムを作動させるための方法の例示的な実施形態の図である。
【００３６】
【図１７】図１のシステムの３Ｄ眼鏡の例示的な実施形態の図である．
【００３７】
【図１８】３Ｄ眼鏡の例示的な実施形態の概略図である。
【００３８】
【図１８ａ】３Ｄ眼鏡の例示的な実施形態の概略図である。
【００３９】
【図１８ｂ】３Ｄ眼鏡の例示的な実施形態の概略図である。
【００４０】
【図１８ｃ】３Ｄ眼鏡の例示的な実施形態の概略図である。
【００４１】
【図１８ｄ】３Ｄ眼鏡の例示的な実施形態の概略図である。
【００４２】
【図１９】図１８、１８ａ、１８ｂ、１８ｃおよび１８ｄの３Ｄ眼鏡のシャッタコントローラのデジタル制御されるアナログスイッチの略図である。
【００４３】
【図２０】図１８、１８ａ、１８ｂ、１８ｃおよび１８ｄの３Ｄ眼鏡のシャッタコントローラのデジタル制御されるアナログスイッチ、シャッタおよびＣＰＵの制御信号の略図である．
【００４４】
【図２１】図１８、１８ａ、１８ｂ、１８ｃおよび１８ｄの３Ｄ眼鏡の作動の例示的な実施形態のフローチャートである。
【００４５】
【図２２】図１８、１８ａ、１８ｂ、１８ｃおよび１８ｄの３Ｄ眼鏡の作動の例示的な実施形態を示すグラフである。
【００４６】
【図２３】図１８、１８ａ、１８ｂ、１８ｃおよび１８ｄの３Ｄ眼鏡の作動の例示的な実施形態のフローチャートである。
【００４７】
【図２４】図１８、１８ａ、１８ｂ、１８ｃおよび１８ｄの３Ｄ眼鏡の作動の例示的な実施形態を示すグラフである。
【００４８】
【図２５】図１８、１８ａ、１８ｂ、１８ｃおよび１８ｄの３Ｄ眼鏡の作動の例示的な実施形態のフローチャートである。
【００４９】
【図２６】図１８、１８ａ、１８ｂ、１８ｃおよび１８ｄの３Ｄ眼鏡の作動の例示的な実施形態を示すグラフである。
【００５０】
【図２７】図１８、１８ａ、１８ｂ、１８ｃおよび１８ｄの３Ｄ眼鏡の作動の例示的な実施形態のフローチャートである。
【００５１】
【図２８】図１８、１８ａ、１８ｂ、１８ｃおよび１８ｄの３Ｄ眼鏡の作動の例示的な実施形態を示すグラフである。
【００５２】
【図２９】図１８、１８ａ、１８ｂ、１８ｃおよび１８ｄの３Ｄ眼鏡の作動の例示的な実施形態を示すグラフである。
【００５３】
【図３０】３Ｄ眼鏡の例示的な実施形態の略図である。
【００５４】
【図３０ａ】３Ｄ眼鏡の例示的な実施形態の略図である。
【００５５】
【図３０ｂ】３Ｄ眼鏡の例示的な実施形態の略図である。
【００５６】
【図３０ｃ】３Ｄ眼鏡の例示的な実施形態の略図である。
【００５７】
【図３１】図３０、３０ａ、３０ｂおよび３０ｃの３Ｄ眼鏡のシャッタコントローラのデジタル制御されたアナログスイッチの略図である。
【００５８】
【図３２】図３０、３０ａ、３０ｂおよび３０ｃの３Ｄ眼鏡のシャッタコントローラのデジタル制御されたアナログスイッチの作動の略図である。
【００５９】
【図３３】図３０、３０ａ、３０ｂおよび３０ｃの３Ｄ眼鏡の作動の例示的な実施形態のフローチャートである。
【００６０】
【図３４】図３０、３０ａ、３０ｂおよび３０ｃの３Ｄ眼鏡の作動の例示的な実施形態を示すグラフである。
【００６１】
【図３５】図３０、３０ａ、３０ｂおよび３０ｃの３Ｄ眼鏡の作動の例示的な実施形態のフローチャートである。
【００６２】
【図３６】図３０、３０ａ、３０ｂおよび３０ｃの３Ｄ眼鏡の作動の例示的な実施形態を示すグラフである。
【００６３】
【図３７】図３０、３０ａ、３０ｂおよび３０ｃの３Ｄ眼鏡の作動の例示的な実施形態のフローチャートである。
【００６４】
【図３８】図３８は、図３０、３０ａ、３０ｂおよび３０ｃの３Ｄ眼鏡の作動の例示的な実施形態を示すグラフである。
【００６５】
【図３９】図３０、３０ａ、３０ｂおよび３０ｃの３Ｄ眼鏡の作動の例示的な実施形態のフローチャートである。
【００６６】
【図４０】図３０、３０ａ、３０ｂおよび３０ｃの３Ｄ眼鏡の作動の例示的な実施形態のフローチャートである。
【００６７】
【図４１】図３０、３０ａ、３０ｂおよび３０ｃの３Ｄ眼鏡の作動の例示的な実施形態を示すグラフである。
【００６８】
【図４２】図３０、３０ａ、３０ｂおよび３０ｃの３Ｄ眼鏡の作動の例示的な実施形態のフローチャートである。
【００６９】
【図４３】図３０、３０ａ、３０ｂおよび３０ｃの３Ｄ眼鏡の作動の例示的な実施形態を示すグラフである。
【００７０】
【図４４】３Ｄ眼鏡の例示的な実施形態の平面図である。
【００７１】
【図４５】図４４の３Ｄ眼鏡の背面図である。
【００７２】
【図４６】図４４の３Ｄ眼鏡の底面図である。
【００７３】
【図４７】図４４の３Ｄ眼鏡の正面図である。
【００７４】
【図４８】図４４の３Ｄ眼鏡の斜視図である。
【００７５】
【図４９】図４４の３Ｄ眼鏡のためのバッテリ用のハウジングカバーを操作するためのキーの使用の斜視図である。
【００７６】
【図５０】図４４の３Ｄ眼鏡のためのバッテリ用のハウジングカバーを操作するため使用されるキーの斜視図である。
【００７７】
【図５１】図４４の３Ｄ眼鏡のためのバッテリ用のハウジングカバーの斜視図である。
【００７８】
【図５２】図４４の３Ｄ眼鏡の側面図である。
【００７９】
【図５３】図４４の３Ｄ眼鏡のためのハウジングカバー、バッテリおよびＯリングシールの斜視側面図である。
【００８０】
【図５４】図４４の３Ｄ眼鏡のためのハウジングカバー、バッテリおよびＯリングシールの斜視底面図である。
【００８１】
【図５５】図４４の眼鏡の別の実施形態および図５０のハウジングカバーを操作するために使用されるキーの別の実施形態の斜視図である。
【００８２】
【図５６】例示的な実施形態の１つ以上で用いられる信号センサの例示的な実施形態の略図である。
【００８３】
【図５７】図５６の信号センサと共に用いるのに適した例示的なデータ信号を示すグラフである。
【００８４】
【図５８】３Ｄ画像のビューイングのための例示的なシステムの略図である。
【００８５】
【図５９】図５８のシステムを作動させるための例示的な方法を示すフローチャートである。
【００８６】
【図６０ａ】３Ｄ画像のビューイングのための例示的なシステムの略図である。
【００８７】
【図６０ｂ】３Ｄ画像のビューイングのための例示的なシステムの略図である。
【００８８】
【図６１】図６０ａおよび図６０ｂのシステムの作動させるための例示的な方法のフローチャートである。
【発明を実施するための形態】
【００８９】
以下の図面および記載では、明細書および図面全体にわたって同様な部分にはそれぞれ同じ参照番号を付する。図面は必ずしも寸法どおりではない。発明の所定の特徴は、寸法を誇張して示すこと、または多少略して示すことがあり、明瞭かつ簡潔にするために従来の要素の一部の細部は表示しない場合がある。本発明は、異なる形式の実施形態を受け入れる余地がある。本開示は発明の原理の例示であると見なし、本開示中で図示され記載された例示に限定されることが意図されていないという理解の下で、特定の実施形態を詳細に説明し、図面に示す。以下説明する実施形態の異なる教示内容は、所望する結果を得るように、別々に、または適当な任意の組み合わせで使用できることを十分に理解すべきである。当業者が添付図面を参照しながら、実施形態の次の詳細な説明を読めば、上記種々の特性だけでなく、以下より詳細に説明する他の特徴および特性が容易に明らかとなろう。
【００９０】
まず図１を参照すると、映画スクリーン１０２上で３次元（３Ｄ）映画を見るためのシステム１００は、左シャッタ１０６および右シャッタ１０８を有する一対の３Ｄ眼鏡１０４を含む。例示的な実施形態では、３Ｄ眼鏡１０４はフレームを含み、シャッタ１０６および１０８は、フレーム内部に搭載され、支持された左右のビューレンズとして設けられている。
【００９１】
例示的な実施形態では、シャッタ１０６および１０８は、不透明状態から透明状態に変わるときに開き、透明状態から不透明状態に戻るときに閉じる液晶セルである。この場合に、透明状態は、３Ｄ眼鏡１０４のユーザが映画スクリーン１０２に投影されている画像を見るために十分な光を透過する状態と定義される。例示的な実施形態では、３Ｄ眼鏡１０４のユーザは、３Ｄ眼鏡１０４のシャッタ１０６および／または１０８の液晶セルが２５〜３０％の透過率となったときに、映画スクリーン１０２に投影されている画像を見ることができてもよい。従って、シャッタ１０６および／または１０８の液晶セルは、液晶セルが２５〜３０％の透過率となったときに開いていると見なされる。シャッタ１０６および／または１０８の液晶セルは、液晶セルが開いているときに２５〜３０％を超える光を透過してもよい。
【００９２】
例示的な実施形態では、３Ｄ眼鏡１０４のシャッタ１０６および１０８は、例えば、メルク社製ＭＬＣ６０８０のような低粘性、高屈折率の液晶材料を利用するＰＩセル構造を有する液晶セルを含む。例示的な実施形態では、ＰＩセルの厚さは、セルの緩和状態においてセルが２分の１波長リターダを形成するように調節されている。例示的な実施形態では、ＰＩセルは、２分の１波長状態が完全緩和状態に満たなくても達成されるように、より厚くされる。適当な液晶材料のうちの１つは、メルク社によって製造されているＭＬＣ６０８０であるが、十分に高い光学的異方性、低い回転粘性、および／または、複屈折をもつ任意の液晶が使用されてもよい。３Ｄ眼鏡１０４のシャッタ１０６および１０８は、例えば、４ミクロンのギャップを含む小さいセルギャップを使用してもよい。更に、十分に高い屈折率および低粘性をもつ液晶も３Ｄ眼鏡１０４のシャッタ１０６および１０８での使用に適していてもよい。
【００９３】
例示的な実施形態では、３Ｄ眼鏡１０４のシャッタ１０６および１０８のＰＩセルは、電気制御複屈折（ＥＣＢ）原理で動作する。複屈折とは、電圧を印加しないとき、または、小さいキャッチ電圧を印加したときに、ＰＩセル分子の長さ方向に平行な偏光と長さ方向に垂直な偏光とに対し、ＰＩセルが異なる屈折率ｎｏおよびｎｅを有することを意味する。その差ｎｏ−ｎｅ＝Δｎは光学的異方性である。ｄがセルの厚さである場合に、Δｎ×ｄは光学的厚さである。Δｎ×ｄ＝１／２λであるとき、セルが偏光子の軸に対し４５度で配置されると、ＰＩセルは２分の１波長リターダとしての機能を果たす。従って、単なる厚さではなく、光学的厚さが重要である。例示的な実施形態では、３Ｄ眼鏡１０４のシャッタ１０６および１０８のＰＩセルは、光学的に過度に厚く、すなわち、Δｎ×ｄ＞１／２λにされている。より大きい光学的異方性は、より薄いセル、よって、より高速なセル緩和を意味する。例示的な実施形態では、電圧を印加すると、３Ｄ眼鏡１０４のシャッタ１０６および１０８のＰＩセルの分子の長軸は基板に対し垂直であり、よって、ホメオトロピック配向するので、この状態では複屈折は生じることがなく、偏光子は透過軸が交差するので、光は透過されない。例示的な実施形態では、偏光子が交差しているＰＩセルは、ノーマリーホワイト・モードで動作し、電圧が印加されないときに光を透過すると考えられる。偏光子の透過軸が互いに平行に配向しているＰＩセルはノーマリーブラック・モードで作動し、すなわち、電圧が印加されているときに光を透過する。
【００９４】
例示的な実施形態では、高電圧がＰＩセルから除かれるとき、シャッタ１０６および／または１０８の開きが始まる。これは、ＰＩセル内の液晶（ＬＣ）分子は平衡状態に戻ることを指す緩和プロセスであり、すなわち、分子は配向層、すなわち、基板のラビング方向と向きが揃う。ＰＩセルの緩和時間は、セル厚さおよび流体の回転粘性によって決まる。
【００９５】
一般に、ＰＩセルが薄くなるほど、緩和がより高速になる。例示的な実施形態では、重要なパラメータは、ＰＩセルのギャップｄ自体ではなく、Δｎが液晶流体の複屈折である場合に、積Δｎｄである。例示的な実施形態では、開状態において最大光透過を与えるため、ＰＩセルのヘッドオン型光学リタデーションΔｎｄはλ／２とすべきである。複屈折率をより大きくすると、セルをより薄くすることが可能であり、よって、セル緩和をより高速にできる。考えられる最速のスイッチングを提供するため、低回転粘性および高複屈折率Δｎをもつ流体（例えば、ＥＭインダストリーズ社のＭＬＣ６０８０）が使用される。
【００９６】
例示的な実施形態では、低回転粘性およびより高い複屈折率をもつスイッチング流体をＰＩセル内で使用することに加えて、不透明状態から透明状態へのより高速なスイッチングを実現するため、ＰＩセルは、１／２波長状態が完全緩和に満たない状態で実現されるように光学的に過度に厚くされる。通常、ＰＩセルの厚さは、ＰＩセルが緩和状態で１／２波長のリターダを形成するように調節されている。しかし、１／２波長状態が完全緩和に満たない状態で実現されるようにＰＩセルを光学的に過度に厚くすることは、不透明状態から透明状態へのより高速なスイッチングをもたらす。このように、例示的な実施形態のシャッタ１０６および１０８は、従来の液晶シャッタ装置と対比して開き速度を高め、例示的な実験的実施形態では、予想外の結果をもたらした。
【００９７】
例示的な実施形態では、キャッチ電圧は、その後に、液晶分子が過度に回転する前に、ＰＩセル内での液晶分子の回転を停止させるために使用されてもよい。このようにＰＩセル内の液晶分子の回転を停止させることにより、光透過はピーク値またはピーク値付近で保持される。
【００９８】
例示的な実施形態では、システム１００は、中央処理ユニット（ＣＰＵ）１１０ａを有し映画スクリーン１０２に向けて信号を送信する信号送信機１１０を更に含む。例示的な実施形態では、送信された信号は、映画スクリーン１０２から信号センサ１１２に向けて反射される。送信された信号は、例えば、赤外線（ＩＲ）信号、可視光信号、多色信号、または白色光のうちの１つであり得る。一部の実施形態では、送信された信号は、信号センサ１１２に向けて直接的に送信されるので、映画スクリーン１０２から反射されなくてもよい。一部の実施形態では、送信された信号は、例えば、映画スクリーン１０２から反射されない無線周波数（ＲＦ）信号とし得る。
【００９９】
信号センサ１１２はＣＰＵ１１４に操作可能に結合されている。例示的な実施形態では、信号センサ１１２は、送信された信号を検出し、信号の存在をＣＰＵ１１４に通信する。ＣＰＵ１１０ａおよびＣＰＵ１１４は、例えば、それぞれに汎用プログラマブルコントローラ、特定用途向け集積回路（ＡＳＩＣ）、アナログコントローラ、局部集中型コントローラ、分散型コントローラ、プログラマブル・ステート・コントローラ、および／または、上記デバイスのうちの１つ以上の組み合わせを含んでもよい。
【０１００】
ＣＰＵ１１４は、左シャッタコントローラ１１６および右シャッタコントローラ１１８に操作可能に結合され、シャッタコントローラの作動を監視し制御する。例示的な実施形態では、左シャッタコントローラ１１６および右シャッタコントローラ１１８は、今度は、３Ｄ眼鏡１０４の左シャッタ１０６および右シャッタ１０８に操作可能に結合され、左シャッタおよび右シャッタの作動を監視し制御する。シャッタコントローラ１１６および１１８は、例えば、汎用プログラマブルコントローラ、ＡＳＩＣ、アナログコントローラ、アナログもしくはデジタルスイッチ、局部集中型コントローラ、分散型コントローラ、プログラマブル・ステート・コントローラ、および／または、上記デバイスのうちの１つ以上の組み合わせを含んでもよい。
【０１０１】
バッテリ１２０は少なくともＣＰＵ１１４に操作可能に結合され、３Ｄ眼鏡１０４のＣＰＵと、信号センサ１１２と、シャッタコントローラ１１６および１１８とのうちの１つ以上を作動させるため給電する。バッテリセンサ１２２はＣＰＵ１１４およびバッテリ１２０に操作可能に結合され、バッテリ内の残存電力量を監視する。
【０１０２】
例示的な実施形態では、ＣＰＵ１１４は、信号センサ１１２と、シャッタコントローラ１１６および１１８と、バッテリセンサ１２２とのうちの１つ以上の作動を監視および／または制御してもよい。代替的に、または付加的に、信号センサ１１２と、シャッタコントローラ１１６および１１８と、バッテリセンサ１２２とのうちの１つ以上は、信号センサ１１２と、シャッタコントローラ１１６および１１８と、バッテリセンサ１２２とのうちの１つ以上を更に監視および／または制御してもしなくてもよい、別個の専用コントローラおよび／または複数のコントローラを含んでもよい。代替的に、または付加的に、ＣＰＵ１１４の作動は、３Ｄ眼鏡１０４の他の要素のうちの１つ以上の間で少なくとも部分的に分散されてもよい。
【０１０３】
例示的な実施形態では、信号センサ１１２と、ＣＰＵ１１４と、シャッタコントローラ１１６および１１８と、バッテリ１２０と、バッテリセンサ１２２とは、３Ｄ眼鏡１０４のフレーム内部に搭載され、支持されている。映画スクリーン１０２が映画シアター内に位置付けられている場合、プロジェクタ１３０が１つ以上のビデオ画像を映画スクリーンに投影するため設けられてもよい。例示的な実施形態では、信号送信機１１０は、プロジェクタ１３０に近接して位置付けられてもよく、または、プロジェクタ１３０の内部に含まれてもよい。例示的な実施形態では、プロジェクタ１３０は、１つ以上のビデオ画像を映画スクリーン１０２に表示する電子式プロジェクタ装置、電気機械式プロジェクタ装置、フィルムプロジェクタ、デジタル・ビデオ・プロジェクタ、または、コンピュータディスプレイのうちの１つ以上を含むことがある。代替的に、または映画スクリーン１０２に加えて、テレビ（ＴＶ）または他のビデオ表示装置、例えば、３Ｄ眼鏡１０４に信号で知らせる信号送信機１１０、または、付加的な信号送信機を含んでもよく、表示装置表示面に近接して、および／または、表示面の内部に位置付けられてもよい３Ｄ眼鏡のユーザによる観察のため画像を表示する、例えば、フラットスクリーンＴＶ、プラズマＴＶ、ＬＣＤ  ＴＶ、または、他の表示装置などが使用されてもよい。
【０１０４】
例示的な実施形態では、システム１００の作動中に、ＣＰＵ１１４は、信号送信機１１０から信号センサ１１２によって受信された信号に応じて、および／または、バッテリセンサ１２２からＣＰＵによって受信された信号に応じて、３Ｄ眼鏡１０４のシャッタ１０６および１０８の作動を制御する。例示的な実施形態では、ＣＰＵ１１４は、左シャッタコントローラ１１６に左シャッタ１０６を開くように命令すること、および／または、右シャッタコントローラ１１８に右シャッタ１０８を開くように命令してもよい。
【０１０５】
例示的な実施形態では、シャッタコントローラ１１６および１１８は、シャッタの液晶セルの両端に電圧を印加することによって、それぞれシャッタ１０６および１０８の作動を制御する。例示的な実施形態では、シャッタ１０６および１０８の液晶セルの両端に印加された電圧は負と正との間で交番する。例示的な実施形態では、シャッタ１０６および１０８の液晶セルは、印加電圧が正であるか負であるかにかかわらず、同じように開閉する。印加電圧を交番させることは、シャッタ１０６および１０８の液晶セルの材料がセルの表面に析出することを阻止する。
【０１０６】
例示的な実施形態では、システム１００の作動中に、図２および３に示されるように、システムは左右シャッタ方法２００を実施してもよく、この方法では、２０２ａで、左シャッタ１０６が閉じられ、右シャッタ１０８が開かれる場合、シャッタコントローラ１１６および１１８によって、それぞれに、２０２ｂで、高電圧２０２ｂａが左シャッタ１０６に印加され、電圧２０２ｂｂが右シャッタ１０８に印加されず、その後に低いキャッチ電圧２０２ｂｃが右シャッタ１０８に印加される。例示的な実施形態では、高電圧２０２ｂａを左シャッタ１０６に印加することは、左シャッタを閉じ、右シャッタ１０８に電圧を印加しないことは、右シャッタを開き始める。例示的な実施形態では、右シャッタ１０８への低いキャッチ電圧２０２ｂｃのその後の印加は、右シャッタ内の液晶が右シャッタ１０８の作動中に過度に回転することを阻止する。この結果、２０２ｂで、左シャッタ１０６は閉じられ、右シャッタ１０８が開かれる。
【０１０７】
２０２ｃで、左シャッタ１０６が開かれ、右シャッタ１０８が閉じられる場合、２０２ｄで、シャッタコントローラ１１８および１１６によって、それぞれに、高電圧２０２ｄａが右シャッタ１０８に印加され、電圧２０２ｄｂは左シャッタ１０６に印加されず、その後に低いキャッチ電圧２０２ｄｃが左シャッタ１０６に印加される。例示的な実施形態では、高電圧２０２ｄａを右シャッタ１０８に印加することは、右シャッタを閉じ、左シャッタ１０６に電圧を印加しないことは、右シャッタを開き始める。典型的な実施形態では、左シャッタ１０６への低いキャッチ電圧２０２ｄｃのその後の印加は、左シャッタ内の液晶が左シャッタ１０６の作動中に過度に回転することを阻止する。その結果、２０２ｄで、左シャッタ１０６は開かれ、右シャッタ１０８は閉じられる。
【０１０８】
例示的な実施形態では、２０２ｂおよび２０２ｄで使用されるキャッチ電圧の大きさは、２０２ｂおよび２０２ｄで使用される高電圧の大きさの約１０〜２０％の範囲にある。
【０１０９】
例示的な実施形態では、システム１００の作動中、方法２００の間に、２０２ｂで左シャッタ１０６が閉じ、右シャッタ１０８が開く期間中に、ビデオ画像が右眼に表示され、２０２ｄで左シャッタ１０６が開き、右シャッタ１０８が閉じる期間中に、ビデオ画像が左眼に表示される。例示的な実施形態では、ビデオ画像は、映画シアターのスクリーン１０２、ＬＣＤテレビのスクリーン、デジタル光処理（ＤＬＰ）テレビ、ＤＬＰプロジェクタ、プラズマスクリーンなどのうちの１つ以上に映されてもよい。
【０１１０】
例示的な実施形態では、システム１００の作動中に、ＣＰＵ１１４は、各シャッタ１０６および１０８に対して、このシャッタ、および、観察者の眼を対象とする画像が表示されるときに同時に開くように命令する。例示的な実施形態では、シャッタ１０６および１０８を正しい時間に開くために同期信号が使用されてもよい。
【０１１１】
例示的な実施形態では、同期信号は信号送信機１１０によって送信され、この同期信号は、例えば、赤外線光を含むことができる。例示的な実施形態では、信号送信機１１０は同期信号を反射表面に向けて送信し、この表面はこの信号を３Ｄ眼鏡の内部に位置付けられ搭載されている信号センサ１１２へ反射する。反射表面は、例えば、３Ｄ眼鏡１０４のユーザが映画を鑑賞している間にほぼ反射器の方を向くように、映画シアターのスクリーン１０２であり得、または、映画スクリーンに接して、または、近接して位置している別の反射器でもあり得る。例示的な実施形態では、信号送信機１１０は、同期信号をセンサ１１２へ直接的に送信してもよい。例示的な実施形態では、信号センサ１１２は、３Ｄ眼鏡１０４のフレームに搭載され支持されているフォトダイオードを含んでもよい。
【０１１２】
同期信号は、左右レンズの各シャッタシーケンス２００の開始時にパルスを与えてもよい。同期信号は、より頻繁に現れ、各シャッタ１０６または１０８の開き命令するためにパルスを供給することができる。同期信号は、あまり頻繁に現れず、シャッタシーケンス２００毎に１回ずつ、５回のシャッタシーケンスあたりに１回ずつ、または、１００回のシャッタシーケンスあたりに１回ずつパルスを供給することができる。ＣＰＵ１１４は、同期信号が存在しない場合に適当なシャッタシーケンスを維持するために内部タイマーを有してもよい。
【０１１３】
例示的な実施形態では、シャッタ１０６および１０８における粘性液晶材料と狭いセルギャップとの組み合わせは、光学的に過度に厚いセルをもたらしてもよい。シャッタ１０６および１０８の中の液晶は、電圧が印加されたときに光透過を遮断する。印加された電圧が除去されると、シャッタ１０６および１０８における液晶内の分子は、配向層の配向に戻るまで回転する。配向層は、光透過を可能にするように液晶セル内の分子を配向させる。光学的に過度に厚い液晶セルでは、液晶分子は電力の除去時に急速に回転し、よって光透過を急速に増加させるが、その後、分子は過度に回転し、光透過は減少する。液晶セル分子の回転が開始したときから、光透過が安定するまで、すなわち、液晶分子回転が停止するまでの時間が真のスイッチング時間である。
【０１１４】
例示的な実施形態では、シャッタコントローラ１１６および１１８が小さいキャッチ電圧をシャッタ１０６および１０８に印加したとき、このキャッチ電圧はシャッタ内の液晶セルが過度に回転する前にこの回転を停止させる。シャッタ１０６および１０８における液晶セル内の分子の回転を過度に回転する前に停止させることにより、シャッタにおける液晶セル内の分子を通る光透過はピーク値またはピーク値付近に維持される。よって、有効スイッチング時間は、シャッタ１０６および１０８の中の液晶セルが回転を開始してから、液晶セル内の分子の回転がピーク光透過のポイントまたはポイント付近で停止されるまでの時間である。
【０１１５】
次に図４を参照すると、透過は、シャッタ１０６または１０８の中を通って伝達される光の量を指し、透過の値１は、シャッタ１０６または１０８を通る最大光透過のポイントまたは最大光透過のポイント付近を指す。よって、最大限度で光の３７％を透過することができるシャッタ１０６または１０８の場合、透過レベル１は、シャッタ１０６または１０８がこのシャッタの最大限度、すなわち、利用可能な光のうちの３７％を透過していることを示す。当然ながら、使用する特有の液晶セルによっては、シャッタ１０６または１０８によって透過される光の最大量は、例えば、３３％、３０％、または大幅な増減を含む任意の量であることができる。
【０１１６】
図４に示されるように、例示的な実験的実施形態では、シャッタ１０６または１０８が作動され、光透過４００が方法２００の作動中に測定された。シャッタ１０６または１０８の例示的な実験的実施形態では、シャッタは約０．５ミリ秒にわたり閉じ、次に、約７ミリ秒の間、シャッタサイクルの前半を通して閉じた状態を維持し、その後、シャッタは約１ミリ秒のうちに最大光透過の約９０％まで開かれ、その後、シャッタは約７ミリ秒の間、開いた状態を維持し、その後、閉じられる。比較として、従来技術のシャッタは、方法２００の作動中に同様に作動され、光透過４０２を示した。この例示的な実施形態のシャッタ１０６および１０８の光透過は、方法２００の作動中に、図４に示されるように、１ミリ秒のうちに約２５〜３０％の透過、すなわち、最大光透過の約９０％に到達したが、他のシャッタは、図４に示されるように、約２．５ミリ秒後になってようやく約２５〜３０％の透過、すなわち、最大光透過の約９０％に到達した。よって、本例示的な実施形態のシャッタ１０６および１０８は、市販されているシャッタより著しく応答性の高い作動をもたらした。これは予期しない結果であった。
【０１１７】
次に図５を参照すると、例示的な実施形態では、システム１００は、５０２で信号センサ１１４が信号送信機１１０から赤外線同期（ｓｙｎｃ）パルスを受信する作動方法５００を実施する。３Ｄ眼鏡１０４が５０４でランモードでない場合、ＣＰＵ１１４は、５０６で３Ｄ眼鏡１０４がオフモードであるかどうかを判定する。ＣＰＵ１１４が、５０６で３Ｄ眼鏡１０４はオフモードではないと判定した場合、ＣＰＵ１１４は、５０８で通常処理を継続し、その後、５０２へ戻る。ＣＰＵ１１４が、５０６で３Ｄ眼鏡１０４はオフモードであると判定した場合、ＣＰＵ１１４は、次の暗号化された信号に対してＣＰＵ１１４を準備するために５１０で同期反転（ＳＩ）および妥当性フラグをクリアし、５１２でシャッタ１０６および１０８のためのウォームアップ・シーケンスを始動し、その後、通常の作動５０８を続行し、５０２へ戻る。
【０１１８】
３Ｄ眼鏡１０４が５０４でランモードにある場合、ＣＰＵ１１４は３Ｄ眼鏡１０４が５１４で暗号化のため既に構成されているかどうかを判定する。３Ｄ眼鏡１０４が５１４で暗号化のため既に構成されている場合、ＣＰＵ１１４は、５０８で通常の作動を継続し、５０２へ進む。３Ｄ眼鏡１０４が５１４で暗号化のため未だ構成されていない場合、ＣＰＵ１１４は、５１６で着信信号が３パルス同期信号であるかどうかをチェックする。着信信号が５１６で３パルス同期信号でない場合、ＣＰＵ１１４は５０８で通常の作動を継続し、５０２へ進む。着信信号が５１６で３パルス同期信号である場合、ＣＰＵ１１４は、信号センサ１１２を使用して５１８で信号送信機１１０からコンフィギュレーションデータを受信する。ＣＰＵ１１４は、その後、受信されたコンフィギュレーションデータを５２０で解読し、有効であるかどうかを判定する。受信されたコンフィギュレーションデータが５２０で有効である場合、ＣＰＵ１１４は、５２２で新しいコンフィギュレーションＩＤ（ＣＯＮＩＤ）が前のＣＯＮＩＤに一致するかどうかを調べるためにチェックする。例示的な実施形態では、前のＣＯＮＩＤは、例えば、３Ｄ眼鏡１０４の製造中またはフィールドプログラミング中に、ＣＰＵ１１４へ操作可能に結合されている不揮発性記憶装置のような記憶装置に蓄積されてもよい。新しいＣＯＮＩＤが５２２で前のＣＯＮＩＤに一致しない場合、ＣＰＵ１１４は、５２４で３Ｄ眼鏡１０４のシャッタ１０６および１０８にクリアモードへ変わるように命令する。新しいＣＯＮＩＤが、５２２で前のＣＯＮＩＤに一致しない場合、ＣＰＵ１１４は、ＳＩおよびＣＯＮＩＤフラグをセットして、５２６で３次元画像を見るためにノーマルモードのシャッタシーケンスをトリガする。
【０１１９】
例示的な実施形態では、ランモードまたはノーマルモードで、３Ｄ眼鏡１０４は完全に作動可能である。例示的な実施形態では、オフモードで、３次元眼鏡は作動可能ではない。例示的な実施形態では、ノーマルモードで、３Ｄ眼鏡は作動可能であり、方法２００を実施してもよい。
【０１２０】
例示的な実施形態では、信号送信機１１０はシアタープロジェクタ１３０の付近に位置していてもよい。例示的な実施形態では、信号送信機１１０は、数ある機能のうちで、同期信号（ｓｙｎｃ信号）を３Ｄ眼鏡１０４の信号センサ１１２へ送信する。信号送信機１１０は、代替的に、または追加的に、シアタープロジェクタ１３０および／または任意の表示装置および／または任意のエミッタ素子から同期信号を受信することができる。例示的な実施形態では、暗号化信号は、３Ｄ眼鏡１０４が正しい暗号化信号を格納していない信号送信機１１０と共に作動することを阻止するため使用されてもよい。更に、例示的な実施形態では、暗号化された送信機信号は、暗号化された信号を受信し処理するため装備されていない３Ｄ眼鏡１０４を適切に作動させない。例示的な実施形態では、信号送信機１１０は暗号化データを３Ｄ眼鏡１０４へ送信してもよい。
【０１２１】
次に図６を参照すると、例示的な実施形態では、作動中に、システム１００は作動方法６００を実施し、この方法では、システムは６０２で電源が入れられたばかりであるため信号送信機１１０がリセットされたかどうかを６０２で判定する。電源が入れられたばかりであるため６０２で信号送信機１１０がリセットされた場合、信号送信機は６０４で新しいランダム同期反転フラグを発生する。信号送信機１１０が６０２でパワー・オン・リセット条件でない場合、信号送信機１１０のＣＰＵ１１０ａは、６０６で、所定の時間を超えて同じ同期符号化が使用されたかどうかを判定する。例示的な実施形態では、６０６における所定の時間は、４時間以上、または、典型的な映画、もしくは、他の適当な時間の長さでもよい。同じ同期符号化が６０６で４時間を超えて使用された場合、信号送信機１１０のＣＰＵ１１０ａは６０４で新しい同期反転フラグを発生する。
【０１２２】
信号送信機１１０のＣＰＵ１１０ａは、その後、信号送信機が６０８においてプロジェクタ１３０から信号を依然として受信しているかどうかを判定する。信号送信機１１０が６０８においてプロジェクタ１３０からの信号をもはや受信していない場合、信号送信機１１０は、６１０において適切な時間に同期信号を信号センサ１１２へ送信し続けるように固有の内部同期発生器を使用してもよい。
【０１２３】
作動中に、信号送信機１１０は、例えば、２パルス同期信号と３パルス同期信号との間で交番してもよい。例示的な実施形態では、２パルス同期信号は、３Ｄ眼鏡１０４に左シャッタ１０８を開くように命令し、３パルス同期信号は、３Ｄ眼鏡１０４に右シャッタ１０６を開くように命令する。例示的な実施形態では、信号送信機１１０は、ｎ番目の信号毎に暗号化信号を送信してもよい。
【０１２４】
信号送信機１１０が６１２において３パルス同期信号を送信すべきと判定した場合、信号送信機は６１４で最後の暗号化サイクル以降の信号カウントを判定する。例示的な実施形態では、信号送信機１１０は、１０回の信号毎に１回に限り暗号化信号を送信する。しかし、例示的な実施形態では、暗号化信号の間に存在する信号サイクルは増減することができる。信号送信機１１０のＣＰＵ１１０ａが、６１４でｎ番目の３パルス同期ではないと判定した場合、ＣＰＵは、信号送信機に６１６で標準的な３パルス同期信号を送信するように命令する。同期信号がｎ番目の３パルス信号である場合、信号送信機１１０のＣＰＵ１１０ａは、６１８でデータを暗号化し、６２０でコンフィギュレーションデータが埋め込まれた３パルス同期信号を送信する。信号送信機１１０が６１２で３パルス同期信号を送信すべきでないことを判定した場合、信号送信機は６２２で２パルス同期信号を送信する。
【０１２５】
次に図７および８を参照すると、例示的な実施形態では、システム１００の作動中に、信号送信機１１０は作動方法７００を実施し、この方法では、同期パルスが符号化されたコンフィギュレーションデータと組み合わされ、次に信号送信機１１０によって送信される。より詳細には、信号送信機１１０は、クロック信号８００を発生するファームウェア内部クロックを含む。７０２で、信号送信機１１０のＣＰＵ１１０ａは、クロック信号８００がクロックサイクル８０２の先頭にあるかどうかを判定する。信号送信機１１０のＣＰＵ１１０ａが７０２でクロック信号８００はクロックサイクルの先頭にあると判定した場合、信号送信機のＣＰＵは、７０４でコンフィギュレーションデータ信号８０４がＨｉｇｈであるかＬｏｗであるかを調べるためにチェックする。コンフィギュレーションデータ信号８０４がＨｉｇｈである場合、データパルス信号８０６は７０６でＨｉｇｈ値に設定される。コンフィギュレーションデータ信号８０４がＬｏｗである場合、データパルス信号８０６は７０８でＬｏｗ値に設定される。例示的な実施形態では、データパルス信号８０６は同期信号を既に含んでいてもよい。よって、データパルス信号８０６は、７１０で同期信号と組み合わされ、７１０で信号送信機１１０によって送信される。
【０１２６】
例示的な実施形態では、暗号化された形式のコンフィギュレーションデータ信号８０４は、所定の回数の同期信号シーケンスの後、あらゆる同期信号シーケンスの間に送信されてもよく、暗号化動作の前または後に、同期信号シーケンスが埋め込まれてもよく、同期信号シーケンスと重畳されてもよく、または、同期信号シーケンスと組み合わされてもよい。更に、暗号化された形式のコンフィギュレーションデータ信号８０４は、２パルス同期信号もしくは３パルス同期信号のいずれかで、または、両方で、あるいは、任意の他の個数のパルスの信号で送信されることができる。更に、暗号化されたコンフィギュレーションデータ信号は、何れかの送信端で同期信号を暗号化するかまたは暗号化しないかとは無関係に、同期信号シーケンスの送信の間で送信されることができる。
【０１２７】
例示的な実施形態では、同期信号シーケンスの有無とは無関係に、コンフィギュレーションデータ信号８０４を符号化することは、例えば、マンチェスタ符号化を使用して行われてもよい。
【０１２８】
次に図２、５、８、９および１０を参照すると、例示的な実施形態では、システム１００の作動中に、３Ｄ眼鏡１０４は作動方法９００を実施し、この方法では、９０２で、３Ｄ眼鏡１０４のＣＰＵ１１４はウェイクアップ・モード・タイムアウトをチェックする。例示的な実施形態では、ウェイクアップ・モード・タイムアウトの存在は、９０２において、２秒または他の所定期間毎に出現する１００ミリ秒の持続時間をもつＨｉｇｈパルス９０２ａａを有するクロック信号９０２ａによって規定される。例示的な実施形態では、Ｈｉｇｈパルス９０２ａａの存在はウェイクアップ・モード・タイムアウトを示す。
【０１２９】
ＣＰＵ１１４が９０２でウェイクアップ・モード・タイムアウトを検出した場合、ＣＰＵは、９０４で信号センサ１１２を使用して同期信号の有無をチェックする。ＣＰＵ１１４が９０４で同期信号を検出した場合、ＣＰＵは９０６で３Ｄ眼鏡１０４をクリア作動モードに入れる。例示的な実施形態では、クリア作動モードでは、３Ｄ眼鏡は、方法２００および５００のうちの１つ以上を少なくとも部分的に実施し、同期パルスを受信し、および／または、コンフィギュレーションデータ８０４を処理する。例示的な実施形態では、クリア動作モードにおいて、３Ｄ眼鏡は、少なくとも後述された方法１３００の作動を行ってもよい。
【０１３０】
ＣＰＵ１１４が９０４で同期信号を検出しない場合、ＣＰＵは、９０８で３Ｄ眼鏡１０４をオフ作動モードに入れ、次に、９０２で、ＣＰＵはウェイクアップ・モード・タイムアウトをチェックする。例示的な実施形態では、オフ作動モードでは、３Ｄ眼鏡はノーマル作動モードまたはクリア作動モードの特徴を示さない。
【０１３１】
例示的な実施形態では、方法９００は、３Ｄ眼鏡がオフモードまたはクリアモードのいずれかにあるとき、３Ｄ眼鏡１０４によって実施される。
【０１３２】
次に図１１および１２を参照すると、例示的な実施形態では、システム１００の作動中に、３Ｄ眼鏡１０４はウォームアップ作動方法１１００を実施し、このウォームアップ作動方法では、１１０２で３Ｄ眼鏡のＣＰＵ１１４が３Ｄ眼鏡のパワーオンをチェックする。例示的な実施形態では、３Ｄ眼鏡１０４は、パワーオン・スイッチを起動するユーザまたは自動ウェイクアップ・シーケンスのいずれかによってパワーオンされてもよい。３Ｄ眼鏡１０４のパワーオンの場合、３Ｄ眼鏡のシャッタ１０６および１０８は、例えば、ウォームアップ・シーケンスを必要としてもよい。ある一定期間にわたって電力をもたないシャッタ１０６および１０８の液晶セルの分子は不定状態に入ってもよい。
【０１３３】
３Ｄ眼鏡１０４のＣＰＵ１１４が１１０２で３Ｄ眼鏡のパワーオンを検出した場合、ＣＰＵは１１０４で交番電圧信号１１０４ａおよび１１０４ｂをそれぞれシャッタ１０６および１０８に印加する。例示的な実施形態では、シャッタ１０６および１０８に印加された電圧は、シャッタの液晶セルにおけるイオン化問題を回避するため正と負のピーク値の間で交番する。例示的な実施形態では、電圧信号１１０４ａおよび１１０４ｂは、少なくとも部分的に互いに位相がずれている。代替的に、電圧信号１１０４ａおよび１１０４ｂは、同相であるか、または、完全に位相がずれていてもよい。例示的な実施形態では、電圧信号１１０４ａおよび１１０４ｂのうちの一方または両方は、ゼロ電圧とピーク電圧との間で交番させられてもよい。例示的な実施形態では、シャッタの液晶セルが不定作動状態に入れられるように、他の形式の電圧信号がシャッタ１０６および１０８に印加されてもよい。例示的な実施形態では、電圧信号１１０４ａおよび１１０４ｂのシャッタ１０６および１０８への印加は、同時または異なる時のいずれかでシャッタを開閉させる。代替的に、電圧信号１１０４ａおよび１１０４ｂの印加は、シャッタ１０６および１０８をすべての時点で閉じる。
【０１３４】
電圧信号１１０４ａおよび１１０４ｂのシャッタ１０６および１０８への印加中に、ＣＰＵ１１４は１１０６でウォームアップ・タイムアウトをチェックする。ＣＰＵ１１４が１１０６でウォームアップ・タイムアウトを検出した場合、ＣＰＵは１１０８で電圧信号１１０４ａおよび１１０４ｂのシャッタ１０６および１０８への印加を停止する。
【０１３５】
例示的な実施形態では、１１０４および１１０６で、ＣＰＵ１１４は、シャッタの液晶セルを始動させるために十分な期間にわたって電圧信号１１０４ａおよび１１０４ｂをシャッタ１０６および１０８へ印加する。例示的な実施形態では、ＣＰＵ１１４は、２秒間のタイムアウト期間にわたって電圧信号１１０４ａおよび１１０４ｂをシャッタ１０６および１０８へ印加する。例示的な実施形態では、電圧信号１１０４ａおよび１１０４ｂの最大の大きさは１４ボルトとしてもよい。例示的な実施形態では、１１０６においてタイムアウト期間は２秒としてもよい。例示的な実施形態では、電圧信号１１０４ａおよび１１０４ｂの最大の大きさは１４ボルトより大きくしても小さくしてもよく、タイムアウト期間は長くしても短くしてもよい。例示的な実施形態では、方法１１００の間に、ＣＰＵ１１４は、映画を見るときに使用される場合とは異なるレートでシャッタ１０６および１０８を開閉してもよい。例示的な実施形態では、１１０４において、シャッタ１０６および１０８に印加された電圧信号１１０４ａおよび１１０４ｂは、映画を見るため使用されるだろう場合のレートとは異なるレートで交番する。例示的な実施形態では、１１０４において、シャッタ１０６および１０８に印加される電圧信号は交番することがなく、ウォームアップ期間中、一定に印加されるので、シャッタの液晶セルはウォームアップ期間の全体にわたって不透明状態を維持してもよい。例示的な実施形態では、ウォームアップ方法１１００は、同期信号の有無にかかわらず行われてもよい。よって、方法１１００は、３Ｄ眼鏡１０４にウォームアップ作動モードを提供する。例示的な実施形態では、ウォームアップ方法１１００を実施した後、３Ｄ眼鏡はノーマルラン作動モードに入り、その後、方法２００を実施してもよい。代替的に、例示的な実施形態では、ウォームアップ方法１１００を実施した後、３Ｄ眼鏡はクリア動作モードに入り、その後、後述されている方法１３００を実施してもよい。
【０１３６】
次に図１３および１４を参照すると、例示的な実施形態では、システム１００の作動中に、３Ｄ眼鏡１０４は作動方法１３００を実施し、この作動方法では、１３０２において、ＣＰＵ１１４は信号センサ１１２によって検出された同期信号が有効か無効かを調べるためにチェックする。ＣＰＵ１１４が１３０２で同期信号は無効であると判定した場合、ＣＰＵは、１３０４で、電圧信号１３０４ａおよび１３０４ｂを３Ｄ眼鏡のシャッタ１０６および１０８に印加する。例示的な実施形態では、シャッタ１０６および１０８に印加された電圧は、シャッタの液晶セルにおけるイオン化問題を回避するため正と負のピーク値の間で交番する。例示的な実施形態では、電圧信号１１０４ａおよび１１０４ｂのうちの一方または両方は、ゼロ電圧とピーク電圧との間で交番させられてもよい。例示的な実施形態では、シャッタの液晶セルが開いた状態を保ち、３Ｄ眼鏡１０４のユーザがシャッタを通して普通に見ることができるように、他の形式の電圧信号がシャッタ１０６および１０８に印加されてもよい。例示的な実施形態では、電圧信号１１０４ａおよび１１０４ｂのシャッタ１０６および１０８への印加はシャッタを開く。
【０１３７】
電圧信号１３０４ａおよび１３０４ｂのシャッタ１０６および１０８への印加中に、ＣＰＵ１１４は、１３０６で透明化タイムアウトをチェックする。ＣＰＵ１１４が１３０６で透明化タイムアウトを検出した場合、ＣＰＵは、１３０８で、電圧信号１３０４ａおよび１３０４ｂのシャッタ１０６および１３０８への印加を停止する。
【０１３８】
よって、例示的な実施形態では、３Ｄ眼鏡１０４が有効な同期信号を検出しない場合、３Ｄ眼鏡はクリア作動モードに進み、方法１３００を実施してもよい。クリア作動モードにおいて、例示的な実施形態では、３Ｄ眼鏡１０６の両方のシャッタ１０８および１０４は、観察者が３Ｄ眼鏡のシャッタを通して普通に見ることができるように開いた状態を保つ。例示的な実施形態では、正負に交番する定電圧が、３Ｄ眼鏡のシャッタ１０６および１０８の液晶セルを透明状態に維持するために印加される。定電圧は、例えば、２−３ボルトのレンジに入り得るが、定電圧は適度に透明なシャッタを維持するために適する任意の他の電圧でもあり得る。例示的な実施形態では、３Ｄ眼鏡１０６のシャッタ１０８および１０４は、３Ｄ眼鏡が暗号化信号を有効にすることができるまで、透明状態を維持してもよい。例示的な実施形態では、３Ｄ眼鏡のシャッタ１０６および１０８は、３Ｄ眼鏡のユーザが普通に見ることを可能にするレートで交互に開閉してもよい。
【０１３９】
よって、方法１３００は、３Ｄ眼鏡１０４の作動を透明化する方法を提供し、それによって、クリア作動モードを提供する。
【０１４０】
次に図１５を参照すると、例示的な実施形態では、システム１００の作動中に、３Ｄ眼鏡１０４は、バッテリ１２０を監視する方法１５００を実施し、この方法では、１５０２で、３Ｄ眼鏡のＣＰＵ１１４は、バッテリの残存耐用期間を判定するためにバッテリセンサ１２０を使用する。３Ｄ眼鏡のＣＰＵ１１４が、バッテリ１２０の残存耐用期間が１５０２で適切でないと判定した場合、ＣＰＵは１５０４で低バッテリ寿命条件の指標を与える。
【０１４１】
例示的な実施形態では、不適切な残存バッテリ寿命は３時間未満の任意の期間としてもよい。例示的な実施形態では、適切な残存バッテリ寿命は、３Ｄ眼鏡の製造業者によってプリセットされてもよく、および／または、３Ｄ眼鏡のユーザによってプログラムされてもよい。
【０１４２】
例示的な実施形態では、１５０４で、３Ｄ眼鏡１０４のＣＰＵ１１４は、３Ｄ眼鏡のシャッタ１０６および１０８をゆっくりブリンクさせること、３Ｄ眼鏡のユーザの目に見える適度なレートでシャッタを同時にブリンクさせること、インジケータ光を点滅すること、可聴音を発生することなどによって低バッテリ寿命条件を指示する。
【０１４３】
例示的な実施形態では、３Ｄ眼鏡１１４のＣＰＵ１０４が、残存バッテリ寿命が指定された期間にわたって持続するために不十分であることを検出した場合、３Ｄ眼鏡のＣＰＵは、１５０４で低バッテリ条件を指示し、その後、ユーザが３Ｄ眼鏡をオンにすることを阻止する。
【０１４４】
例示的な実施形態では、３Ｄ眼鏡１０４のＣＰＵ１１４は、３Ｄ眼鏡がクリア作動モードへ移るときにいつでも残存バッテリ寿命が適切であるかどうかを判定する。
【０１４５】
例示的な実施形態では、３Ｄ眼鏡のＣＰＵ１１４は、バッテリが少なくとも所定の適切な期間にわたって持続することを判定した場合、３Ｄ眼鏡は正常に作動し続ける。正常に作動することは、信号送信機１１０からの有効な信号をチェックしながら５分間にわたってクリア作動モードに留まることと、その後、３Ｄ眼鏡１０４が定期的にウェイクアップして信号送信機からの信号をチェックするオフモードに遷移することとを含む。
【０１４６】
例示的な実施形態では、３Ｄ眼鏡１１４のＣＰＵ１０４は、３Ｄ眼鏡を止める直前に低バッテリ条件をチェックする。例示的な実施形態では、バッテリ１２０が所定の適切な残存耐用期間にわたって持続しない場合、シャッタ１０６および１０８はゆっくりブリンクし始める。
【０１４７】
例示的な実施形態では、バッテリ１２０が所定の適切な残存態様期間にわたって持続しない場合、シャッタ１０６および／または１０８は不透明条件に入り、すなわち、液晶セルは２秒間にわたって閉じ、その後、透明条件に入り、すなわち、液晶セルは、１０分の１秒間にわたって開く。シャッタ１０６および／または１０８が開閉する期間は、どのような期間でもよい。
【０１４８】
例示的な実施形態では、３Ｄ眼鏡１０４は、ウォームアップ中、ノーマル作動中、クリアモード中、パワーオフ・モード中、または、いずれかの条件の間の遷移時を含むいかなる時に低バッテリ条件をチェックしてもよい。例示的な実施形態では、低バッテリ寿命条件が、観察者が映画を見ている最中である可能性が高いときに検出された場合、３Ｄ眼鏡１０４は低バッテリ条件を直ちに指示しなくてもよい。
【０１４９】
一部の実施形態では、３Ｄ眼鏡１１４のＣＰＵ１０４が低バッテリレベルを検出した場合、ユーザは３Ｄ眼鏡の電源をオンにすることができない。
【０１５０】
図１６を参照すると、例示的な実施形態では、テスタ１６００は、３Ｄ眼鏡１０４が適切に機能しているか否かを検証するために、３Ｄ眼鏡の付近に位置付けられることがある。例示的な実施形態では、テスタ１６００は、テスト信号１６００ｂを３Ｄ眼鏡の信号センサ１１２へ送信する信号送信機１６００ａを含む。例示的な実施形態では、テスト信号１６００ｂは、３Ｄ眼鏡１０４のシャッタ１０６および１０８を３Ｄ眼鏡のユーザの目に見える低レートでブリンクさせるために低周波数レートを有する同期信号を含んでもよい。例示的な実施形態では、テスト信号１６００ｂに応じたシャッタ１０６および１０８のブリンクの失敗は、３Ｄ眼鏡１０４の部品が適切に作動できないことを示してもよい。
【０１５１】
次に図１７を参照すると、例示的な実施形態では、３Ｄ眼鏡１０４は、ＣＰＵ１１４と、シャッタコントローラ１１６および１１８と、バッテリ１２０とに操作可能に結合され、バッテリの出力電圧をシャッタコントローラの作動のために用いられる電圧より高い電圧に変換するチャージポンプ１７００をさらに含む。
【０１５２】
図１８、１８ａ、１８ｂ、１８ｃおよび１８ｄを参照すると、後述されている点を除いて、これまでに図示され説明された３Ｄ眼鏡１０４と設計および作動の点で実質的に同一である３Ｄ眼鏡１８００の例示的な実施形態が記載されている。３Ｄ眼鏡１８００は、左シャッタ１８０２と、右シャッタ１８０４と、左シャッタコントローラ１８０６と、右シャッタコントローラ１８０８と、ＣＰＵ１８１０と、バッテリセンサ１８１２と、信号センサ１８１４と、チャージポンプ１８１６とを含む。例示的な実施形態では、３Ｄ眼鏡１８００の左シャッタ１８０２と、右シャッタ１８０４と、左シャッタコントローラ１８０６と、右シャッタコントローラ１８０８と、ＣＰＵ１８１０と、バッテリセンサ１８１２と、信号センサ１８１４と、チャージポンプ１８１６との設計および作動は、これまでに説明され図示された３Ｄ眼鏡１０４の左シャッタ１０６と、右シャッタ１０８と、左シャッタコントローラ１１６と、右シャッタコントローラ１１８と、ＣＰＵ１１４と、バッテリセンサ１２２と、信号センサ１１２と、チャージポンプ１７００と実質的に同一である。
【０１５３】
例示的な実施形態では、３Ｄ眼鏡１８００は以下の部品を含む。
【表１】
2011217375.tif 000003
【０１５４】
例示的な実施形態では、左シャッタコントローラ１８０６は、ＣＰＵ１８１０の制御下で、作動モードに依存して、左シャッタの作動を制御するため、左シャッタ１８０２の両端に電圧を印加するデジタル制御型アナログスイッチＵ１を含む。同様に、右シャッタコントローラ１８０８は、ＣＰＵ１８１０の制御下で、作動モードに依存して、右シャッタの作動を制御するため、右シャッタ１８０４の両端に電圧を印加するデジタル制御型アナログスイッチＵ２を含む。例示的な実施形態では、Ｕ１およびＵ２は、ユニソニックテクノジー社から部品番号ＵＴＣ４０５２として、または、テキサスインスツルメンツ社から部品番号ＴＩ４０５２として入手できる従来の市販されているデジタル制御型アナログスイッチである。
【０１５５】
当業者であれば理解できるように、４０５２デジタル制御型アナログスイッチは、制御入力信号Ａ、ＢおよびＩＮＨＩＢＩＴ（ＩＮＨ）と、スイッチＩ／Ｏ信号Ｘ０、Ｘ１、Ｘ２、Ｘ３、Ｙ０、Ｙ１、Ｙ２およびＹ３と、出力信号ＸおよびＹとを含み、以下の真理値表を更に提供する。
【表２】
2011217375.tif 000004
そして、図１９に示されるように、４０５２デジタル制御型アナログスイッチは、機能図１９００を更に提供する。よって、４０５２デジタル制御型アナログスイッチは、１つずつが２つの独立したスイッチを有し、左シャッタコントローラ１８０６および右シャッタコントローラ１８０８がシャッタの作動を制御するために右シャッタ１８０２および左シャッタ１８０４の両端に選択的に制御型電圧を印加することを可能にするデジタル制御型アナログスイッチを提供する。
【０１５６】
例示的な実施形態では、ＣＰＵ１８１０は、左シャッタコントローラ１８０６および右シャッタコントローラ１８０８のデジタル制御型アナログスイッチＵ１およびＵ２の作動を制御する出力信号Ａ、Ｂ、Ｃ、ＤおよびＥを発生するマイクロコントローラＵ３を含む。マイクロコントローラＵ３の出力制御信号Ａ、ＢおよびＣは、以下の入力制御信号ＡおよびＢをデジタル制御型アナログスイッチＵ１およびＵ２の１つずつに供給する。
【表３】
2011217375.tif 000005
【０１５７】
例示的な実施形態では、マイクロコントローラＵ３の出力制御信号ＤおよびＥは、デジタル制御型アナログスイッチＵ１およびＵ２のスイッチＩ／Ｏ信号Ｘ０、Ｘ１、Ｘ２、Ｘ３、Ｙ０、Ｙ１、Ｙ２およびＹ３を供給するか、そうでなければ、これらのスイッチＩ／Ｏ信号に影響を与える。
【表４】
2011217375.tif 000006
【０１５８】
例示的な実施形態では、ＣＰＵ１８１０のマイクロコントローラＵ３は、マイクロチップ社から市販されているモデル番号ＰＩＣ１６Ｆ６３６プログラマブルマイクロコントローラである。
【０１５９】
例示的な実施形態では、バッテリセンサ１８１２は、バッテリ１２０の電圧を検知する電力検出器Ｕ６を含む。例示的な実施形態では、電力検出器Ｕ６は、マイクロチップ社から市販されているモデルＭＣＰ１１１マイクロパワー電圧検出器である。
【０１６０】
例示的な実施形態では、信号センサ１８１４は、信号送信機１１０による同期信号および／またはコンフィギュレーションデータを含む信号の伝送を検知するフォトダイオードＤ２を含む。例示的な実施形態では、フォトダイオードＤ２は、オスラム社から市販されているモデルＢＰ１０４ＦＳフォトダイオードである。例示的な実施形態では、信号センサ１８１４は、演算増幅器Ｕ５−１およびＵ５−２と、関連した信号条件付け部品である抵抗器Ｒ１、Ｒ２、Ｒ３、Ｒ４、Ｒ５、Ｒ６、Ｒ７、Ｒ９、Ｒ１１およびＲ１２、コンデンサＣ５、Ｃ６、Ｃ７およびＣ１０、ならびに、ショットキーダイオードＤ１およびＤ３とを更に含む。
【０１６１】
例示的な実施形態では、チャージポンプ１８１６は、チャージポンプを使用して、３Ｖから−１２Ｖまでバッテリ１２０の出力電圧の大きさを増幅する。例示的な実施形態では、チャージポンプ１８１６は、ＭＯＳＦＥＴＱ１と、ショットキーダイオードＤ５と、インダクタＬ１と、ツェナーダイオードＤ６とを含む。例示的な実施形態では、チャージポンプ１８１６の出力信号は、左シャッタコントローラ１８０６のデジタル制御型アナログスイッチＵ１のスイッチＩ／Ｏ信号Ｘ２およびＹ０への入力信号として供給され、右シャッタコントローラ１８０８のデジタル制御型アナログスイッチＵ２のスイッチＩ／Ｏ信号Ｘ３およびＹ１への入力信号として供給される。
【０１６２】
図２０に示されるように、例示的な実施形態では、３Ｄ眼鏡１８００の作動中に、デジタル制御型アナログスイッチＵ１およびＵ２は、ＣＰＵ１８１０の制御信号Ａ、Ｂ、Ｃ、ＤおよびＥの制御下で、左シャッタ１８０２および右シャッタ１８０４の一方または両方の両端に様々な電圧を供給してもよい。より詳細には、デジタル制御型アナログスイッチＵ１およびＵ２は、ＣＰＵ１８１０の制御信号Ａ、Ｂ、Ｃ、ＤおよびＥの制御下で、１）左シャッタ１８０２および右シャッタ１８０４の一方または両方の両端に正または負の１５ボルトの電圧を供給することがあり、２）左シャッタおよび右シャッタの一方または両方の両端に正または負の２〜３ボルトの範囲の電圧を供給することがあり、３）左シャッタおよび右シャッタの一方または両方の両端に０ボルト、すなわち、ニュートラル状態をもたらすことがある。例示的な実施形態では、デジタル制御型アナログスイッチＵ１およびＵ２は、ＣＰＵ１８１０の制御信号Ａ、Ｂ、Ｃ、ＤおよびＥの制御下で、例えば、＋３ボルトを−１２ボルトと組み合わせることにより、左シャッタ１８０２及び右シャッタ１８０４の一方または両方の両端に１５ボルトの差を実現して、１５ボルトを供給してもよい。例示的な実施形態では、デジタル制御型アナログスイッチＵ１およびＵ２は、ＣＰＵ１８１０の制御信号Ａ、Ｂ、Ｃ、ＤおよびＥの制御下で、例えば、部品Ｒ８およびＲ１０を含む分圧器を用いてバッテリ１２０の３ボルト出力電圧を２ボルトまで低下させることにより、２ボルトのキャッチ電圧を供給してもよい。
【０１６３】
代替的に、デジタル制御型アナログスイッチＵ１およびＵ２は、ＣＰＵ１８１０の制御信号Ａ、Ｂ、Ｃ、ＤおよびＥの制御下で、１）左シャッタ１８０２および右シャッタ１８０４の一方または両方の両端に正または負の１５ボルトの電圧を供給することがあり、２）左シャッタおよび右シャッタの一方または両方の両端に正または負の約２ボルトの電圧を供給することがあり、３）左シャッタおよび右シャッタの一方または両方の両端に約３ボルトの電圧を供給することがあり、４）左シャッタおよび右シャッタの一方または両方の両端に０ボルト、すなわち、ニュートラル状態をもたらすことがある。例示的な実施形態では、デジタル制御型アナログスイッチＵ１およびＵ２は、ＣＰＵ１８１０の制御信号Ａ、Ｂ、Ｃ、ＤおよびＥの制御下で、例えば、＋３ボルトを−１２ボルトと組み合わせることにより、左シャッタ１８０２及び右シャッタ１８０４の一方または両方の両端に１５ボルトの差を実現して、１５ボルトを供給してもよい。例示的な実施形態では、デジタル制御型アナログスイッチＵ１およびＵ２は、ＣＰＵ１８１０の制御信号Ａ、Ｂ、Ｃ、ＤおよびＥの制御下で、例えば、部品Ｒ８およびＲ１０を含む分圧器を用いてバッテリ１２０の３ボルト出力電圧を２ボルトまで低下させることにより、２ボルトのキャッチ電圧を供給してもよい。
【０１６４】
次に図２１および２２を参照すると、例示的な実施形態では、３Ｄ眼鏡１８００の作動中に、３Ｄ眼鏡はノーマルラン作動モード２１００を実行し、ノーマルラン作動モードでは、ＣＰＵ１８１０によって発生された制御信号Ａ、Ｂ、Ｃ、ＤおよびＥが、信号センサ１８１４によって検出された同期信号のタイプに応じて、次に左シャッタ１８０２および右シャッタ１８０４の作動を制御するために、左シャッタコントローラ１８０６および右シャッタコントローラ１８０８の作動を制御するため使用される。
【０１６５】
より詳細には、２１０２で、ＣＰＵ１８１０が、信号センサ１８１４が同期信号を受信したことを検出した場合、２１０４で、ＣＰＵは、受信された同期信号のタイプを判定する。例示的な実施形態では、３パルスを含む同期信号は、左シャッタ１８０２が閉じ、右シャッタ１８０４が開くべきであることを指示し、一方、２パルスを含む同期信号は、左シャッタが開き、右シャッタが閉じるべきであることを指示する。より一般的には、任意の個数の異なるパルスが左右のシャッタ１８０２および１８０４の開閉を制御するため使用されてもよい。
【０１６６】
２１０４で、ＣＰＵ１８１０が、受信された同期信号が、左シャッタ１８０２は閉じ、右シャッタ１８０４は開くべきであることを指示していると判定した場合、ＣＰＵは、左シャッタ１８０２に高電圧を印加し、右シャッタ１８０４には電圧を印加せず、続いて、小さいキャッチ電圧を印加するため、２１０６で、左右のシャッタコントローラ１８０６および１８０４に制御信号Ａ、Ｂ、Ｃ、ＤおよびＥを送信する。例示的な実施形態では、２１０６で左シャッタ１８０２に印加される高電圧の大きさは１５ボルトである。例示的な実施形態では、２１０６で、右シャッタ１８０４に印加されるキャッチ電圧の大きさは２ボルトである。例示的な実施形態では、キャッチ電圧は、制御信号Ｄ（Ｌｏｗ状態、Ｈｉｇｈ状態またはオープン状態の何れかとすることができる）をオープン状態になるように制御し、それによって、分圧器部品Ｒ８およびＲ１０の作動を可能にさせることにより、また制御信号ＥをＨｉｇｈ状態に維持することにより、２１０６で右シャッタ１８０４に印加される。例示的な実施形態では、２１０６における右シャッタ１８０４へのキャッチ電圧の印加は所定の期間だけ遅延させられ、この所定の期間中に右シャッタの液晶内部の分子のより高速な回転を可能にする。所定の期間の満了後、引き続くキャッチ電圧の印加は、右シャッタ１８０４内の液晶が右シャッタの開状態の間に過度に回転することを阻止する。
【０１６７】
代替的に、２１０４において、ＣＰＵ１８２０が、左シャッタ１８０２は開き、右シャッタ１８０４は閉じるべきであることを受信された同期信号が指示すると判定した場合、ＣＰＵは、右シャッタ１８０４に高電圧を印加し、左シャッタ１８０２には電圧を印加せず、続いて、小さいキャッチ電圧を印加するため、２１０８で、制御信号Ａ、Ｂ、Ｃ、ＤおよびＥを左シャッタコントローラ１８０６および右シャッタコントローラ１８０８へ送信する。例示的な実施形態では、２１０８で左シャッタ１８０４に印加される高電圧の大きさは、１５ボルトである。例示的な実施形態では、２１０８で左シャッタ１８０２に印加されるキャッチ電圧の大きさは２ボルトである。例示的な実施形態では、キャッチ電圧は、制御信号Ｄをオープン状態になるように制御し、それにより、分圧器部品Ｒ８およびＲ１０の作動を可能にさせることにより、また制御信号ＥをＨｉｇｈレベルで維持することにより、２１０８で左シャッタ１８０２に印加される。例示的な実施形態では、２１０８における左シャッタ１８０２へのキャッチ電圧の印加は所定の期間だけ遅延させられ、この所定の期間中に左シャッタの液晶内部の分子のより高速な回転を可能にする。所定の期間の満了後、引き続くキャッチ電圧の印加は、左シャッタ１８０２内の液晶が左シャッタの開状態の間に過度に回転することを阻止する。
【０１６８】
例示的な実施形態では、方法２１００の間に、左右のシャッタ１８０２および１８０４に印加された電圧は、左右のシャッタの液晶セルへの損傷を防止するため、ステップ２１０６および２１０８のその後の繰り返し中に交互に正および負である。
【０１６９】
よって、方法２１００は、３Ｄ眼鏡１８００のためのノーマル作動モードまたはラン作動モードを提供する。
【０１７０】
次に図２３および２４を参照すると、例示的な実施形態では、３Ｄ眼鏡１８００の作動中に、３Ｄ眼鏡はウォームアップ作動方法２３００を実施し、この方法では、ＣＰＵ１８１０によって発生された制御信号Ａ、Ｂ、Ｃ、ＤおよびＥは、次に左右のシャッタ１８０２および１８０４の作動を制御するために左右のシャッタコントローラ１８０６および１８０８の作動を制御するため使用される。
【０１７１】
２３０２で、３Ｄ眼鏡のＣＰＵ１８１０は３Ｄ眼鏡のパワーオンをチェックする。例示的な実施形態では、３Ｄ眼鏡１８１０は、パワーオン・スイッチを起動するユーザまたは自動ウェイクアップ・シーケンスのいずれかによってパワーオンされてもよい。３Ｄ眼鏡１８１０のパワーオンの場合、３Ｄ眼鏡のシャッタ１８０２および１８０４は、例えば、ウォームアップ・シーケンスを必要としてもよい。ある一定期間のための電力をもたないシャッタ１８０２および１８０４の液晶セルは、不定状態にあってもよい。
【０１７２】
３Ｄ眼鏡１８００のＣＰＵ１８１０が２３０２で３Ｄ眼鏡のパワーオンを検出した場合、ＣＰＵは、２３０４で、交番電圧信号２３０４ａおよび２３０４ｂをそれぞれシャッタ１８０２および１８０４に印加する。例示的な実施形態では、左右のシャッタ１８０２および１８０４に印加される電圧は、シャッタの液晶セルの中のイオン化問題を回避するために正と負のピーク値の間で交番される。例示的な実施形態では、電圧信号２３０４ａおよび２３０４ｂは少なくとも部分的に互いに位相がずれてもよい。例示的な実施形態では、電圧信号２３０４ａおよび２３０４ｂのうちの一方または両方は、ゼロ電圧とピーク電圧との間で交番させられてもよい。例示的な実施形態では、シャッタの液晶セルが不定作動状態に入れられるように、他の形式の電圧信号が左右のシャッタ１８０２および１８０４に印加されてもよい。例示的な実施形態では、電圧信号２３０４ａおよび２３０４ｂの左右のシャッタ１０６および１０８への印加は、同時または異なる時のいずれかでシャッタを開閉させる。代替的に、左右のシャッタ１８０２および１８０４への電圧信号２３０４ａおよび２３０４ｂの印加は、シャッタを閉じた状態に保ってもよい。
【０１７３】
電圧信号２３０４ａおよび２３０４ｂの左右のシャッタ１８０２および１８０４への印加中に、ＣＰＵ１８１０は２３０６でウォームアップ・タイムアウトをチェックする。ＣＰＵ１８１０が２３０６でウォームアップ・タイムアウトを検出した場合、ＣＰＵは２３０８で電圧信号２３０４ａおよび２３０４ｂの左右のシャッタ１８０２および１８０４への印加を停止する。
【０１７４】
例示的な実施形態では、２３０４および２３０６で、ＣＰＵ１８１０は、シャッタの液晶セルを始動させるために十分な期間にわたって電圧信号２３０４ａおよび２３０４ｂを左右のシャッタ１８０２および１８０４へ印加する。例示的な実施形態では、ＣＰＵ１８１０は、２秒間にわたって、電圧信号２３０４ａおよび２３０４ｂを左右のシャッタ１８０２および１８０４へ印加する。例示的な実施形態では、電圧信号２３０４ａおよび２３０４ｂの最大の大きさは１５ボルトとしてもよい。例示的な実施形態では、２３０６においてタイムアウト期間は２秒としてもよい。例示的な実施形態では、電圧信号２３０４ａおよび２３０４ｂの最大の大きさは１５ボルトより大きくしても小さくしてもよく、タイムアウト期間は長くしても短くしてもよい。例示的な実施形態では、方法２３００の間に、ＣＰＵ１８１０は、映画を見るときに使用される場合とは異なるレートで左右のシャッタ１８０２および１８０４を開閉してもよい。例示的な実施形態では、２３０４において、左右のシャッタ１８０２および１８０４に印加される電圧信号は交番することがなく、ウォームアップ期間中、一定に印加されるので、シャッタの液晶セルはウォームアップ期間の全体にわたって不透明状態を維持してもよい。例示的な実施形態では、ウォームアップ方法２３００は、同期信号の有無にかかわらず行われてもよい。よって、方法２３００は、３Ｄ眼鏡１８００にウォームアップ作動モードを提供する。例示的な実施形態では、ウォームアップ方法２３００を実施した後、３Ｄ眼鏡１８００はノーマル作動モードまたはラン作動モードに入り、その後、方法２１００を実施してもよい。代替的に、例示的な実施形態では、ウォームアップ方法２３００を実施した後、３Ｄ眼鏡１８００は、クリア作動モードに入れられ、その後、後述される方法２５００を実施してもよい。
【０１７５】
次に図２５および２６を参照すると、例示的な実施形態では、３Ｄ眼鏡１８００の作動中に、３Ｄ眼鏡は作動方法２５００を実施し、この方法では、ＣＰＵ１８１０によって発生された制御信号Ａ、Ｂ、Ｃ、ＤおよびＥは、信号センサ１８１４によって受信された同期信号に応じて、次に左右のシャッタ１８０２および１８０４の作動を制御するために、左右のシャッタコントローラ１８０６および１８０８の作動を制御するため使用される。
【０１７６】
ＣＰＵ１８１０は、２５０２で、信号センサ１８１４によって検出された同期信号が有効であるか、または、無効であるかを調べるためにチェックする。ＣＰＵ１８１０が、２５０２で同期信号は無効であると判定した場合、ＣＰＵは、２５０４で、電圧信号２５０４ａおよび２５０４ｂを３Ｄ眼鏡１８００の左右のシャッタ１８０２および１８０４に印加する。例示的な実施形態では、左右のシャッタ１８０２および１８０４に印加された電圧２５０４ａおよび２５０４ｂは、シャッタの液晶セルにおけるイオン化問題を回避するために正と負のピーク値の間で交番される。例示的な実施形態では、電圧信号２５０４ａおよび２５０４ｂのうちの一方または両方は、ゼロ電圧とピーク電圧との間で交番されてもよい。例示的な実施形態では、シャッタの液晶セルが開いた状態を維持し、その結果、３Ｄ眼鏡１８００のユーザがシャッタを通して普通に見ることができるように、他の形式の電圧信号が左右のシャッタ１８０２および１８０４に印加されてもよい。例示的な実施形態では、電圧信号２５０４ａおよび２５０４ｂの左右のシャッタ１８０２および１８０４への印加は、シャッタを開く。
【０１７７】
電圧信号２５０４ａおよび２５０４ｂの左右のシャッタ１８０２および１８０４への印加中に、ＣＰＵ１８１０は２５０６で透明化タイムアウトをチェックする。ＣＰＵ１８１０が２５０６で透明化タイムアウトを検出した場合、ＣＰＵ１８１０は、２５０８で、電圧信号２５０４ａおよび２５０４ｂのシャッタ１８０２および１８０４への印加を停止する。
【０１７８】
よって、例示的な実施形態では、３Ｄ眼鏡１８００が有効な同期信号を検出しない場合、３Ｄ眼鏡は透明作動モードに進み、方法２５００を実施してもよい。透明作動モードにおいて、例示的な実施形態では、３Ｄ眼鏡１８０２の両方のシャッタ１８０４および１８００は、観察者が３Ｄ眼鏡のシャッタを通して普通に見ることができるように開いた状態を保つ。例示的な実施形態では、正負に交番する定電圧が、３Ｄ眼鏡１８００のシャッタ１８０２および１８０４の液晶セルを透明状態に維持するために印加される。定電圧は、例えば、２−３ボルトのレンジに入り得るが、定電圧は適度に透明なシャッタを維持するために適する任意の他の電圧でもあり得る。例示的な実施形態では、３Ｄ眼鏡１８００のシャッタ１８０２および１８０４は、３Ｄ眼鏡が暗号信号を確認することができるまで、および／または、透明化モード・タイムアウトまで透明状態を保ってもよい。例示的な実施形態では、３Ｄ眼鏡１８００のシャッタ１８０２および１８０４は、３Ｄ眼鏡が暗号信号を確認することができるまで透明状態を保ってもよく、その後、方法２１００を実施してもよく、および／または、タイムアウトが２５０６で発生した場合、方法９００を実施してもよい。例示的な実施形態では、３Ｄ眼鏡１８００のシャッタ１８０２および１８０４は、３Ｄ眼鏡のユーザが普通に見ることができるレートで交互に開閉してもよい。
【０１７９】
よって、方法２５００は、３Ｄ眼鏡１８００の作動を透明化する方法を提供し、それによって、クリア作動モードを提供する。
【０１８０】
次に図２７および２８を参照すると、例示的な実施形態では、３Ｄ眼鏡１８００の作動中に、３Ｄ眼鏡はバッテリ１２０を監視する方法２７００を実施し、この方法では、ＣＰＵ１８１０によって発生された制御信号Ａ、Ｂ、Ｃ、ＤおよびＥは、バッテリセンサ１８１２によって検出されるようなバッテリ１２０の条件に応じて、次に左右のシャッタ１８０２および１８０４の作動を制御するために、左右のシャッタコントローラ１８０６および１８０８の作動を制御するため使用される。
【０１８１】
２７０２で、３Ｄ眼鏡のＣＰＵ１８１０は、バッテリ１２０の残存耐用期間を判定するためにバッテリセンサ１８１２を使用する。３Ｄ眼鏡１８００のＣＰＵ１８１０が、２７０２でバッテリ１２０の残存耐用期間が適切でないと判定した場合、ＣＰＵは２７０４で低バッテリ寿命条件の指標を与える。
【０１８２】
例示的な実施形態では、不適切な残存バッテリ寿命は３時間未満の任意の期間としてもよい。例示的な実施形態では、適切な残存バッテリ寿命は、３Ｄ眼鏡１８００の製造業者によってプリセットされてもよく、および／または、３Ｄ眼鏡のユーザによってプログラムされてもよい。
【０１８３】
例示的な実施形態では、２７０４で、３Ｄ眼鏡１８００のＣＰＵ１８１０は、３Ｄ眼鏡の左右のシャッタ１８０２および１８０４をゆっくりブリンクすること、３Ｄ眼鏡のユーザの目に見える適度なレートでシャッタを同時にブリンクすること、インジケータ光を点滅すること、可聴音を発生することなどによって低バッテリ寿命条件を指示する。
【０１８４】
例示的な実施形態では、３Ｄ眼鏡１８００のＣＰＵ１８１０が、残存バッテリ寿命が指定された期間にわたって持続するために不十分であることを検出した場合、３Ｄ眼鏡のＣＰＵは、２７０４で低バッテリ条件を指示し、その後、ユーザが３Ｄ眼鏡をオンにすることを阻止する。
【０１８５】
例示的な実施形態では、３Ｄ眼鏡１８００のＣＰＵ１８１０は、３Ｄ眼鏡がオフ作動モードおよび／またはクリア作動モードに遷移するとき常に残存バッテリ寿命が適切であるかどうかを判定する。
【０１８６】
例示的な実施形態では、３Ｄ眼鏡１８００のＣＰＵ１８１０は、バッテリが少なくとも所定の適切な期間にわたって持続することを判定した場合、３Ｄ眼鏡は正常に作動し続ける。正常に作動することは、例えば、信号送信機１１０からの有効な信号をチェックしながら５分間にわたってクリア動作モードに留まることと、その後、オフモード、または、３Ｄ眼鏡１０４が定期的にウェイクアップして信号送信機からの信号をチェックするターンオンモードに進むこととを含んでもよい。
【０１８７】
例示的な実施形態では、３Ｄ眼鏡１８００のＣＰＵ１８１０は、３Ｄ眼鏡を止める直前に低バッテリ条件をチェックする。例示的な実施形態では、バッテリ１２０が所定の適切な残存耐用期間にわたって持続しない場合、シャッタ１８０２および１８０４はゆっくりブリンクし始める。
【０１８８】
例示的な実施形態では、バッテリ１２０が所定の適切な残存態様期間にわたって持続しない場合、シャッタ１８０２および／または１８０４は不透明条件に入り、すなわち、液晶セルは２秒間にわたって閉じ、その後、透明条件に入り、すなわち、液晶セルは、１０分の１秒間にわたって開く。シャッタ１８０２および／または１８０４が開閉する期間は、どのような期間でもよい。典型的な実施形態では、シャッタ１８０２および１８０４の点滅は、信号センサ１８１４への電力供給と同期させられ、信号センサが信号送信機１１０からの信号をチェックすることを可能にする。
【０１８９】
例示的な実施形態では、３Ｄ眼鏡１８００は、ウォームアップ中、ノーマル作動中、クリアモード中、パワーオフ・モード中、または、いずれかの条件の間の遷移時を含むいかなる時に低バッテリ条件をチェックしてもよい。例示的な実施形態では、低バッテリ寿命条件が、観察者が映画を見ている最中である可能性が高いときに検出された場合、３Ｄ眼鏡１８００は低バッテリ条件を直ちに指示しなくてもよい。
【０１９０】
一部の実施形態では、３Ｄ眼鏡１８００のＣＰＵ１８１０が低バッテリレベルを検出した場合、ユーザは３Ｄ眼鏡の電源をオンにすることができない。
【０１９１】
次に図２９を参照すると、例示的な実施形態では、３Ｄ眼鏡１８００の作動中に、３Ｄ眼鏡は３Ｄ眼鏡をシャットダウンする方法を実施し、この方法では、ＣＰＵ１８１０によって発生された制御信号Ａ、Ｂ、Ｃ、ＤおよびＥは、バッテリセンサ１８１２によって検出されるようなバッテリ１２０の条件に応じて、次に左右のシャッタ１８０２および１８０４の作動を制御するために、左右のシャッタコントローラ１８０６および１８０８の作動を制御するため使用される。より詳細には、３Ｄ眼鏡１８００のユーザが３Ｄ眼鏡のシャットダウンを選択した場合、または、ＣＰＵ１８１０が３Ｄ眼鏡のシャットダウンを選択した場合、３Ｄ眼鏡の左右のシャッタ１８０２および１８０４に印加される電圧はどちらもゼロに設定される。
【０１９２】
図３０、３０ａ、３０ｂおよび３０ｃを参照すると、後述されている点を除いて、これまでに図示され説明された３Ｄ眼鏡１０４と設計および作動の点で実質的に同一である３Ｄ眼鏡３０００の例示的な実施形態が記載されている。３Ｄ眼鏡３０００は、左シャッタ３００２と、右シャッタ３００４と、左シャッタコントローラ３００６と、右シャッタコントローラ３００８と、共通シャッタコントローラ３０１０と、ＣＰＵ３０１２と、信号センサ３０１４と、チャージポンプ３０１６と、電圧供給源３０１８とを含む。例示的な実施形態では、３Ｄ眼鏡３０００の左シャッタ３００２と、右シャッタ３００４と、左シャッタコントローラ３００６と、右シャッタコントローラ３００８と、ＣＰＵ３０１２と、信号センサ３０１４と、チャージポンプ３０１６との設計および作動は、後述され、本明細書中に図示されている点を除いて、これまでに説明され図示された３Ｄ眼鏡１０４の左シャッタ１０６と、右シャッタ１０８と、左シャッタコントローラ１１６と、右シャッタコントローラ１１８と、ＣＰＵ１１４と、信号センサ１１２と、チャージポンプ１７００と実質的に同一である。
【０１９３】
例示的な実施形態では、３Ｄ眼鏡３０００は以下の部品を含む。
【表５】
2011217375.tif 000007
【０１９４】
例示的な実施形態では、左シャッタコントローラ３００６は、デジタル制御型アナログスイッチＵ４を含む共通コントローラ３０１０とＣＰＵ３０１２との制御下で、作動モードに依存して、左シャッタの作動を制御するため、左シャッタ３００２の両端に電圧を印加するデジタル制御型アナログスイッチＵ１を含む。同様に、右シャッタコントローラ３００８は、共通コントローラ３０１０とＣＰＵ３０１２との制御下で、作動モードに依存して、右シャッタ３００４の作動を制御するため、右シャッタ３００４の両端に電圧を印加するデジタル制御型アナログスイッチＵ６を含む。例示的な実施形態では、Ｕ１、Ｕ４およびＵ６は、ユニソニックテクノロジー社から部品番号ＵＴＣ４０５３として入手できる従来の市販されているデジタル制御型アナログスイッチである。
【０１９５】
当業者であれば理解できるように、ＵＴＣ４０５３デジタル制御型アナログスイッチは、制御入力信号Ａ、Ｂ、ＣおよびＩＮＨＩＢＩＴ（ＩＮＨ）と、スイッチＩ／Ｏ信号Ｘ０、Ｘ１、Ｙ０、Ｙ１、Ｚ０およびＺ１と、出力信号Ｘ、ＹおよびＺとを含み、以下の真理値表を更に提供する。
【表６】
2011217375.tif 000008
そして、図３１に示されるように、ＵＴＣ４０５３デジタル制御型アナログスイッチは、機能図３１００を更に提供する。よって、ＵＴＣ４０５３は、１つずつが３つの独立したスイッチを有し、左右のシャッタコントローラ３００６および３００８と、共通シャッタコントローラ３０１０とが、シャッタの作動を制御するために、ＣＰＵ３０１２の制御下で、左右のシャッタ３００２および３００４の両端に選択的に制御型電圧を印加することを可能にするデジタル制御型アナログスイッチを提供する。
【０１９６】
例示的な実施形態では、ＣＰＵ３０１２は、左右のシャッタコントローラ３００６および３００８と、共通シャッタコントローラ３０１０とのデジタル制御型アナログスイッチＵ１、Ｕ６およびＵ４の作動を制御する出力信号Ａ、Ｂ、Ｃ、Ｄ、Ｅ、ＦおよびＧを発生するマイクロコントローラＵ２を含む。
【０１９７】
マイクロコントローラＵ２の出力制御信号Ａ、Ｂ、Ｃ、Ｄ、Ｅ、ＦおよびＧは、以下の入力制御信号Ａ、Ｂ、ＣおよびＩＮＨをデジタル制御型アナログスイッチＵ１、Ｕ６およびＵ４の１つずつに供給する。
【表７】
2011217375.tif 000009
【０１９８】
例示的な実施形態では、Ｕ１の入力制御信号ＩＮＨは接地され、Ｕ６の入力信号ＣおよびＩＮＨは接地されている。
【０１９９】
例示的な実施形態では、デジタル制御型アナログスイッチＵ１、Ｕ６およびＵ４のスイッチＩ／Ｏ信号Ｘ０、Ｘ１、Ｙ０、Ｙ１、Ｚ０およびＺ１は以下の入力が与えられる。
【表８】
2011217375.tif 000010
【０２００】
例示的な実施形態では、ＣＰＵ３０１２のマイクロコントローラＵ２は、マイクロチップ社から市販されているモデル番号ＰＩＣ１６Ｆ６３６プログラマブルマイクロコントローラである。
【０２０１】
例示的な実施形態では、信号センサ３０１４は、信号送信機１１０による同期信号および／またはコンフィギュレーションデータを含む信号の伝送を検知するフォトダイオードＤ３を含む。例示的な実施形態では、フォトダイオードＤ３は、オスラム社から市販されているモデルＢＰ１０４ＦＳフォトダイオードである。例示的な実施形態では、信号センサ３０１４は、演算増幅器Ｕ５−１、Ｕ５−２およびＵ３と、関連した信号条件付け部品である抵抗器Ｒ２、Ｒ３、Ｒ５、Ｒ７、Ｒ８、Ｒ９、Ｒ１０、Ｒ１１、Ｒ１２およびＲ１３、コンデンサＣ１、Ｃ７およびＣ９、ならびに、ショットキーダイオードＤ１およびＤ５とを更に含み、例えば、利得を制御して検知された信号のクリッピングを防止することによって信号を条件付けしてもよい。
【０２０２】
例示的な実施形態では、チャージポンプ３０１６は、チャージポンプを使用して、３Ｖから−１２Ｖまでバッテリ１２０の出力電圧の大きさを増幅する。例示的な実施形態では、チャージポンプ３０１６は、ＭＯＳＦＥＴＱ１と、ショットキーダイオードＤ６と、インダクタＬ１と、ツェナーダイオードＤ７とを含む。例示的な実施形態では、チャージポンプ３０１６の出力信号は、共通シャッタコントローラ３０１０のデジタル制御型アナログスイッチＵ４のスイッチＩ／Ｏ信号Ｘ１およびＹ１への入力信号として供給され、左シャッタコントローラ３００６、右シャッタコントローラ３００８および共通シャッタコントローラ３０１０のデジタル制御型アナログスイッチＵ１、Ｕ６およびＵ４への入力電圧ＶＥＥとして供給される。
【０２０３】
例示的な実施形態では、電圧供給源３０１８は、トランジスタＱ２と、コンデンサＣ５と、抵抗器Ｒ１およびＲ１６とを含む。例示的な実施形態では、電圧供給源３０１８は、共通シャッタコントローラ３０１０のデジタル制御型アナログスイッチＵ４のスイッチＩ／Ｏ信号Ｚ１への入力信号として１Ｖ信号を供給する。例示的な実施形態では、電圧供給源３０１８はグランドリフトを供給する。
【０２０４】
図３２に示されるように、例示的な実施形態では、３Ｄ眼鏡３０００の作動中に、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、左右のシャッタ３００２および３００４の一方または両方の両端に様々な電圧を供給してもよい。より詳細には、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、１）左シャッタ３００２および右シャッタ３００４の一方または両方の両端に正または負の１５ボルトの電圧を供給することがあり、２）左シャッタおよび右シャッタの一方または両方の両端に正または負の２ボルトの電圧を供給することがあり、３）左シャッタおよび右シャッタの一方または両方の両端に３ボルトの電圧を供給することがあり、４）左シャッタおよび右シャッタの一方または両方の両端に０ボルト、すなわち、ニュートラル状態をもたらすことがある。
【０２０５】
例示的な実施形態では、図３２に示されるように、左右のシャッタの両端に印加される出力信号ＸおよびＹを発生するデジタル制御型アナログスイッチＵ１およびＵ６の内部でそれぞれにスイッチの作動を制御することによって、制御信号Ａは左シャッタ３００２の作動を制御し、制御信号Ｂは右シャッタ３００４の作動を制御する。例示的な実施形態では、デジタル制御型アナログスイッチＵ１およびＵ６の１つずつの制御入力ＡおよびＢは互いに接続されているので、２対の入力信号の間のスイッチングが同時に出現し、選択された入力は左右のシャッタ３００２および３００４の端子へ転送される。例示的な実施形態では、ＣＰＵ３０１２からの制御信号Ａはデジタル制御型アナログスイッチＵ１内の前半の２つのスイッチを制御し、ＣＰＵからの制御信号Ｂはデジタル制御型アナログスイッチＵ６内の前半の２つのスイッチを制御する。
【０２０６】
例示的な実施形態では、図３２に示されるように、左右のシャッタ３００２および３００４のそれぞれの端子の１つは常に３Ｖに接続されている。よって、例示的な実施形態では、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、−１２Ｖ、３Ｖ、１Ｖまたは０Ｖのうちのいずれかを左右のシャッタ３００２および３００４の他の端子へもたらすように作動される。その結果、例示的な実施形態では、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、左右のシャッタ３００２および３００４の端子の両端に１５Ｖ、０Ｖ、２Ｖまたは３Ｖのうちのいずれかの電位差を発生させるように作動される。
【０２０７】
例示的な実施形態では、デジタル制御型アナログスイッチＵ６の第３のスイッチは使用されず、第３のスイッチのための端子のすべては接地されている。例示的な実施形態では、デジタル制御型アナログスイッチＵ１の第３のスイッチは省電力のため使用される。
【０２０８】
より詳細には、例示的な実施形態では、図３２に示されるように、制御信号Ｃは、出力信号Ｚを発生するデジタル制御型アナログスイッチＵ１内のスイッチの作動を制御する。この結果、制御信号ＣがデジタルのＨｉｇｈ値であるとき、デジタル制御型アナログスイッチＵ４のための入力信号ＩＮＨは同様にデジタルのＨｉｇｈ値であり、それによって、デジタル制御型アナログスイッチＵ４の出力チャネルのすべてをオフにする。その結果、制御信号Ｃがデジタル式Ｈｉｇｈ値であるとき、左右のシャッタ３００２および３００４は短絡され、それによって、電荷の半分がシャッタ間で転送されることを許可し、それによって、省電力化し、バッテリ１２０の寿命を延長する。
【０２０９】
例示的な実施形態では、左右のシャッタ３００２および３００４を短絡するため制御信号Ｃを使用することにより、閉状態にある一方のシャッタに収集された大量の電荷が、閉状態に進む直前に他のシャッタを部分的に充電するため使用することができるので、バッテリ１２０によって十分に供給される必要がある電荷の量を節約する。
【０２１０】
例示的な実施形態では、ＣＰＵ３０１２によって発生された制御信号ＣがデジタルＨｉｇｈ値であるとき、例えば、−１２Ｖの負に帯電し、その後、閉状態になり、両端に１５Ｖの電位差が生じる左シャッタ３００２のプレートは、負に帯電し、その後、開状態になり、依然として＋１Ｖまで充電され、両端に２Ｖの電位差が生じる右シャッタ３００４のプレートに接続されている。例示的な実施形態では、両方のシャッタ３００２および３００４で正に帯電したプレートは、＋３Ｖまで充電される。例示的な実施形態では、ＣＰＵ３０１２によって発生された制御信号Ｃは、左シャッタ３００２の閉状態の終わり付近で、かつ、右シャッタ３００４の閉状態の直前に、短期間にわたってデジタルＨｉｇｈ値に達する。ＣＰＵ３０１２によって発生された制御信号ＣがデジタルＨｉｇｈ値であるとき、デジタル制御型アナログスイッチＵ４の禁止端子ＩＮＨもまたデジタルＨｉｇｈ値である。その結果、例示的な実施形態では、Ｕ４からの出力チャネルＡ、ＢおよびＣのすべてはオフ状態である。これは、左右のシャッタ３００２および３００４のプレートの両端間に蓄積された電荷がシャッタの間で分散されることを可能にするので、シャッタの両方の間の電位差は、約１７／２Ｖ、すなわち、８．５Ｖである。シャッタ３００２および３００４の一方の端子は、常に３Ｖに接続されているので、シャッタ３００２および３００４の負端子は、この場合、−５．５Ｖである。例示的な実施形態では、ＣＰＵ３０１２によって発生された制御信号Ｃは、その後、デジタルＬｏｗ値に変化し、それによって、シャッタ３００２および３００４の負端子を互いに切り離す。その後、例示的な実施形態では、右シャッタ３００４に対し閉状態が始まり、バッテリ１２０は、デジタル制御型アナログスイッチＵ４を作動させることにより、右シャッタの負端子を−１２Ｖまでさらに充電する。その結果、例示的な実施形態では、約４０％の省電力化が、方法３３００を参照して後述されるように、３Ｄ眼鏡３０００のノーマルラン作動モードで達成された。
【０２１１】
例示的な実施形態では、ＣＰＵ３０１２によって発生された制御信号Ｃは、ＣＰＵによって発生された制御信号ＡまたはＢがＨｉｇｈからＬｏｗ、または、ＬｏｗからＨｉｇｈへ遷移するとき、ＨｉｇｈからＬｏｗに遷移し、それによって、次の左シャッタ開／右シャッタ閉、または、右シャッタ開／左シャッタ閉を開始する短持続時間パルスとして供給される。
【０２１２】
次に図３３および３４を参照すると、例示的な実施形態では、３Ｄ眼鏡３０００の作動中に、３Ｄ眼鏡はノーマルラン作動モード３３００を実行し、ノーマルラン作動モードでは、ＣＰＵ３０１２によって発生された制御信号Ａ、Ｂ、Ｃ、Ｄ、Ｅ、ＦおよびＧが、信号センサ３０１４によって検出された同期信号のタイプに応じて、次に左右のシャッタ３００２および３００４の作動を制御するために、左右のシャッタコントローラ３００６および３００８と、中央シャッタコントローラ３０１０との作動を制御するため使用される。
【０２１３】
より詳細には、３３０２で、ＣＰＵ３０１２が、信号センサ３０１４が同期信号を受信したことを検出した場合、３３０４で、ＣＰＵ３０１２によって発生された制御信号Ａ、Ｂ、Ｃ、Ｄ、Ｅ、ＦおよびＧは、図３２を参照してこれまでに説明されているように、左右のシャッタ３００２および３００４の間で電荷を転送するために、左右のシャッタコントローラ３００６および３００８と、中央シャッタコントローラ３０１０とを制御するため使用される。
【０２１４】
例示的な実施形態では、３３０４で、ＣＰＵ３０１２によって発生された制御信号Ｃは、約０．２ミリ秒間にわたってデジタルＨｉｇｈ値に設定され、それによって、左右のシャッタ３００２および３００４の端子を短絡させ、よって、左右のシャッタの間で電荷を転送する。例示的な実施形態では、３３０４で、ＣＰＵ３０１２によって発生された制御信号Ｃは、約０．２ミリ秒間にわたってデジタルＨｉｇｈ値に設定され、それによって、左右のシャッタ３００２および３００４のより負に帯電した端子を短絡させ、よって、左右のシャッタの間で電荷を転送する。したがって、制御信号Ｃは、制御信号ＡまたはＢがＨｉｇｈからＬｏｗまたはＬｏｗからＨｉｇｈへ遷移するとき、もしくはその前に、ＨｉｇｈからＬｏｗへ遷移する短持続時間パルスとして供給される。その結果、省電力化は、左開／右閉シャッタと左閉／右開シャッタとの間の交番のサイクル中、３Ｄ眼鏡３０００の作動期間に行われる。
【０２１５】
ＣＰＵ３０１２は、その後、３３０６で受信された同期信号のタイプを判定する。例示的な実施形態では、２パルスを含む同期信号は、左シャッタ３００２が開き、右シャッタ３００４が閉じるべきであることを指示し、一方、３パルスを含む同期信号は，右シャッタが開き、左シャッタが閉じるべきであることを指示する。例示的な実施形態では、他の異なる個数および形式の同期信号が左右のシャッタ３００２および３００４の交互の開閉を制御するため使用されてもよい。
【０２１６】
３３０６で、ＣＰＵ３０１２が、受信された同期信号が、左シャッタ３００２は閉じ、右シャッタ３００４は開くべきであることを指示していると判定した場合、ＣＰＵは、右シャッタ３００４の両端に高電圧を印加し、左シャッタ３００２には電圧を印加せず、続いて、小さいキャッチ電圧を印加するため、３３０８で、左右のシャッタコントローラ３００６および３００８と共通シャッタコントローラ３０１０とに制御信号Ａ、Ｂ、Ｃ、Ｄ、Ｅ、ＦおよびＧを送信する。例示的な実施形態では、３３０８で右シャッタ３００４の両端に印加される高電圧の大きさは１５ボルトである。例示的な実施形態では、３３０８で左シャッタ３００２に印加されるキャッチ電圧の大きさは２ボルトである。例示的な実施形態では、制御信号Ｄの作動状態をＬｏｗに制御し、ＬｏｗまたはＨｉｇｈの何れかであってもよい制御信号Ｆの作動状態をＨｉｇｈになるように制御することにより、３３０８においてキャッチ電圧が左シャッタ３００２に印加される。例示的な実施形態では、３３０８における左シャッタ３００２へのキャッチ電圧の印加は所定の期間だけ遅延させられ、左シャッタの液晶内部の分子の高速な回転を可能にする。所定の期間の満了後、引き続くキャッチ電圧の印加は、左シャッタ３００２内の液晶が左シャッタの開状態の間に過度に回転することを阻止する。例示的な実施形態では、３３０８における左シャッタ３００２へのキャッチ電圧の印加は、約１ミリ秒間だけ遅延させられる。
【０２１７】
代替的に、３３０６において、ＣＰＵ３０１２が、左シャッタ３００２は開き、右シャッタ３００４は閉じるべきであることを受信された同期信号が指示すると判定した場合、ＣＰＵは、左シャッタ３００２の両端に高電圧を印加し、右シャッタ３００４には電圧を印加せず、続いて、小さいキャッチ電圧を印加するため、３３１０において、制御信号Ａ、Ｂ、Ｃ、Ｄ、Ｅ、ＦおよびＧを左右のシャッタコントローラ３００６および３００８と、共通シャッタコントローラ３０１０とへ送信する。例示的な実施形態では、３３１０で左シャッタ３００２の両端に印加される高電圧の大きさは、１５ボルトである。例示的な実施形態では、３３１０で、右シャッタ３００４に印加されるキャッチ電圧の大きさは２ボルトである。例示的な実施形態では、制御信号ＦをＨｉｇｈになるように、制御信号ＧをＬｏｗになるように制御することにより、３３１０において、キャッチ電圧が右シャッタ３００４に印加される。例示的な実施形態では、３３１０における右シャッタ３００４へのキャッチ電圧の印加は所定の期間だけ遅延させられ、右シャッタの液晶内部の分子の高速な回転を可能にする。所定の期間の満了後、引き続くキャッチ電圧の印加は、右シャッタ３００４内の液晶が右シャッタの開状態の間に過度に回転することを阻止する。例示的な実施形態では、３３１０における右シャッタ３００４へのキャッチ電圧の印加は、約１ミリ秒間だけ遅延させられる。
【０２１８】
例示的な実施形態では、方法３３００の間に、左右のシャッタ３００２および３００４に印加された電圧は、左右のシャッタの液晶セルへの損傷を防止するため、ステップ３３０８および３３１０のその後の繰り返しにおいて、交互に正および負である。
【０２１９】
よって、方法３３００は、３Ｄ眼鏡３０００のためのノーマル作動モードまたはラン作動モードを提供する。
【０２２０】
次に図３５および３６を参照すると、例示的な実施形態では、３Ｄ眼鏡３０００の作動中に、３Ｄ眼鏡はウォームアップ作動方法３５００を実施し、この方法では、ＣＰＵ３０１２によって発生された制御信号Ａ、Ｂ、Ｃ、Ｄ、Ｅ、ＦおよびＧは、次に左右のシャッタ３００２および３００４の作動を制御するために、左右のシャッタコントローラ３００６および３００８ならびに共通シャッタコントローラ３０１０の作動を制御するため使用される。
【０２２１】
３５０２で、３Ｄ眼鏡のＣＰＵ３０１２は３Ｄ眼鏡のパワーオンをチェックする。例示的な実施形態では、３Ｄ眼鏡３０００は、パワーオン・スイッチを起動するユーザ、自動ウェイクアップ・シーケンスおよび／または、有効な同期信号を検知する信号センサ３０１４のいずれかによってパワーオンされてもよい。３Ｄ眼鏡３０００のパワーオンの場合、３Ｄ眼鏡のシャッタ３００２および３００４は、例えば、ウォームアップ・シーケンスを必要としてもよい。ある一定期間のための電力をもたないシャッタ３００２および３００４の液晶セルは、不定状態にあってもよい。
【０２２２】
３Ｄ眼鏡３０００のＣＰＵ３０１２が３５０２で３Ｄ眼鏡のパワーオンを検出した場合、ＣＰＵは、３５０４で、交番電圧信号を左右のシャッタ３００２および３００４にそれぞれ印加する。例示的な実施形態では、左右のシャッタ３００２および３００４に印加される電圧は、シャッタの液晶セルの中のイオン化問題を回避するために正と負のピーク値の間で交番される。例示的な実施形態では、左右のシャッタ３００２および３００４に印加される電圧信号は少なくとも部分的に互いに位相がずれてもよい。例示的な実施形態では、左右のシャッタ３００２および３００４に印加される電圧信号のうちの一方または両方は、ゼロ電圧とピーク電圧との間で交番させられてもよい。例示的な実施形態では、シャッタの液晶セルが不定作動状態に入れられるように、他の形式の電圧信号が左右のシャッタ３００２および３００４に印加されてもよい。例示的な実施形態では、電圧信号の左右のシャッタ３００２および３００４への印加は、同時または異なる時のいずれかでシャッタを開閉させる。
【０２２３】
電圧信号の左右のシャッタ３００２および３００４への印加中に、ＣＰＵ３０１２は３５０６でウォームアップ・タイムアウトをチェックする。ＣＰＵ３０１２が３５０６でウォームアップ・タイムアウトを検出した場合、ＣＰＵは３５０８で電圧信号の左右のシャッタ３００２および３００４への印加を停止する。
【０２２４】
例示的な実施形態では、３５０４および３５０６で、ＣＰＵ３０１２は、シャッタの液晶セルを始動させるために十分な期間にわたって電圧信号を左右のシャッタ３００２および３００４へ印加する。例示的な実施形態では、ＣＰＵ３０１２は、２秒間にわたって、電圧信号を左右のシャッタ３００２および３００４へ印加する。例示的な実施形態では、左右のシャッタ３００２および３００４に印加される電圧信号の最大の大きさは１５ボルトとしてもよい。例示的な実施形態では、３５０６においてタイムアウト期間は２秒としてもよい。例示的な実施形態では、左右のシャッタ３００２および３００４に印加される電圧信号の最大の大きさは１５ボルトより大きくしても小さくしてもよく、タイムアウト期間は長くしても短くしてもよい。例示的な実施形態では、方法３５００の間に、ＣＰＵ３０１２は、映画を見るときに使用される場合とは異なるレートで左右のシャッタ３００２および３００４を開閉してもよい。例示的な実施形態では、３５０４において、左右のシャッタ３００２および３００４に印加される電圧信号は交番することがなく、ウォームアップ期間中、一定に印加されるので、シャッタの液晶セルはウォームアップ期間の全体にわたって不透明状態を維持してもよい。例示的な実施形態では、ウォームアップ方法３５００は、同期信号の有無にかかわらず行われてもよい。よって、方法３５００は、３Ｄ眼鏡３０００にウォームアップ作動モードを提供する。例示的な実施形態では、ウォームアップ方法３５００を実施した後、３Ｄ眼鏡３０００はノーマル作動モード、ラン作動モードまたはクリア作動モードに入り、その後、方法３３００を実施してもよい。
【０２２５】
次に図３７および３８を参照すると、例示的な実施形態では、３Ｄ眼鏡３０００の作動中に、３Ｄ眼鏡は作動方法３７００を実施し、この方法では、ＣＰＵ３０１２によって発生された制御信号Ａ、Ｂ、Ｃ、Ｄ、Ｅ、ＦおよびＧは、信号センサ３０１４によって受信された同期信号に応じて、次に左右のシャッタ３００２および３００４の作動を制御するために、左右のシャッタコントローラ３００６および３００８と共通シャッタコントローラ３０１０とを制御するため使用される。
【０２２６】
ＣＰＵ３０１２は、３７０２で、信号センサ３０１４によって検出された同期信号が有効であるか、または、無効であるかを調べるためにチェックする。ＣＰＵ３０１２が、３７０２で同期信号は無効であると判定した場合、ＣＰＵは、３７０４で、電圧信号を３Ｄ眼鏡３０００の左右のシャッタ３００２および３００４に印加する。例示的な実施形態では、３７０４で、左右のシャッタ３００２および３００４に印加された電圧は、シャッタの液晶セルにおけるイオン化問題を回避するために正と負のピーク値の間で交番される。例示的な実施形態では、３７０４で、左右のシャッタ３００２および３００４に印加される電圧は、周波数６０Ｈｚを有する矩形波信号を提供するため、正のピーク値と負のピーク値との間で交番される。例示的な実施形態では、矩形波信号は＋３Ｖと−３Ｖとの間で交番する。例示的な実施形態では、３７０４で、左右のシャッタ３００２および３００４に印加される電圧信号の一方または両方は、ゼロ電圧とピーク電圧との間で交番させられてもよい。例示的な実施形態では、電圧信号の、他の周波数を含む他の形式は、３７０４で、シャッタの液晶セルが開いた状態を保ち、その結果、３Ｄ眼鏡３０００のユーザがシャッタを通して普通に見ることができるように、左右のシャッタ３００２および３００４に供給されてもよい。例示的な実施形態では、３７０４における左右のシャッタ３００２および３００４への電圧信号の印加はシャッタを開かせる。
【０２２７】
３７０４での、左右のシャッタ３００２および３００４への電圧信号の印加中、ＣＰＵ３０１２は３７０６で透明化タイムアウトをチェックする。ＣＰＵ３０１２が３７０６で透明化タイムアウトを検出した場合、ＣＰＵ３０１２は、３７０８で、シャッタ３００２および３００４への電圧信号の印加を停止し、その後、３Ｄ眼鏡３０００をオフ作動モードにすることがある。例示的な実施形態では、透明化タイムアウトの期間は、例えば、約４時間までとしてもよい。
【０２２８】
よって、例示的な実施形態では、３Ｄ眼鏡３０００が有効な同期信号を検出しない場合、３Ｄ眼鏡はクリア作動モードに進み、方法３７００を実施してもよい。クリア作動モードにおいて、例示的な実施形態では、３Ｄ眼鏡３０００の両方のシャッタ３００２および３００４は、観察者が３Ｄ眼鏡のシャッタを通して普通に見ることができるように開いた状態を保つ。例示的な実施形態では、正負に交番する定電圧が、３Ｄ眼鏡３０００のシャッタ３００２および３００４の液晶セルを透明状態に維持するために印加される。定電圧は、例えば、２ボルトとし得るが、定電圧は適度に透明なシャッタを維持するために適する任意の他の電圧ともし得る。例示的な実施形態では、３Ｄ眼鏡３０００のシャッタ３００２および３００４は、３Ｄ眼鏡が暗号化信号を有効にすることができるまで、透明状態を維持してもよい。例示的な実施形態では、３Ｄ眼鏡３００２のシャッタ３００４および３０００は、３Ｄ眼鏡のユーザが普通に見ることができるレートで交互に開閉してもよい。
【０２２９】
よって、方法３７００は、３Ｄ眼鏡３０００の作動を透明化する方法を提供し、それによって、クリア作動モードを提供する。
【０２３０】
次に図３９および４１を参照すると、例示的な実施形態では、３Ｄ眼鏡３０００の作動中に、３Ｄ眼鏡は作動方法３９００を実施し、この方法では、ＣＰＵ３０１２によって発生された制御信号Ａ、Ｂ、Ｃ、Ｄ、Ｅ、ＦおよびＧは、左右のシャッタ３００２および３００４間で電荷を転送するため使用される。３９０２で、ＣＰＵ３０１２は、有効な同期信号が信号センサ３０１４によって検出されたかどうかを判定する。ＣＰＵ３０１２が、有効な同期信号が信号センサ３０１４によって検出されたと判定した場合、ＣＰＵは、３９０４で、例示的な実施形態では、約２０マイクロ秒持続する短持続時間パルスの形式で制御信号Ｃを発生する。例示的な実施形態では、方法３９００の間に、シャッタ３００２および３００４間での電荷の転送が、実質的に図３３および３４を参照して上述されているように、制御信号Ｃの短持続時間パルスの間に行われる。
【０２３１】
３９０６で、ＣＰＵ３０１２は、制御信号ＣがＨｉｇｈからＬｏｗへ遷移したかどうかを判定する。ＣＰＵ３０１２が、制御信号ＣがＨｉｇｈからＬｏｗへ遷移したと判定した場合、ＣＰＵは、３９０８で、制御信号ＡまたはＢの状態を変化させ、その後、３Ｄ眼鏡３０００は、例えば、図３３および３４を参照して、これまでに説明され図示されたように、３Ｄ眼鏡の通常の作動を継続してもよい。
【０２３２】
図３０ａ、４０および４１を参照して、例示的な実施形態では、３Ｄ眼鏡３０００の作動中に、３Ｄ眼鏡は作動方法４０００を実施し、この方法では、ＣＰＵ３０１２によって発生された制御信号ＲＣ４およびＲＣ５は、図３２、３３、３４、３５および３６を参照して、これまでに説明され図示されたように、３Ｄ眼鏡３０００のノーマル作動モードまたはウォームアップ作動モードの間に、チャージポンプ３０１６を作動させるため使用される。４００２で、ＣＰＵ３０１２は、有効な同期信号が信号センサ３０１４によって検出されたかどうかを判定する。ＣＰＵ３０１２が、有効な同期信号が信号センサ３０１４によって検出されたと判定した場合、ＣＰＵは、４００４で、短持続時間パルスの系列の形式で制御信号ＲＣ４を発生する。
【０２３３】
例示的な実施形態では、制御信号ＲＣ４のパルスは、コンデンサ両端の電位が所定のレベルに達するまで電荷をコンデンサＣ１３へ転送するため、トランジスタＱ１の作動を制御する。より詳細には、制御信号ＲＣ４がＬｏｗ値に切り替わるとき、トランジスタＱ１は、インダクタＬ１をバッテリ１２０に接続する。その結果、インダクタＬ１はバッテリ１２０からのエネルギーを蓄積する。その後、制御信号ＲＣ４がＨｉｇｈ値に切り替わるとき、インダクタＬ１に蓄積されたエネルギーはコンデンサＣ１３へ転送される。よって、制御信号ＲＣ４のパルスは、コンデンサＣ１３の両端の電位が所定のレベルに達するまで、電荷をコンデンサＣ１３へ継続的に転送する。例示的な実施形態では、制御信号ＲＣ４は、コンデンサＣ１３の両端の電位が−１２Ｖに達するまで継続する。
【０２３４】
例示的な実施形態では、４００６で、ＣＰＵ３０１２は制御信号ＲＣ５を発生する。その結果、コンデンサＣ１３の両端の電位が増加するのにつれて減少する大きさを有する入力信号ＲＡ３が供給される。より詳細には、コンデンサＣ１３の両端の電位が所定の値に達するとき、ツェナーダイオードＤ７は、電流を導通し始め、それによって、入力制御信号の大きさを縮小する。４００８において、ＣＰＵ３０１２は、入力制御信号ＲＡ３の大きさが所定の値未満であるかどうかを判定する。ＣＰＵ３０１２が、入力制御信号ＲＡ３の大きさは所定の値未満であると判定した場合、４０１０で、ＣＰＵは、制御信号ＲＣ４およびＲＣ５の発生を停止する。その結果、コンデンサＣ１３への電荷の転送が停止する。
【０２３５】
例示的な実施形態では、方法４０００は、３Ｄ眼鏡３０００の作動中に方法３９００の後で実施されてもよい。
【０２３６】
次に図３０ａ、４２および４３を参照すると、例示的な実施形態では、３Ｄ眼鏡３０００の作動中に、３Ｄ眼鏡は作動方法４２００を実施し、この方法では、ＣＰＵ３０１２によって発生された制御信号Ａ、Ｂ、Ｃ、Ｄ、Ｅ、Ｆ、Ｇ、ＲＡ４、ＲＣ４およびＲＣ５は、３Ｄ眼鏡３０００がオフ条件に切り換えられたとき、バッテリ１２０の作動状態を判定するため使用される。４２０２で、ＣＰＵ３０１２は、３Ｄ眼鏡がオフであるかオンであるかを判定する。ＣＰＵ３０１２が、３Ｄ眼鏡３０００はオフであると判定した場合、ＣＰＵは、４２０４で、所定のタイムアウト期間が４２０４で経過したかどうかを判定する。例示的な実施形態では、タイムアウト期間は長さが２秒である。
【０２３７】
ＣＰＵ３０１２が、所定のタイムアウト期間が経過したと判定した場合、ＣＰＵは、４２０６で、所定の事前期間内に信号センサ３０１４によって検出された同期パルスの個数が所定の値を超えるかどうかを判定する。例示的な実施形態では、４２０６において、所定の事前期間は、バッテリ１２０を直近で交換してからの経過時間である。
【０２３８】
ＣＰＵ３０１２が、所定の事前期間内に信号センサ３０１４によって検出された同期パルスの個数が所定の値を超えないと判定した場合、ＣＰＵは、４２０８で、短持続時間パルスとして制御信号Ｅを発生し、４２１０で、短持続時間パルスとして制御信号ＲＡ４を信号センサ３０１４に供給し、４２１２で、制御信号ＡおよびＢの作動状態をそれぞれ切り替える。例示的な実施形態では、所定の事前期間内に信号センサ３０１４によって検出された同期パルスの個数が所定の値を超える場合、これは、バッテリ１２０内の残存電力が低いことを示してもよい。
【０２３９】
代替的に、ＣＰＵ３０１２が所定の事前期間内に信号センサ３０１４によって検出された同期パルスの個数は所定の値を超えると判定した場合、４２１０で、ＣＰＵは、短持続時間パルスとして制御信号ＲＡ４を信号センサ３０１４に供給し、４２１２で、制御信号ＡおよびＢの制御信号の作動状態をそれぞれ切り替える。例示的な実施形態では、所定の事前期間内に信号センサ３０１４によって検出された同期パルスの個数が所定の値を超えない場合、これは、バッテリ１２０内の残存電力が不足していないことを示してもよい。
【０２４０】
例示的な実施形態では、４２０８および４２１２において、切り替わる制御信号ＡおよびＢと、制御信号Ｅの短持続時間パルスとの組み合わせは、制御信号Ｅの短持続時間パルス中を除いて、３Ｄ眼鏡３０００のシャッタ３００２および３００４を閉じる。その結果、例示的な実施形態では、シャッタ３００２および３００４は、３Ｄ眼鏡のシャッタを短時間にわたって点滅させることにより、バッテリ１２０の内部に残存する電力が不足しているという視覚的な指標を３Ｄ眼鏡３０００のユーザに提供する。例示的な実施形態では、４２１０で、短持続時間パルスとして制御信号ＲＡ４を信号センサ３０１４に供給することは、信号センサが供給されたパルスの持続時間中に同期信号を探索し検出することを可能にする。
【０２４１】
例示的な実施形態では、制御信号Ｅの短持続時間パルスの供給をせずに、単に制御信号ＡおよびＢを切り替えることが、３Ｄ眼鏡３０００のシャッタ３００２および３００４を閉じた状態に保つ。その結果、例示的な実施形態では、シャッタ３００２および３００４は、３Ｄ眼鏡のシャッタを短期間にわたって開状態に点滅させないことにより、バッテリ１２０の内部に残存する電力が不足していないという視覚的な指標を３Ｄ眼鏡３０００のユーザに提供する。
【０２４２】
時間順のクロックがない実施形態では、時間は同期パルスの期間から測定されてもよい。ＣＰＵ３０１２は、バッテリが作動し続けてもよい同期パルスの個数のファクタとしてバッテリ１２０内の残存時間を判定し、その後、シャッタ３００２および３００４を開および閉に点滅させることにより、視覚的な指標を３Ｄ眼鏡３０００のユーザに提供してもよい。
【０２４３】
次に図４４〜５５を参照すると、例示的な実施形態では、３Ｄ眼鏡１０４、１８００および３０００のうちの１つ以上は、フレームフロント４４０２と、ブリッジ４４０４と、右テンプル４４０６と、左テンプル４４０８とを含む。例示的な実施形態では、フレームフロント４４０２は、上述されているように３Ｄ眼鏡１０４、１８００および３０００の制御回路および電源を収容し、上述された右ＩＳＳシャッタおよび左ＩＳＳシャッタを保持する右レンズ開口部４４１０および左レンズ開口部４４１２をさらに画定する。例示的な実施形態では、フレームフロント４４０２は、右ウィング４４０２ａおよび左ウィング４４０２ｂを形成するように巻き込む。一部の実施形態では、３Ｄ眼鏡１０４、１８００および３０００の制御回路の少なくとも一部分がウィング４４０２ａおよび４４０２ｂの一方または両方に収容されている。
【０２４４】
例示的な実施形態では、右左のテンプル４４０６および４４０８は、フレームフロント４４０２から延在し、リッジ４４０６ａおよび４４０８ａを含み、各テンプルは、テンプルの遠方端部同士の間隔がテンプルのそれぞれのフレームフロントへの接続部同士の間隔よりも接近している曲がりくねった形状を有する。このように、ユーザが３Ｄ眼鏡１０４、１８００および３０００を着用するとき、テンプル４４０６および４４０８の端部は、ユーザの頭部に沿って進み、所定の位置に保持される。一部の実施形態では、テンプル４４０６および４４０８のスプリングレートは二重曲げによって補強され、一方、リッジ４４０６ａおよび４４０８ａの間隔および奥行きはスプリングレートを制御する。図５５に示されるように、一部の実施形態は、二重曲げ形状を使用せず、むしろ、単純な湾曲型のテンプル４４０６および４４０８を使用する。
【０２４５】
次に図４８〜５５を参照すると、例示的な実施形態では、３Ｄ眼鏡１０４、１８００および３０００のうちの１つ以上のための制御回路は、右ウィング４４０２ａを含むフレームフロントに収容され、バッテリは右ウィング４４０２ａに収容されている。更に、例示的な実施形態では、３Ｄ眼鏡３０００のバッテリ１２０へのアクセスは、右ウィング４４０２ａの内側で、右ウィング４４０２ａに嵌合し、右ウィング４４０２ａと密封係合するＯリングシール４４１６を含むカバー４４１４によって密封された開口部を介して行われる。
【０２４６】
図４９〜５５を参照すると、一部の実施形態では、バッテリは、カバー４４１４およびカバー内側４４１５によって形成されたバッテリカバー組立体の中に位置する。バッテリカバー４４１４は、例えば、超音波溶接によってバッテリカバー内側４４１５に取り付けられることがある。接点４４１７は、バッテリ１２０から、例えば、右ウィング４４０２ａの内側に位置している接点へ電気を伝えるためにカバー内側４４１５から突起することがある。
【０２４７】
カバー内側４４１５は、カバーの内側部分に、円周方向に離間した放射状キーイング要素４４１８を有することがある。カバー４４１４は、カバーの外面に配置された円周方向に離間したディンプル４４２０を有してもよい。
【０２４８】
例示的な実施形態では、図４９〜５１に示されるように、カバー４４１４は、カバーのディンプル４４２０の内部に嵌合し、ディンプル４４２０と係合する複数の突起部４４２１を含むキー４４２２を使用して操作されてもよい。このように、カバー４４１４は、閉じた（またはロックされた）位置から開いた（またはロック解除された）位置まで３Ｄ眼鏡１０４、１８００および３０００の右ウィング４４０２ａに対して回転させられてもよい。よって、３Ｄ眼鏡１０４、１８００および３０００の制御回路およびバッテリは、キー４４２２を使用してカバー４４１４と３Ｄ眼鏡３０００の右ウィング４４０２ａとの係合によって環境から密閉されてもよい。図５５を参照すると、別の実施形態では、キー４４２６が使用されてもよい。
【０２４９】
次に図５６を参照すると、信号センサ５６００の例示的な実施形態は、デコーダ５６０４に操作可能に結合された狭帯域通過フィルタ５６０２を含む。信号センサ５６００は、次に、ＣＰＵ５６０４に操作可能に結合されている。狭帯域通過フィルタ５６０２は、帯域雑音をフィルタ除去し取り除く一方で同期直列データ信号が通過することを許可するため適している通過帯域を有してもよいアナログおよび／またはデジタル帯域通過フィルタでもよい。
【０２５０】
例示的な実施形態では、ＣＰＵ５６０４は、例えば、３Ｄ眼鏡１０４、１８００または３０００のＣＰＵ１１４、ＣＰＵ１８１０、または、ＣＰＵ３０１２でもよい。
【０２５１】
例示的な実施形態では、作動中に、信号センサ５６００は信号送信機５６０６から信号を受信する。例示的な実施形態では、信号送信機５６０６は、例えば、信号送信機１１０でもよい。
【０２５２】
例示的な実施形態では、信号送信機５６０６によって信号センサ５６００へ送信された信号５７００は、クロックパルス５７０４がそれぞれに先行している１つ以上のデータビット５７０２を含む。例示的な実施形態では、信号センサ５６００の作動中に、クロックパルス５７０４がデータの各ビット５７０２に先行するので、信号センサのデコーダ５６０４は、長いデータビット語を容易に復号化できる。よって、信号センサ５６００は、信号送信機５６０６からの同期直列データ伝送を容易に受信し復号化する能力がある。対照的に、非同期データ伝送は、典型的に、効率的および／または誤りのない形で送信し復号化することが難しい。従って、信号センサ５６００は、データ伝送を受信する改良型システムを提供する。更に、信号センサ５６００の作動における同期直列データ伝送の使用は、長いデータビット語が容易に復号化されることを確実にする。
【０２５３】
図５８を参照して、３Ｄ画像のビューイングのためのシステム５８００の例示的な実施形態は、下記に述べる点を除いて、システム１００と実質的に同一である。すなわち、例示的な実施形態では、システム５８００は、表示装置５８０２を含み、表示装置５８０２は、信号送信機５８０４に操作可能に結合された内部クロック５８０２ａを有する。
【０２５４】
例示的な実施形態では、例えば、表示装置５８０２は、例えばシステム５８００のユーザの左右の眼それぞれによるビューイング対象となる左右の画像を表示するように適合されたテレビ、映画スクリーン、液晶ディスプレイ、コンピュータモニタ、または他の表示装置であり得る。例示的な実施形態では、信号送信機５８０４は、表示装置５８０２に操作可能に結合される。表示装置５８０２は、３Ｄ眼鏡の作動を制御するための信号を３Ｄ眼鏡１０４の信号センサ１１２に送信する。例示的な実施形態では、信号送信機５８０４は、信号（例えば、電磁信号、赤外線信号、音響信号および／または無線周波数信号）を送信するように適合される。このような信号は、絶縁導体および／または自由空間を通じて送信してもよいし、しなくてもよい。さらに、例示的な実施形態では、信号送信機５８０４は、１つ以上の信号を同時に送信し得、前記１つ以上の信号は、同じ情報を含んでもよいし、含まなくてもよい。
【０２５５】
図５９を参照して、例示的な実施形態では、システム５８００は、作動方法５９００を実施する。作動方法５９００では、５９０２において、前記システムは、３Ｄ眼鏡１０４の作動を表示装置５８０２と共に初期化すべきかを判定する。例示的な実施形態では、例えば、どちらかの装置の電源がオフからオンとなった場合またはシステムのユーザが３Ｄ眼鏡を表示装置５８０２と共に初期化することを選択した場合、システム５８００は、３Ｄ眼鏡１０４の作動を表示装置５８０２と共に初期化すべきであると判定し得る。
【０２５６】
３Ｄ眼鏡１０４の作動を表示装置５８０２と共に初期化すべきであるとシステムが５９０２において判定した場合、５９０４において、信号送信機５８０４を用いて情報語が表示装置５８０２から送信され、信号センサ１１２によって受信される。例示的な実施形態では、この情報語は、以下のち１つ以上を含み得る：１）表示装置の種類、２）表示装置の動作周波数、３）左シャッタ１０６および右シャッタ１０８のオープンおよびクローズシーケンス、および４）表示装置５８０２によって用いられる３Ｄ表示形式。例示的な実施形態では、その後、この情報語は、左シャッタ１０６および右シャッタ１０８の作動の制御と、３Ｄ眼鏡の装着者が表示装置５８０を用いて３Ｄ画像のビューイングを行うことの可能化との際に３Ｄ眼鏡１０４によって用いられる。例示的な実施形態では、前記情報語は、表示装置５８０２のクロック５８０２ａと、３Ｄ眼鏡のＣＰＵ１１４のクロック１１４ａとの初期同期にも用いられる。このようにして、左シャッタ１０６および右シャッタ１０８のオープンおよびクローズを、各シャッタを通じたビューイングのための対応する画像を初期同期させることができる。
【０２５７】
例示的な実施形態では、その後、システム５８００は、タイムアウト期間が満了したかを５９０６において判定する。前記タイムアウト期間が満了している場合、５９０８において、送信機５８０４は、同期信号を信号センサ１１２に送信する。例示的な実施形態では、前記同期信号は、同期パルスと、同期信号の送信時間と、同期信号の送信の時間遅延とを含む。このようにして、同期信号を用いて、表示装置５８０２のクロック５８０２ａと、３Ｄ眼鏡のＣＰＵ１１４のクロック１１４ａとを同期させる。このようにして、左シャッタ１０６および右シャッタ１０８のオープンおよびクローズと、各シャッタを通じたビューイング対象である対応する画像とを再同期させることができる。
【０２５８】
例示的な実施形態では、同期信号の送信の時間遅延の値がゼロ以外であった場合、３Ｄ眼鏡１０４のＣＰＵ１１４は、その非ゼロ値の同期信号の送信の時間遅延を用いて、ＣＰＵのクロック１１４ａと、表示装置５８０２のクロック５８０２ａとを正確に同期させることができる。例示的な実施形態では、同期信号の送信の時間遅延が非ゼロ値である場合としては、例えば、信号送信機５８０４内の時間遅延に起因して信号センサ１１２への同期信号の送信時間に影響がでた場合がある。このようにして、方法５８００により、ＣＰＵのクロック１１４ａと、ブルートゥースなどの無線周波数通信プロトコル内の表示装置５８０２のクロック５８０２ａとを有効に同期させることができる。
【０２５９】
例示的な実施形態では、システム５８００および／または方法５９００は、前記例示的な実施形態のうち１つ以上の１つ以上の特徴を含み得るかまたは省略し得る。
【０２６０】
ここで図６０ａおよび図６０ｂを参照して、３Ｄ画像のビューイングのためのシステム６０００例示的な実施形態は、下記の点を除いて、システム１００と実質的に同じである。例示的な実施形態では、システム６０００は、信号送信機６００４に操作可能に結合された表示装置６００２を含む。
【０２６１】
例示的な実施形態では、例えば、表示装置６００２は、例えばシステム６０００のユーザの左右の眼それぞれによるビューイング対象となる左右の画像を表示するように適合されたテレビ、映画スクリーン、液晶ディスプレイ、コンピュータモニタ、または他の表示装置であり得る。例示的な実施形態では、信号送信機６００４は、表示装置６００２に操作可能に結合される。表示装置６００２は、３Ｄ眼鏡の作動を制御するための信号を３Ｄ眼鏡１０４の信号センサ１１２に送る。例示的な実施形態では、信号送信機６００４は、信号（例えば、電磁信号、赤外線信号、音響信号および／または無線周波数信号）を送信するように適合される。このような信号は、絶縁導体および／または自由空間を通じて送信してもよいし、しなくてもよい。さらに、例示的な実施形態では、信号送信機６００４は、１つ以上の信号を同時に送信し得る。これらの１つ以上の信号は、同じ情報を含んでもよいし、含まなくてもよい。
【０２６２】
例示的な実施形態では、３Ｄ眼鏡１０４は、ＣＰＵ１１４に操作可能に結合されたメモリ６００６を含み得る。メモリ６００６は、ルックアップテーブル６００６ａを含み得る。ルックアップテーブル６００６ａは、多様な同期プロトコルおよび関連付けられた操作規則６００６ａｂについての識別子６００６ａａを含む。このようにして、３Ｄ眼鏡１０４は、動作時において任意の数の同期プロトコルを用いることができ、これにより、３Ｄ眼鏡を任意の数の表示装置６００２と共に用いることが可能になる。
【０２６３】
例示的な実施形態では、システム６０００の動作時において、システムは、操作方法６１００を実行し得る。操作方法６１００において、３Ｄビューイング眼鏡１０４は、３Ｄ表示装置６００２が６１０２において作動しているかを決定し得る。その後、３Ｄビューイング眼鏡１０４は、６１０４において、３Ｄ表示装置６００２からの同期信号の存在を決定し得る、例示的な実施形態では、６１０４において、３Ｄ眼鏡は、ルックアップテーブル６００６ａを用いて同期信号の有無を決定し、これにより、認識可能な同期信号が表示装置６００２から送信されたかを決定し得る。その後、３Ｄビューイング眼鏡１０４は、６１０６において、表示装置６００２から送信されている同期信号を具体的に特定し得る。例示的な実施形態では、６１０６において、３Ｄ眼鏡は、表示装置６００２から送信された同期信号の識別情報をルックアップテーブル６００６ａを用いて決定し得る。その後、３Ｄビューイング眼鏡１０４は、６１０８において、前記特定された同期信号用の同期プロトコルを用いて、表示装置６００２上の画像の表示と同期して作動し得る。例示的な実施形態では、６１０８において、３Ｄ眼鏡は、ルックアップテーブル６００６ａを用いることにより、同期プロトコルを用いて、表示装置６００２上の画像の表示と同期して作動し得る。
【０２６４】
液晶シャッタは、電圧を液晶に印加することにより回転する液晶を有し、その後、液晶は、１ミリ秒未満に少なくとも２５％の光透過率を達成する。液晶が最大光透過を有するポイントまで回転するとき、デバイスは最大光透過のポイントで液晶の回転を停止させ、その後、所定の期間にわたって最大光透過のポイントで液晶を維持する。機械読み取り可能な媒体に実装されたコンピュータプログラムは、上記実施形態のうちのいずれかを容易に実現するため使用されてもよい
【０２６５】
システムは、第１および第２の液晶シャッタと、第１の液晶シャッタを開くため適合した制御回路とを有する１対の液晶シャッタ眼鏡を使用することにより３次元ビデオ画像を提示する。第１の液晶シャッタは、１ミリ秒未満に最大光透過のポイントまで開くことが可能であり、この時点で、制御回路は第１の液晶シャッタを第１の期間にわたって最大光透過のポイントで維持し、その後、第１の液晶シャッタを閉じるため、キャッチ電圧を印加してもよい。次に、制御回路は、第２の液晶シャッタを開き、ここで、第２の液晶シャッタは、１ミリ秒未満に最大光透過のポイントまで開き、その後、第２の液晶シャッタを第２の期間にわたって最大光透過のポイントで維持し、その後、第２の液晶シャッタを閉じるため、キャッチ電圧を印加する。第１の期間は観察者の第１の眼のための画像の提示に対応し、第２の期間は観察者の第２の眼のための画像の提示に対応する。機械読み取り可能な媒体に実装されたコンピュータプログラムは、本明細書中に記載された上記実施形態のうちのいずれかを容易に実現するため使用されてもよい。
【０２６６】
例示的な実施形態では、制御回路は、第１および第２の期間を判定するために同期信号を使用するように適合している。例示的な実施形態では、キャッチ電圧は２ボルトである。
【０２６７】
例示的な実施形態では、最大光透過のポイントは、３２％を超える光を透過する。
【０２６８】
例示的な実施形態では、エミッタは同期信号を供給し、同期信号は制御回路に液晶シャッタのうちの一方を開かせる。例示的な実施形態では、同期信号は暗号化された信号を含む。例示的な実施形態では、３次元眼鏡の制御回路は、暗号化された信号を承認した後に限り作動する。
【０２６９】
例示的な実施形態では、制御回路は、バッテリセンサを有し、低バッテリ条件の指標を供給するため適合してもよい。低バッテリ条件の指標は、所定の期間にわたって閉じ、その後、所定の期間にわたって開く液晶シャッタでもよい。
【０２７０】
例示的な実施形態では、制御回路は、同期信号を検出し、同期信号を検出した後に液晶シャッタを作動させ始めるため適合している。
【０２７１】
例示的な実施形態では、暗号化された信号は、暗号化された信号を受信するため適合した制御回路を有する１対の液晶眼鏡だけを作動させる。
【０２７２】
例示的な実施形態では、テスト信号は、１対の液晶シャッタ眼鏡を着用している人に見えるレートで液晶シャッタを作動させる。
【０２７３】
例示的な実施形態では、１対の眼鏡は、第１の液晶シャッタを有する第１のレンズと、第２の液晶シャッタを有する第２のレンズを有する。両方の液晶シャッタは、１マイクロ秒未満にわたり開くことが可能である液晶と、第１および第２の液晶を交互に開く制御回路とを有する。液晶シャッタが開くとき、液晶配向は、制御回路がシャッタを閉じるまで、最大光透過のポイントに維持される。
【０２７４】
例示的な実施形態では、キャッチ電圧は最大光透過のポイントで液晶を維持する。最大光透過のポイントは３２％を超える光を透過してもよい。
【０２７５】
例示的な実施形態では、エミッタは同期信号を供給し、同期信号は制御回路に液晶シャッタのうちの一方を開かせる。例示的な実施形態では、同期信号は暗号化された信号を含む。例示的な実施形態では、３次元眼鏡の制御回路は、暗号化された信号を承認した後に限り作動する。例示的な実施形態では、制御回路は、バッテリセンサを有し、低バッテリ条件の指標を供給するため適合してもよい。低バッテリ条件の指標は、所定の期間にわたって閉じ、その後、所定の期間にわたって開く液晶シャッタでもよい。例示的な実施形態では、制御回路は、同期信号を検出し、同期信号を検出した後に液晶シャッタを作動させ始めるため適合している。
【０２７６】
暗号化された信号は、暗号化された信号を受信するため適合した制御回路を有する１対の液晶眼鏡だけを作動させてもよい。
【０２７７】
例示的な実施形態では、テスト信号は、１対の液晶シャッタ眼鏡を着用している人に見えるレートで液晶シャッタを作動させる。
【０２７８】
例示的な実施形態では、３次元ビデオ画像は、液晶シャッタ眼鏡を使用し、１ミリ秒未満にわたって第１の液晶シャッタを開き、第１の期間にわたって最大光透過のポイントで第１の液晶シャッタを維持し、第１の液晶シャッタを閉じ、その後に１ミリ秒未満にわたって第２の液晶シャッタを開き、第２の期間にわたって最大光透過のポイントで第２の液晶シャッタを維持することによって、観察者に提示される。第１の期間は観察者の第１の眼のための画像の提示に対応し、第２の期間は観察者の第２の眼のための画像の提示に対応する。
【０２７９】
例示的な実施形態では、液晶シャッタはキャッチ電圧によって最大光透過のポイントで維持される。キャッチ電圧は２ボルトとすることができる。例示的な実施形態では、最大光透過のポイントは、３２％を超える光を透過する。
【０２８０】
例示的な実施形態では、エミッタは制御回路に液晶シャッタのうちの一方を開かせる同期信号を供給する。例示的な実施形態では、同期信号は暗号化された信号を含む。
【０２８１】
例示的な実施形態では、３次元眼鏡の制御回路は、暗号化された信号を承認した後に限り作動する。
【０２８２】
例示的な実施形態では、バッテリセンサはバッテリ内の電力量を監視する。例示的な実施形態では、制御回路は、バッテリセンサを有し、低バッテリ条件の指標を供給するため適合される。低バッテリ条件の指標は、所定の期間にわたって閉じ、その後、所定の期間にわたって開く液晶シャッタでもよい。
【０２８３】
例示的な実施形態では、制御回路は、同期信号を検出し、同期信号を検出した後に液晶シャッタを作動させ始めるため適合している。例示的な実施形態では、暗号化された信号は、暗号化された信号を受信するため適合した制御回路を有する１対の液晶眼鏡だけを作動させる。
【０２８４】
例示的な実施形態では、テスト信号は、１対の液晶シャッタ眼鏡を着用している人に見えるレートで液晶シャッタを作動させる。
【０２８５】
例示的な実施形態では、３次元ビデオ画像を提供するシステムは、第１の液晶シャッタを有する第１のレンズおよび第２の液晶シャッタを有する第２のレンズを有する１対の眼鏡を含むことがある。液晶シャッタは液晶を有してもよく、１ミリ秒未満にわたって開かれてもよい。制御回路は、第１および第２の液晶シャッタを交互に開き、制御回路がシャッタを閉じるまで液晶配向を最大光透過のポイントで維持してもよい。更に、システムは、バッテリと、バッテリ内の残存電力量を判定する能力があるセンサと、バッテリ内の残存電力量が所定の時間より長く１対の眼鏡が作動するため十分であるかどうかを判定するため適合したコントローラと、眼鏡が所定の時間より長く作動しないかどうかを観察者に信号で知らせるインジケータとを含む低バッテリンジケータを有してもよい。例示的な実施形態では、低バッテリンジケータは、所定のレートで左右の液晶シャッタを開閉する。例示的な実施形態では、所定の時間は３時間より長い。例示的な実施形態では、低バッテリンジケータは、バッテリ内の残存電力量が所定の時間より長く１対の眼鏡が作動するために十分ではないと判定した後、少なくとも３日間作動してもよい。例示的な実施形態では、コントローラは、バッテリ内に残存する同期信号の個数によって時間を測定することによりバッテリ内の残存電力量を決定してもよい。
【０２８６】
３次元ビデオ画像を提供する例示的な実施形態では、画像は、第１の液晶シャッタおよび第２の液晶シャッタを含む１対の３次元ビュー眼鏡を設け、１ミリ秒未満にわたって第１の液晶シャッタを開き、第１の期間にわたって最大光透過のポイントで第１の液晶シャッタを維持し、第１の液晶シャッタを閉じ、その後に１ミリ秒未満にわたって第２の液晶シャッタを開き、第２の期間にわたって最大光透過のポイントで第２の液晶シャッタを維持することによって提供される。第１の期間は観察者の第１の眼のための画像の提示に対応し、第２の期間は観察者の第２の眼のための画像の提示に対応する。この例示的な実施形態では、３次元ビュー眼鏡は、バッテリ内の残存電力量を検知し、バッテリ内の残存電力量が所定の時間より長く１対の眼鏡が作動するため十分であるかどうかを判定し、眼鏡が所定の時間より長く作動しないかどうかに関する低バッテリ信号を観察者に知らせる。インジケータは、所定のレートでレンズを開閉してもよい。バッテリが持続するための所定の時間は、３時間より長い場合がある。例示的な実施形態では、低バッテリンジケータは、バッテリ内の残存電力量が所定の時間より長く１対の眼鏡が作動するため不十分であると判定した後、少なくとも３日間作動する。例示的な実施形態では、コントローラは、バッテリが持続可能である同期信号の個数によって時間を測定することによりバッテリ内の残存電力量を決定する。
【０２８７】
３次元ビデオ画像を提供する例示的な実施形態では、システムは、第１の液晶シャッタを含む第１のレンズおよび第２の液晶シャッタを含む第２のレンズを備える１対の眼鏡を含み、液晶シャッタは液晶と１ミリ秒未満の開時間とを有する。制御回路は第１および第２の液晶シャッタを交互に開いてもよく、液晶配向は、制御回路がシャッタを閉じるまで、最大光透過のポイントで維持される。さらに、同期装置は、第１の眼のため提示された画像に対応する信号を送信する信号送信機と、信号を検知する信号受信機と、画像が第１の眼のため提示される第１の期間中に第１のシャッタを開くため適合した制御回路とを含む。例示的な実施形態では、信号は赤外線光である。
【０２８８】
例示的な実施形態では、信号送信機は信号を反射器へ向けて投影し、この信号は反射器によって反射され、信号受信機は反射された信号を受信する。一部の実施形態では、反射器は映画シアタースクリーンである。例示的な実施形態では、信号送信機は、映画プロジェクタのような画像プロジェクタからタイミング信号を受信する。例示的な実施形態では、信号は無線周波数信号である。例示的な実施形態では、信号は所定の区間でのパルスの系列である。信号が所定の区間でのパルスの系列である例示的な実施形態では、第１の所定の個数のパルスは第１の液晶シャッタを開き、第２の所定の個数のパルスは第２の液晶シャッタを開く。
【０２８９】
３次元画像を提供するための例示的な実施形態では、画像を提供する方法は：第１の液晶シャッタおよび第２の液晶シャッタを含む一対の３次元ビュー眼鏡を設けるステップと、１ミリ秒未満にわたって第１の液晶シャッタを開くステップと、第１の期間にわたって最大光透過のポイントで第１の液晶シャッタを維持するステップと、第１の液晶シャッタを閉じ、その後に１ミリ秒未満にわたって第２の液晶シャッタを開くステップと、第２の期間にわたって最大光透過のポイントで第２の液晶シャッタを維持するステップとを含む。第１の期間は観察者の第１の眼のための画像の提示に対応し、第２の期間は観察者の第２の眼のための画像の提示に対応する。信号送信機は左眼のため提示された画像に対応する信号を送信し、信号を検知することが可能であり、３次元ビュー眼鏡は、第１の液晶シャッタを開くべき時点を判定するため信号を使用することが可能である。例示的な実施形態では、信号は赤外線光である。例示的な実施形態では、信号送信機は、信号を３次元ビュー眼鏡へ向けて反射する反射器へ向けて投影し、この信号は反射器によって信号を反射し、眼鏡の中の信号受信機は反射された信号を受信する。一部の実施形態では、反射器は映画シアタースクリーンである。
【０２９０】
例示的な実施形態では、信号送信機は、画像プロジェクタからタイミング信号を受信する。例示的な実施形態では、信号は無線周波数信号である。例示的な実施形態では、信号は所定の区間でのパルスの系列とすることができる。第１の所定の個数のパルスは第１の液晶シャッタを開くことができ、第２の所定の個数のパルスは第２の液晶シャッタを開くことができる。
【０２９１】
３次元ビデオ画像を提供する例示的な実施形態では、１対の眼鏡は、第１の液晶シャッタを有する第１のレンズおよび第２の液晶シャッタを有する第２のレンズを有し、液晶シャッタは液晶と１ミリ秒未満の開時間とを有する。制御回路は第１および第２の液晶シャッタを交互に開き、液晶配向は、制御回路がシャッタを閉じるまで、最大光透過のポイントで維持される。例示的な実施形態では、同期システムは、１対の眼鏡の前方に位置している反射デバイスと、信号を反射デバイスに向けて送信する信号送信機とを備える。信号は観察者の第１の眼のため提示された画像に対応する。信号受信機は、反射デバイスから反射された信号を検知し、その後、制御回路は、画像が第１の眼のため提示される期間中に第１のシャッタを開く。
【０２９２】
例示的な実施形態では、信号は赤外線光である。一部の実施形態では、反射器は映画シアタースクリーンである。例示的な実施形態では、信号送信機は、画像プロジェクタからタイミング信号を受信する。信号は所定の区間でのパルスの系列でもよい。例示的な実施形態では、信号は所定の区間でのパルスの系列であり、第１の所定の個数のパルスは第１の液晶シャッタを開き、第２の所定の個数のパルスは第２の液晶シャッタを開く。
【０２９３】
３次元ビデオ画像を提供する例示的な実施形態では、画像は、第１の液晶シャッタおよび第２の液晶シャッタを含む１対の３次元ビュー眼鏡を設け、１ミリ秒未満にわたって第１の液晶シャッタを開き、第１の期間にわたって最大光透過のポイントで第１の液晶シャッタを維持し、第１の液晶シャッタを閉じ、その後に１ミリ秒未満にわたって第２の液晶シャッタを開き、第２の期間にわたって最大光透過のポイントで第２の液晶シャッタを維持することによって提供することができる。第１の期間は観察者の第１の眼のための画像の提示に対応し、第２の期間は観察者の第２の眼のための画像の提示に対応する。例示的な実施形態では、送信機は、第１の眼のため提示された画像に対応する赤外線信号を送信する。３次元ビュー眼鏡は赤外線信号を検知し、その後、第１の液晶シャッタの開きを始動させるため赤外線信号を使用する。例示的な実施形態では、信号は赤外線光である。一部の実施形態では、反射器は映画シアタースクリーンである。例示的な実施形態では、信号送信機は、画像プロジェクタからタイミング信号を受信する。タイミング信号は所定の区間でのパルスの系列とすることができる。一部の実施形態では、第１の所定の個数のパルスは第１の液晶シャッタを開き、第２の所定の個数のパルスは第２の液晶シャッタを開く。
【０２９４】
例示的な実施形態では、３次元ビデオ画像を提供するシステムは、第１の液晶シャッタを有する第１のレンズおよび第２の液晶シャッタを有する第２のレンズを有する１対の眼鏡を含み、液晶シャッタは液晶と１ミリ秒未満の開時間とを有する。システムは、第１および第２の液晶シャッタを交互に開き、制御回路がシャッタを閉じるまで、液晶配向を最大光透過のポイントで維持する制御回路を更に有することができる。システムは、信号送信機と、信号受信機と、観察者に見えるレートで第１および第２のシャッタを開閉するため適合したテストシステム制御回路とを更に有してもよい。例示的な実施形態では、信号送信機はプロジェクタからのタイミング信号を受信しない。例示的な実施形態では、信号送信機は赤外線品号を放出する。赤外線信号はパルスの系列とすることができる。別の例示的な実施形態では、信号送信機は無線周波数信号を放出する。無線周波数信号はパルスの系列とすることができる。
【０２９５】
３次元ビデオ画像を提供する例示的な実施形態では、この方法は、第１の液晶シャッタおよび第２の液晶シャッタを備える１対の３次元ビュー眼鏡を設けるステップと、１ミリ秒未満にわたって第１の液晶シャッタを開くステップと、第１の期間にわたって最大光透過のポイントで第１の液晶シャッタを維持するステップと、第１の液晶シャッタを閉じ、その後に１ミリ秒未満にわたって第２の液晶シャッタを開くステップと、第２の期間にわたって最大光透過のポイントで第２の液晶シャッタを維持するステップと、を含む。例示的な実施形態では、第１の期間は観察者の第１の眼のための画像の提示に対応し、第２の期間は観察者の第２の眼のための画像の提示に対応する。例示的な実施形態では、送信機は３次元ビュー眼鏡へ向けてテスト信号を送信することができ、３次元ビュー眼鏡は、その後、３次元眼鏡上のセンサを用いてテスト信号を受信し、その後、テスト信号の結果として第１および第２の液晶シャッタを開閉する制御回路を使用し、液晶シャッタは眼鏡を着用する観察者が観察可能であるレートで開閉する。
【０２９６】
例示的な実施形態では、信号送信機はプロジェクタからのタイミング信号を受信しない。例示的な実施形態では、信号送信機は、パルスの系列とすることができる赤外線信号を放出する。例示的な実施形態では、信号送信機は無線周波数信号を放出する。例示的な実施形態では、無線周波数信号はパルスの系列である。
【０２９７】
３次元ビデオ画像を提供するシステムの例示的な実施形態は、第１の液晶シャッタを有する第１のレンズおよび第２の液晶シャッタを有する第２のレンズを備える１対の眼鏡を含むことができ、液晶シャッタは液晶と１ミリ秒未満の開時間とを有する。システムは、第１および第２の液晶シャッタを交互に開き、最大光透過のポイントで液晶配向を維持し、シャッタを閉じる制御回路を更に含むことができる。例示的な実施形態では、自動オンシステムは信号送信機および信号受信機を備え、制御回路は、第１の所定の時間区間で信号受信機を作動させ、信号受信機が信号送信機から信号を受信しているかどうかを判定し、信号受信機が第２の期間中に信号送信機から信号を受信しない場合、信号受信機を停止させ、信号が信号送信機から信号を受信した場合、信号に対応する区間で第１のシャッタおよび第２のシャッタを交互に開く。
【０２９８】
例示的な実施形態では、第１の期間は少なくとも２秒であり、第２の期間は１００ミリ秒を超えないことができる。例示的な実施形態では、液晶シャッタは、信号受信機が信号送信機から信号を受信するまで開いた状態を維持する。
【０２９９】
例示的な実施形態では、３次元ビデオ画像を提供する方法は、第１の液晶シャッタおよび第２の液晶シャッタを備える１対の３次元ビュー眼鏡を設けるステップと、１ミリ秒未満にわたって第１の液晶シャッタを開くステップと、第１の期間にわたって最大光透過のポイントで第１の液晶シャッタを維持するステップと、第１の液晶シャッタを閉じ、その後に１ミリ秒未満にわたって第２の液晶シャッタを開くステップと、第２の期間にわたって最大光透過のポイントで第２の液晶シャッタを維持するステップと、を含むことができる。例示的な実施形態では、第１の期間は観察者の第１の眼のための画像の提示に対応し、第２の期間は観察者の第２の眼のための画像の提示に対応する。例示的な実施形態では、この方法は、第１の所定の時間区間で信号受信機を作動させるステップと、信号受信機が信号送信機から信号を受信しているかどうかを判定するステップと、信号受信機が第２の期間の範囲内で信号送信機から信号を受信しない場合、信号受信機を停止させるステップと、信号が信号送信機から信号を受信した場合、信号に対応する区間で第１のシャッタおよび第２のシャッタを交互に開くステップとを含むことができる。例示的な実施形態では、第１の期間は少なくとも２秒である。例示的な実施形態では、第２の期間は１００ミリ秒を超えない。例示的な実施形態では、液晶シャッタは、信号受信機が信号送信機から信号を受信するまで開いた状態を維持する。
【０３００】
例示的な実施形態では、３次元ビデオ画像を提供するシステムは、第１の液晶シャッタを有する第１のレンズおよび第２の液晶シャッタを有する第２のレンズを備える１対の眼鏡を含むことができ、液晶シャッタは液晶と１ミリ秒未満の開時間とを有する。システムは、第１および第２の液晶シャッタを交互に開き、制御回路がシャッタを閉じるまで、液晶配向を最大光透過のポイントで維持する制御回路を更に有することができる。例示的な実施形態では、制御回路は、第１の液晶シャッタおよび第２の液晶シャッタを開いた状態に維持するため適合している。例示的な実施形態では、制御回路は、制御回路が同期信号を検出するまでレンズを開いた状態に維持する。例示的な実施形態では、液晶シャッタに印加された電圧は正と負との間で交番する。
【０３０１】
３次元ビデオ画像を提供する装置の一実施形態では、１ミリ秒未満開くことが可能である第１の液晶シャッタと、１ミリ秒未満開くことが可能である第２の液晶シャッタとを備える１対の３次元ビュー眼鏡は、液晶シャッタを透明なレンズにするレートで第１および第２の液晶シャッタを開閉する。一実施形態では、制御回路は、制御回路が同期信号を検出するまで、レンズを開いた状態に維持する。一実施形態では、液晶シャッタは正と負との間で交番する。
【０３０２】
例示的な実施形態では、３次元ビデオ画像を提供するシステムは、第１の液晶シャッタを有する第１のレンズおよび第２の液晶シャッタを有する第２のレンズを備える１対の眼鏡を含むことができ、液晶シャッタは液晶と１ミリ秒未満の開時間とを有する。液晶シャッタは、第１および第２の液晶シャッタを交互に開き、制御回路がシャッタを閉じるまで、液晶を最大光透過のポイントで維持する制御回路を更に有することができる。例示的な実施形態では、エミッタは同期信号を供給することができ、同期信号の一部分は暗号化されている。制御回路に操作可能に結合されているセンサは、同期信号を受信するため適合し、第１および第２の液晶シャッタは、暗号化された信号を受信した後に限り、同期信号に対応したパターンで開閉することができる。
【０３０３】
例示的な実施形態では、同期信号は所定の区間でのパルスの系列である。例示的な実施形態では、同期信号は所定の区間でのパルスの系列であり、第１の所定の個数のパルスは第１の液晶シャッタを開き、第２の所定の個数のパルスは第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、暗号化された信号を受信した後に限り、同期信号に対応したパターンで開閉することができる。
【０３０４】
３次元ビデオ画像を提供する例示的な実施形態では、この方法は、第１の液晶シャッタおよび第２の液晶シャッタを備える１対の３次元ビュー眼鏡を設けるステップと、１ミリ秒未満にわたって第１の液晶シャッタを開くステップと、第１の期間にわたって最大光透過のポイントで第１の液晶シャッタを維持するステップと、第１の液晶シャッタを閉じ、その後に１ミリ秒未満にわたって第２の液晶シャッタを開くステップと、第２の期間にわたって最大光透過のポイントで第２の液晶シャッタを維持するステップと、を含む。例示的な実施形態では、第１の期間は観察者の第１の眼のための画像の提示に対応し、第２の期間は観察者の第２の眼のための画像の提示に対応する。例示的な実施形態では、エミッタは同期信号を供給し、同期信号の一部分は暗号化されている。例示的な実施形態では、センサは、制御回路に操作可能に結合され、同期信号を受信するため適合し、第１および第２の液晶シャッタは、暗号化された信号を受信した後に限り、同期信号に対応したパターンで開閉する。
【０３０５】
例示的な実施形態では、同期信号は所定の区間でのパルスの系列である。例示的な実施形態では、同期信号は所定の区間でのパルスの系列であり、第１の所定の個数のパルスは第１の液晶シャッタを開き、第２の所定の個数のパルスは第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、暗号化された信号を受信した後に限り、同期信号に対応したパターンで開閉することができる。
【０３０６】
３Ｄ眼鏡内において用いられる液晶シャッタを高速で開く方法について、説明してきた。この方法は、液晶をオープン位置まで回転させるステップであって、前記液晶は、少なくとも２５パーセントの光透過率を１ミリ秒未満内に達成する、ステップと、前記液晶が最大光透過ポイントまで回転するのを待機するステップと、前記液晶の前記回転を前記最大光透過のポイントにおいて停止させるステップと、前記液晶を前記最大光透過のポイントにおいてある一定期間にわたって保持するステップとを含む。例示的な実施形態では、前記システムは、対応する第１の液晶シャッタおよび第２の液晶シャッタを有する一対の液晶シャッタと、前記第１の液晶シャッタを開くように適合された制御回路とを含む。前記第１の液晶シャッタは、１ミリ秒未満内に最大光透過のポイントまで開き、前記第１の液晶シャッタを前記最大光透過のポイントにおいて第１の期間にわたって保持するためのキャッチ電圧を印加した後、前記第１の液晶シャッタを閉め、前記第２の液晶シャッタを開く。前記第２の液晶シャッタは、１ミリ秒未満内に最大光透過のポイントまで開き、前記第２の液晶シャッタを前記最大光透過のポイントにおいて第１の期間にわたって保持するためのキャッチ電圧を印加した後、前記第２の液晶シャッタを閉める。前記第１の期間は、前記ユーザの第１の眼に対する画像の提示に対応し、前記第２の期間は、前記ユーザの第２の眼に対する画像の提示に対応する。例示的な実施形態では、前記制御回路は、同期信号を用いて前記第１のおよび第２の期間を判定するように適合される。例示的な実施形態では、前記キャッチ電圧は２ボルトである。例示的な実施形態では、前記最大光透過のポイントは、３２パーセントよりも多くの光を透過する。例示的な実施形態では、前記システムは、同期信号を提供するエミッタをさらに含む。前記同期信号に起因して、前記制御回路は、前記液晶シャッタのうちの１つを開く。例示的な実施形態では、前記同期信号は、暗号化された信号を含む。例示的な実施形態では、前記制御回路は、前記暗号化された信号の承認後にのみ作動する。例示的な実施形態では、前記システムは、バッテリセンサをさらに含む。例示的な実施形態では、前記制御回路は、低バッテリ条件の指標を提供するように適合される。例示的な実施形態では、前記低バッテリ条件の指標は、ある一定期間にわたって閉められた後ある一定期間にわたって開かれる液晶シャッタを含む。例示的な実施形態では、前記制御回路は、同期信号を検出し、前記同期信号の検出後に前記液晶シャッタを作動させるように、適合される。例示的な実施形態では、前記暗号化された信号は、前記暗号化された信号を受信するように適合された制御回路を有する一対の液晶眼鏡のみを作動させる。例示的な実施形態では、前記システムは、テスト信号をさらに含む。前記テスト信号は、前記一対の液晶シャッタ眼鏡を着用している前記ユーザに見えるレートで前記液晶シャッタを作動させる。
【０３０７】
３次元ビデオ画像を提供するシステムについて説明してきた。前記システムは、一対の眼鏡は、第１の液晶シャッタを有する第１のレンズと、第２の液晶シャッタを有する第２のレンズとを含む。前記液晶シャッタはそれぞれ、液晶および１ミリ秒未満のオープン時間と、前記第１の液晶シャッタおよび第２の液晶シャッタを交互に開く制御回路とを有する。前記液晶配向は、前記制御回路が前記シャッタを閉めるまで、最大光透過のポイントにおいて保持される。例示的な実施形態では、キャッチ電圧は、前記液晶を前記最大光透過のポイントにおいて保持する。例示的な実施形態では、前記最大光透過のポイントは、３２パーセントよりも多くの光を透過する。例示的な実施形態では、前記システムは、同期信号を提供するエミッタをさらに含み、前記同期信号は、前記制御回路に前記液晶シャッタのうち１つを開かせる。例示的な実施形態では、前記同期信号は、暗号化された信号を含む。例示的な実施形態では、前記制御回路は、前記暗号化された信号の承認後にのみ作動する。例示的な実施形態では、前記システムは、バッテリセンサをさらに含む。例示的な実施形態では、前記制御回路は、低バッテリ条件の指標を提供するように適合される。例示的な実施形態では、前記低バッテリ条件の指標は、ある一定期間にわたって閉められた後ある一定期間にわたって開かれる液晶シャッタを含む。例示的な実施形態では、前記制御回路は、同期信号を検出し、前記同期信号の検出後に前記液晶シャッタを作動させるように、適合される。例示的な実施形態では、前記暗号化された信号は、前記暗号化された信号を受信するように適合された制御回路を有する一対の液晶眼鏡のみを作動させる。例示的な実施形態では、前記システムは、テスト信号をさらに含む。前記テスト信号は、前記一対の液晶シャッタ眼鏡の着用者が見ることのできるレートで前記液晶シャッタを作動させる。
【０３０８】
３次元ビデオ画像を提供する方法について説明してきた。前記方法は、第１の液晶シャッタを１ミリ秒未満内に開くステップと、前記第１の液晶シャッタを最大光透過のポイントにおいて第１の期間にわたって保持するステップと、前記第１の液晶シャッタを閉めた後に第２の液晶シャッタを１ミリ秒未満内に開くステップと、前記第２の液晶シャッタを最大光透過のポイントにおいて第２の期間にわたって保持するステップとを含む。前記第１の期間は、観察者の第１の眼に対する画像の提示に対応し、前記第２の期間は、観察者の第２の眼に対する画像の提示に対応する。例示的な実施形態では、前記方法は、キャッチ電圧によって前記液晶シャッタを前記最大光透過のポイントにおいて保持するステップをさらに含む。例示的な実施形態では、前記キャッチ電圧は２ボルトである。例示的な実施形態では、前記最大光透過のポイントは、３２パーセントよりも多くの光を透過する。例示的な実施形態では、前記方法は、前記液晶シャッタの作動を制御するための同期信号を送信するステップをさらに含む。例示的な実施形態では、前記同期信号は、暗号化された信号を含む。例示的な実施形態では、前記同期信号は、前記暗号化された信号の承認後にのみ、前記液晶シャッタ制御回路の作動を制御する。例示的な実施形態では、前記方法は、バッテリの電力レベルを感知するステップをさらに含む。例示的な実施形態では、前記方法は、前記バッテリの前記電力レベルの指標を提供するステップをさらに含む。例示的な実施形態では、低バッテリ電力レベルの指標は、ある一定期間にわたって閉められた後ある一定期間にわたって開かれる液晶シャッタを含む。例示的な実施形態では、前記方法は、同期信号を検出した後、前記同期信号の検出後に前記液晶シャッタを作動させるステップをさらに含む。例示的な実施形態では、前記方法は、前記液晶シャッタに対して特別に設計された暗号化信号の受信後にのみ前記液晶シャッタを作動させるステップをさらに含む。例示的な実施形態では、前記方法は、前記観察者が見ることのできるレートで前記液晶シャッタを作動させるテスト信号を提供するステップをさらに含む。
【０３０９】
３Ｄ眼鏡のユーザに３次元ビデオ画像を提供するために、前記３Ｄ眼鏡用のハウジング内の機械読み取り可能な媒体にインストールされたコンピュータプログラムについて説明してきた。前記コンピュータプログラムは、液晶に電圧を印加することにより前記液晶を回転させるステップであって、前記液晶は、少なくとも２５パーセントの光透過率を１ミリ秒未満内に達成する、ステップと、前記液晶が最大光透過ポイントまで回転するのを待機するステップと、前記液晶の前記回転を前記最大光透過のポイントにおいて停止させるステップと、前記液晶を前記最大光透過のポイントにおいてある一定期間にわたって保持するステップとを含む。
【０３１０】
前記３Ｄ眼鏡のユーザに３次元ビデオ画像を提供するために、機械読み取り可能な媒体にインストールされたコンピュータプログラムについて説明してきた。前記コンピュータプログラムは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップとを含む。前記第１の期間は、前記ユーザの第１の眼に対する画像の提示に対応し、前記第２の期間は、前記ユーザの第２の眼に対する画像の提示に対応する。例示的な実施形態では、キャッチ電圧により、前記液晶シャッタは最大光透過のポイントにおいて保持される。例示的な実施形態では、前記キャッチ電圧は２ボルトである。例示的な実施形態では、前記最大光透過のポイントは、３２パーセントよりも多くの光を透過する。例示的な実施形態では、前記コンピュータプログラムは、前記液晶シャッタの作動を制御する同期信号を提供するステップをさらに含む。例示的な実施形態では、前記同期信号は、暗号化された信号を含む。例示的な実施形態では、前記コンピュータプログラムは、前記暗号化された信号の承認後にのみ前記液晶シャッタを作動させるステップをさらに含む。例示的な実施形態では、前記コンピュータプログラムは、バッテリの電力レベルを感知するステップをさらに含む。例示的な実施形態では、前記コンピュータプログラムは、低バッテリ条件の指標を提供するステップを含む。例示的な実施形態では、前記コンピュータプログラムは、液晶シャッタをある一定期間にわたって閉めた後前記液晶シャッタをある一定期間にわたって開くことにより、低バッテリ条件の指標を提供するステップをさらに含む。例示的な実施形態では、前記コンピュータプログラムは、同期信号を検出した後、前記同期信号の検出後に前記液晶シャッタを作動させるステップをさらに含む。例示的な実施形態では、前記コンピュータプログラムは、前記液晶シャッタを制御するステップから具体的に指定された暗号化信号を受信した後にのみ前記液晶シャッタを作動させるステップをさらに含む。例示的な実施形態では、前記コンピュータプログラムは、前記ユーザが見ることのできるレートで前記液晶シャッタを開きかつ閉めるテスト信号を提供するステップをさらに含む。
【０３１１】
液晶シャッタを高速に開くためのシステムについて説明してきた。前記システムは、液晶に電圧を印加することにより前記液晶を回転させる手段であって、前記液晶は、少なくとも２５パーセントの光透過率を１ミリ秒未満内に達成する、手段と、前記液晶が最大光透過ポイントまで回転するのを待機する手段と、前記液晶の前記回転を前記最大光透過のポイントにおいて停止させる手段と、前記液晶を前記最大光透過のポイントにおいてある一定期間にわたって保持する手段とを含む。
【０３１２】
３次元ビデオ画像を提供するシステムについて説明してきた。前記システムは、１ミリ秒未満内に前記第１の液晶シャッタを開く手段と、前記第１の液晶シャッタを最大光透過のポイントにおいて第１の期間にわたって保持する手段と、前記第１の液晶シャッタを閉めた後、前記第２の液晶シャッタを１ミリ秒未満内に開く手段と、前記第２の液晶シャッタを最大光透過のポイントにおいて第２の期間にわたって保持する手段とを含む。前記第１の期間は、観察者の第１の眼に対する画像の提示に対応し、前記第２の期間は、観察者の第２の眼に対する画像の提示に対応する。例示的な実施形態では、前記第１のおよび第２の液晶シャッタのうち少なくとも１つは、キャッチ電圧により、前記最大光透過のポイントにおいて保持される。例示的な実施形態では、前記キャッチ電圧は２ボルトである。例示的な実施形態では、前記最大光透過のポイントは、３２パーセントよりも多くの光を透過する。例示的な実施形態では、前記システムは、同期信号を提供する手段をさらに含む。前記同期信号に起因して、前記液晶シャッタのうち１つが開く。例示的な実施形態では、前記同期信号は、暗号化された信号を含む。例示的な実施形態では、前記システムは、前記暗号化された信号の承認後にのみ前記液晶シャッタを作動させる手段をさらに含む。例示的な実施形態では、前記システムは、バッテリの作動状態を感知する手段をさらに含む。例示的な実施形態では、前記システムは、低バッテリ条件の指標を提供する手段をさらに含む。例示的な実施形態では、前記低バッテリ条件の指標を提供する手段は、液晶シャッタをある一定期間にわたって閉めた後前記液晶シャッタをある一定期間にわたって開く手段を含む。例示的な実施形態では、前記システムは、同期信号を検出する手段と、前記同期信号の検出後に前記液晶シャッタを作動させる手段をさらに含む。例示的な実施形態では、前記システムは、前記液晶シャッタを作動させるために特別に指定された暗号化信号の受信後にのみ前記液晶シャッタを作動させる手段をさらに含む。例示的な実施形態では、前記システムは、前記観察者が見ることのできるレートで前記液晶シャッタを作動させる手段をさらに含む。
【０３１３】
３Ｄ眼鏡内において用いられる液晶シャッタを高速で開く方法について説明してきた。前記方法は、液晶をオープン位置まで回転させるステップと、前記液晶が最大光透過ポイントまで回転するのを待機するステップと、前記液晶の前記回転を前記最大光透過のポイントにおいて停止させるステップと、前記液晶を前記最大光透過のポイントにおいてある一定期間にわたって保持するステップとを含む。前記液晶は、光学的に厚い液晶を含む。
【０３１４】
３次元ビデオ画像を提供する方法について説明してきた。前記方法は、暗号化された同期信号を送信するステップと、前記暗号化された同期信号を遠隔位置において受信するステップと、前記受信された暗号化同期信号の承認後、第１の液晶シャッタを１ミリ秒未満内に開くステップと、前記第１の液晶シャッタを最大光透過のポイントにおいて第１の期間にわたって保持するステップと、前記第１の液晶シャッタを閉めた後に第２の液晶シャッタを１ミリ秒未満内に開くステップと、前記第２の液晶シャッタを最大光透過のポイントにおいて第２の期間にわたって保持するステップと、前記液晶シャッタの開け閉めのためのバッテリ電力を提供するステップと、前記バッテリ電力の電力レベルを感知するステップと、前記液晶シャッタを観察者が見ることのできるレートで開け閉めすることにより、前記バッテリ電力の前記感知された電力レベルの指標を提供するステップとを含む。前記第１の期間は、前記観察者の第１の眼に対する画像の提示に対応する。前記第２の期間は、前記観察者の第２の眼に対する画像の提示に対応する。前記液晶シャッタは、キャッチ電圧により、前記最大光透過のポイントにおいて保持される。
【０３１５】
３次元ビデオ画像を提供するシステムについて説明してきた。前記システムは、第１の液晶シャッタを有する第１のレンズおよび第２の液晶シャッタを有する第２のレンズを含む一対の眼鏡を含む。前記液晶シャッタは、液晶および１ミリ秒未満のオープン時間と、前記第１の液晶シャッタおよび第２の液晶シャッタを交互に開く制御回路とであって、前記液晶配向は、前記制御回路が前記シャッタを閉めるまで、最大光透過のポイントにおいて保持される、制御回路と、前記制御回路に操作可能に結合されたバッテリを含む低バッテリインジケータと、バッテリ内の残存電力量を判定することが可能なセンサと、前記一対の眼鏡を所定時間よりも長く作動させるために前記バッテリ内の残存電力量が十分であるかを判定するように適合されたコントローラと、前記眼鏡が前記所定時間よりも長く作動しない場合、観察者に信号を送るインジケータとを含む。例示的な実施形態では、前記インジケータは、前記左右の液晶シャッタを所定のレートで開け閉めするステップを含む。例示的な実施形態では、前記所定の時間は、３時間よりも長い。例示的な実施形態では、前記一対の眼鏡を前記所定の時間よりの長く作動させるのに前記バッテリ内の残存電力量が不十分であることが判定された後、前記低バッテリインジケータは少なくとも３日間作動する。例示的な実施形態では、前記コントローラは、前記バッテリ内の残存電力量の測定時間を同期パルスの個数によって判定するように、適合される。
【０３１６】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、バッテリ内の残存電力量を感知するステップと、前記一対の３次元ビューイング眼鏡を所定時間よりも長く作動させるのに前記バッテリ内の残存電力量が十分であるか判定するステップと、前記３次元ビューイング眼鏡が前記所定時間よりも長く作動しない場合、観察者に低バッテリ信号を提示するステップとを含む。例示的な実施形態では、前記３次元ビューイング眼鏡が前記所定時間よりも長く作動しない場合、観察者に低バッテリ信号を提示するステップは、前記第１の液晶シャッタおよび第２の液晶シャッタを所定のレートで開け閉めするステップを含む。例示的な実施形態では、前記所定の時間は、３時間よりも長い。例示的な実施形態では、前記３次元ビューイング眼鏡が前記所定時間よりも長く作動しない場合、観察者に低バッテリ信号を提示するステップは、前記一対の３次元ビューイング眼鏡を前記所定の時間よりも長く作動させるのに前記バッテリ内の残存電力量が不十分であると判定された後、低バッテリ信号を観察者に少なくとも３日間提示するステップを含む。例示的な実施形態では、前記方法は、前記バッテリ内の残存電力量を判定するステップをさらに含む。前記判定するステップは、前記３次元ビューイング眼鏡に送信された同期パルスの個数を測定するステップを含む。
【０３１７】
第１の液晶シャッタおよび第２の液晶シャッタを含む一対の３次元ビューイング眼鏡を用いて３次元ビデオ画像を提供するための、機械読み取り可能な媒体にインストールされたコンピュータプログラムについて説明してきた。前記コンピュータプログラムは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、バッテリ内の残存電力量を感知するステップと、前記一対の３次元ビューイング眼鏡を所定時間よりも長く作動させるのに前記バッテリ内の残存電力量が十分であるか判定するステップと、前記３次元ビューイング眼鏡が前記所定時間よりも長く作動しない場合、観察者に低バッテリ信号を提示するステップとを含む。例示的な実施形態では、前記コンピュータプログラムは、前記３次元ビューイング眼鏡が前記所定時間よりも長く作動しない場合、観察者に低バッテリ信号を提示するステップを含む。前記提示するステップは、前記第１の液晶シャッタおよび第２の液晶シャッタを所定のレートで開け閉めするステップを含む。例示的な実施形態では、前記所定の時間は、３時間よりも長い。例示的な実施形態では、前記コンピュータプログラムは、前記３次元ビューイング眼鏡が前記所定時間よりも長く作動しない場合、観察者に低バッテリ信号を提示するステップを含む。前記提示するステップは、前記一対の３次元ビューイング眼鏡を前記所定の時間よりも長く作動させるのに前記バッテリ内の残存電力量が不十分であると判定された後、前記３次元ビューイング眼鏡が前記所定時間よりも長く作動しない可能性があることを示す低バッテリ信号を観察者に少なくとも３日間提示するステップを含む。例示的な実施形態では、前記コンピュータプログラムは、前記３次元ビューイング眼鏡に送信された同期パルスの個数を測定することにより、前記バッテリ内の残存電力量を判定するステップをさらに含む。
【０３１８】
３次元ビデオ画像を提供するシステムについて説明してきた。前記システムは、第１の液晶シャッタおよび第２の液晶シャッタを含む一対の３次元ビューイング眼鏡を設ける手段と、１ミリ秒未満内に前記第１の液晶シャッタを開く手段と、前記第１の液晶シャッタを最大光透過のポイントにおいて第１の期間にわたって保持する手段と、前記第１の液晶シャッタを閉めた後、前記第２の液晶シャッタを１ミリ秒未満内に開く手段と、前記第２の液晶シャッタを最大光透過のポイントにおいて第２の期間にわたって保持する手段であって、前記第１の期間は、観察者の第１の眼に対する画像の提示に対応し、前記第２の期間は、観察者の第２の眼に対する画像の提示に対応する、手段と、バッテリ内の残存電力量を感知する手段と、前記一対の３次元ビューイング眼鏡を所定時間よりも長く作動させるのに前記バッテリ内の残存電力量が十分であるか判定する手段と、前記３次元ビューイング眼鏡が前記所定時間よりも長く作動しない場合、観察者に低バッテリ信号を提示する手段とを含む。例示的な実施形態では、前記低バッテリ信号は、前記第１の液晶シャッタおよび第２の液晶シャッタを所定のレートで開け閉めする手段を含む。例示的な実施形態では、前記所定の時間は、３時間よりも長い。例示的な実施形態では、前記システムは、前記一対の３次元ビューイング眼鏡を前記所定の時間よりも長く作動させるのに前記バッテリ内の残存電力量が不十分であると判定された後、低バッテリ電力を少なくとも３日間にわたって提示する手段をさらに含む。例示的な実施形態では、前記システムは、同期パルスの個数による時間測定により、前記バッテリ内の残存電力量を判定する手段をさらに含む。
【０３１９】
３次元ビデオ画像を提供するシステムについて説明してきた。前記システムは、第１の液晶シャッタを有する第１のレンズおよび第２の液晶シャッタを有する第２のレンズを含む一対の３次元ビューイング眼鏡と、前記第１の液晶シャッタおよび第２の液晶シャッタの作動を制御する制御回路と、前記制御回路に操作可能に結合されたバッテリと、前記制御回路に操作可能に結合された信号センサとを含む。前記制御回路は、前記信号センサによって検出された外部信号の数の関数としての所定時間よりも長く前記一対の３次元ビューイング眼鏡を作動させるのに前記バッテリ内の残存電力量が十分であるかを判定するように適合され、かつ、前記バッテリ内の残存電力量の可視指示を提供するように前記第１の液晶シャッタおよび第２の液晶シャッタを作動させるように適合される。例示的な実施形態では、前記可視指示は、前記第１の液晶シャッタおよび第２の液晶シャッタを所定のレートで開け閉めするステップを含む。
【０３２０】
３次元ビデオ画像を提供する方法について説明してきた。前記方法は、第１の液晶シャッタおよび第２の液晶シャッタを含む一対の３次元ビューイング眼鏡を設けるステップと、前記３次元ビューイング眼鏡に送信された外部信号の数を判定することにより、バッテリ内の残存電力量を感知するステップと、前記一対の３次元ビューイング眼鏡を所定時間よりも長く作動させるのに前記バッテリ内の残存電力量が十分であるか判定するステップと、前記３次元ビューイング眼鏡が前記所定時間よりも長く作動しない場合、観察者に低バッテリ信号を提示するステップとを含む。例示的な実施形態では、前記低バッテリ信号は、前記第１の液晶シャッタおよび第２の液晶シャッタを所定のレートで開け閉めするステップを含む。
【０３２１】
３次元ビデオ画像を提供する第１の液晶シャッタおよび第２の液晶シャッタを含む一対の３次元ビューイング眼鏡の作動において用いられるメモリ素子内に保存されたコンピュータプログラムについて、説明してきた。前記コンピュータプログラムは、前記３次元ビューイング眼鏡に送信された外部信号の数を判定することにより、前記３次元ビューイング眼鏡のバッテリ内の残存電力量を感知するステップと、前記一対の３次元ビューイング眼鏡を所定時間よりも長く作動させるのに前記バッテリ内の残存電力量が十分であるか判定するステップと、前記３次元ビューイング眼鏡が前記所定時間よりも長く作動しない場合、観察者に低バッテリ信号を提示するステップとを含む。例示的な実施形態では、前記低バッテリ信号は、前記第１の液晶シャッタおよび第２の液晶シャッタを所定のレートで開け閉めするステップを含む。
【０３２２】
３次元ビデオ画像を提供する方法について説明してきた。前記方法に含まれる、第１の液晶シャッタおよび第２の液晶シャッタを含む一対の３次元ビューイング眼鏡を設けるステップについて説明してきた。前記ステップは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、バッテリ内の残存電力量を感知するステップと、前記一対の３次元ビューイング眼鏡を所定時間よりも長く作動させるのに前記バッテリ内の残存電力量が十分であるか判定するステップと、前記３次元ビューイング眼鏡が前記所定時間よりも長く作動しない場合、観察者に低バッテリ信号を提示するステップとを含む。前記３次元ビューイング眼鏡が前記所定時間よりも長く作動しない場合、観察者に低バッテリ信号を提示するステップは、前記第１の液晶シャッタおよび第２の液晶シャッタを所定のレートで開け閉めするステップを含む。前記バッテリ内の残存電力量を判定するステップは、前記３次元ビューイング眼鏡に送信された同期パルスの個数を測定するステップを含む。
【０３２３】
３次元ビデオ画像を提供するシステムについて説明してきた。前記システムは、第１の液晶シャッタを有する第１のレンズおよび第２の液晶シャッタを有する第２のレンズを含む一対の眼鏡であって、前記液晶シャッタはそれぞれ、液晶および１ミリ秒未満のオープン時間を有する、一対の眼鏡と、前記第１の液晶シャッタおよび第２の液晶シャッタを交互に開く制御回路であって、前記液晶配向は、前記制御回路が前記シャッタを閉めるまで、最大光透過のポイントにおいて保持される、制御回路と、前記制御回路に操作可能に結合された同期デバイスであって、前記眼鏡のユーザに提示された画像に対応する同期信号を感知する信号受信器を含む、同期デバイスと、前記送信された同期信号の関数として前記画像が提示されている期間の間、前記第１の液晶シャッタまたは前記第２の液晶シャッタを開くように適合された制御回路とを含む。例示的な実施形態では、前記同期信号は、赤外光を含む。例示的な実施形態では、前記システムは、信号送信機をさらに含む。前記信号送信機は、前記同期信号を反射器に向かって発信する。前記同期信号は、前記反射器によって反射される。前記信号受信器は、前記反射された同期信号を検出する。例示的な実施形態では、前記反射器は、映画シアタースクリーンを含む。例示的な実施形態では、前記信号送信機は、画像プロジェクタからタイミング信号を受信する。例示的な実施形態では、前記同期信号は、無線周波数信号を含む。例示的な実施形態では、前記同期信号は、所定の区間においてパルスの系列を含む。例示的な実施形態では、前記同期信号は、所定の区間においてパルスの系列を含み、第１の所定の個数のパルスに起因して前記第１の液晶シャッタが開き、第２の所定の個数のパルスに起因して前記第２の液晶シャッタが開く。例示的な実施形態では、前記同期信号は暗号化される。例示的な実施形態では、前記同期信号は、パルスの系列および前記制御回路のコンフィギュレーションデータを含む。例示的な実施形態では、前記パルスの系列および前記コンフィギュレーションデータのうち少なくとも１つが暗号化される。例示的な実施形態では、前記同期信号は、少なくとも１つのクロックパルスが先行している少なくとも１つのデータビットを含む。例示的な実施形態では、前記同期信号は、同期シリアルデータ信号を含む。例示的な実施形態では、前記同期信号は、前記第１液晶シャッタに対する画像提示と前記第２の液晶シャッタに対する画像提示との間で感知される。
【０３２４】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、前記観察者に提示された前記画像に対応する同期信号を送信するステップと、前記同期信号を感知するステップと、前記同期信号を用いて、前記第１の液晶シャッタまたは前記第２の液晶シャッタを開く時期を判定するステップとを含む。例示的な実施形態では、前記同期信号は、赤外光を含む。例示的な実施形態では、前記方法は、前記同期信号を反射器に向かって発信するステップと、前記同期信号を前記反射器から反射させるステップと、前記反射された同期信号を検出するステップとをさらに含む。例示的な実施形態では、前記方法は、前記同期信号を映画シアタースクリーンから反射させるステップをさらに含む。例示的な実施形態では、前記方法は、画像プロジェクタからタイミング信号を受信するステップをさらに含む。例示的な実施形態では、前記同期信号は、無線周波数信号を含む。例示的な実施形態では、前記同期信号は、所定の区間においてパルスの系列を含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記方法は、前記同期信号を暗号化するステップをさらに含む。例示的な実施形態では、前記同期信号は、パルスの系列および前記制御回路のコンフィギュレーションデータを含む。例示的な実施形態では、前記方法は、前記パルスの系列および前記コンフィギュレーションデータのうち少なくとも１つを暗号化するステップをさらに含む。例示的な実施形態では、前記同期信号は、少なくとも１つのクロックパルスが先行している少なくとも１つのデータビットを含む。例示的な実施形態では、前記同期信号は、同期シリアルデータ信号を含む。例示的な実施形態では、前記同期信号は、前記第１液晶シャッタに対する画像提示と前記第２の液晶シャッタに対する画像提示との間で感知される。
【０３２５】
３次元ビデオ画像を提供するシステムについて説明してきた。前記システムは、第１の液晶シャッタを有する第１のレンズおよび第２の液晶シャッタを有する第２のレンズを含む一対の眼鏡であって、前記液晶シャッタは、液晶および１ミリ秒未満のオープン時間を有する、一対の眼鏡と、前記第１の液晶シャッタおよび第２の液晶シャッタを交互に開く制御回路であって、前記液晶配向は、前記制御回路が前記シャッタを閉めるまで、最大光透過のポイントにおいて保持される、制御回路と、同期システムとを含む。前記同期システムは、前記一対の眼鏡の前方に配置された反射デバイスと、同期信号を前記反射デバイスに向かって送信する信号送信機であって、前記同期信号は、前記眼鏡のユーザに提示された画像に対応する、信号送信機と、前記反射デバイスから反射された前記同期信号を感知する信号受信器と、前記画像が提示されている期間中に前記第１のシャッタまたは前記第２のシャッタを開くように適合された制御回路とを含む。例示的な実施形態では、前記同期信号は、赤外光を含む。例示的な実施形態では、前記反射器は、映画シアタースクリーンを含む。例示的な実施形態では、前記信号送信機は、画像プロジェクタからタイミング信号を受信する。例示的な実施形態では、前記同期信号は、所定の区間においてパルスの系列を含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記同期信号は暗号化される。例示的な実施形態では、前記同期信号は、パルスの系列および前記制御回路のコンフィギュレーションデータを含む。例示的な実施形態では、前記パルスの系列および前記コンフィギュレーションデータのうち少なくとも１つが暗号化される。例示的な実施形態では、前記同期信号は、少なくとも１つのクロックパルスが先行している少なくとも１つのデータビットを含む。例示的な実施形態では、前記同期信号は、同期シリアルデータ信号を含む。例示的な実施形態では、前記同期信号は、前記第１液晶シャッタに対する画像提示と前記第２の液晶シャッタに対する画像提示との間で感知される。
【０３２６】
第１の液晶シャッタおよび第２の液晶シャッタを含む一対の３次元ビューイング眼鏡を用いて３次元ビデオ画像を提供するための、機械読み取り可能な媒体にインストールされたコンピュータプログラムについて説明してきた。前記コンピュータプログラムは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、前記観察者に提示された画像に対応する同期信号を感知するステップと、前記感知された同期信号を用いて、前記第１の液晶シャッタまたは前記第２の液晶シャッタを開く時期を判定するステップとを含む。例示的な実施形態では、前記同期信号は、赤外光を含む。例示的な実施形態では、前記コンピュータプログラムは、前記同期信号を反射器に向かって発信するステップと、前記同期信号を前記反射器から反射させるステップと、前記反射された同期信号を検出するステップとをさらに含む。例示的な実施形態では、前記反射器は、映画シアタースクリーンを含む。例示的な実施形態では、前記コンピュータプログラムは、画像プロジェクタからタイミング信号を受信するステップをさらに含む。例示的な実施形態では、前記同期信号は、無線周波数信号を含む。例示的な実施形態では、前記同期信号は、所定の区間においてパルスの系列を含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記コンピュータプログラムは、前記同期信号を暗号化するステップをさらに含む。例示的な実施形態では、前記同期信号は、パルスの系列および前記制御回路のコンフィギュレーションデータを含む。例示的な実施形態では、前記コンピュータプログラムは、前記パルスの系列および前記コンフィギュレーションデータのうち少なくとも１つを暗号化するステップをさらに含む。例示的な実施形態では、前記同期信号は、少なくとも１つのクロックパルスが先行している少なくとも１つのデータビットを含む。例示的な実施形態では、前記同期信号は、同期シリアルデータ信号を含む。例示的な実施形態では、前記コンピュータプログラムは、前記第１液晶シャッタに対する画像提示と前記第２の液晶シャッタに対する画像提示との間で前記同期信号を感知するステップをさらに含む。
【０３２７】
３次元ビデオ画像を提供するシステムについて説明してきた。前記システムは、第１の液晶シャッタおよび第２の液晶シャッタを含む一対の３次元ビューイング眼鏡を設ける手段と、１ミリ秒未満内に前記第１の液晶シャッタを開く手段と、前記第１の液晶シャッタを最大光透過のポイントにおいて第１の期間にわたって保持する手段と、前記第１の液晶シャッタを閉めた後、前記第２の液晶シャッタを１ミリ秒未満内に開く手段と、前記第２の液晶シャッタを最大光透過のポイントにおいて第２の期間にわたって保持する手段であって、前記第１の期間は、観察者の第１の眼に対する画像の提示に対応し、前記第２の期間は、観察者の第２の眼に対する画像の提示に対応する、手段と、前記観察者に提示された前記画像に対応する同期信号を感知する手段と、前記感知された同期信号を用いて、前記第１の液晶シャッタまたは前記第２の液晶シャッタを開く時期を判定する手段とを含む。例示的な実施形態では、前記同期信号は、赤外光を含む。例示的な実施形態では、前記システムは、前記同期信号を反射器に向かって送信する手段をさらに含む。例示的な実施形態では、前記反射器は、映画シアタースクリーンを含む。例示的な実施形態では、前記送信する手段は、画像プロジェクタからタイミング信号を受信する手段を含む。例示的な実施形態では、前記同期信号は、無線周波数信号を含む。例示的な実施形態では、前記同期信号は、所定の区間においてパルスの系列を含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記システムは、前記同期信号を暗号化する手段をさらに含む。例示的な実施形態では、前記同期信号は、パルスの系列および前記制御回路のコンフィギュレーションデータを含む。例示的な実施形態では、前記システムは、前記パルスの系列および前記コンフィギュレーションデータのうち少なくとも１つを暗号化する手段をさらに含む。例示的な実施形態では、前記同期信号は、少なくとも１つのクロックパルスが先行している少なくとも１つのデータビットを含む。例示的な実施形態では、前記同期信号は、同期シリアルデータ信号を含む。例示的な実施形態では、前記システムは、前記第１液晶シャッタに対する画像提示と前記第２の液晶シャッタに対する画像提示との間で前記同期信号を感知する手段をさらに含む。
【０３２８】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、暗号化された同期信号を反射器に向かって発信するステップと、前記暗号化された同期信号を前記反射器から反射させるステップと、前記反射された暗号化された同期信号を検出するステップと、前記検出された暗号化同期信号を復号化するステップと、前記検出された同期信号を用いて、前記第１の液晶シャッタまたは前記第２の液晶シャッタを開く時期を判定するステップであって、前記同期信号は赤外光を含み、前記同期信号は、パルスの系列およびコンフィギュレーションデータを含み、第１の所定のパルス系列に起因して、前記第１の液晶シャッタが開き、第２の所定のパルス系列に起因して、前記第２の液晶シャッタが開き、前記同期信号は、少なくとも１つのクロックパルスが先行している少なくとも１つのデータビットを含み、前記同期信号は同期シリアルデータ信号を含み、前記同期信号は、前記第１液晶シャッタに対する画像提示と前記第２の液晶シャッタに対する画像提示との間で検出される。
【０３２９】
３次元ビデオ画像を提供するシステムについて説明してきた。前記システムは、第１の液晶シャッタを有する第１のレンズおよび第２の液晶シャッタを有する第２のレンズを含む一対の眼鏡であって、前記液晶シャッタは、液晶および１ミリ秒未満のオープン時間を有する、一対の眼鏡と、前記第１の液晶シャッタおよび第２の液晶シャッタを交互に開く制御回路であって、少なくとも前記液晶シャッタのうち１つの配向は、前記制御回路によって前記液晶シャッタが閉められるまで最大光透過のポイントにおいて保持される、制御回路と、テストシステムとを含む。前記テストシステムは、信号送信機と、信号受信器と、前記第１の液晶シャッタおよび第２の液晶シャッタを観察者が見ることのできるレートで開け閉めするように適合されたテストシステム制御回路とを含む。例示的な実施形態では、前記信号送信機は、プロジェクタからタイミング信号を受信しない。例示的な実施形態では、前記信号送信機は、赤外線信号を発信する。例示的な実施形態では、前記赤外線信号は、パルスの系列を含む。例示的な実施形態では、前記信号送信機は、無線周波数信号を発信する。例示的な実施形態では、前記無線周波数信号は、パルスの系列を含む。
【０３３０】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、テスト信号を前記３次元ビューイング眼鏡に向かって送信するステップと、前記テスト信号を前記３次元眼鏡上のセンサによって受信するステップと、前記受信されたテスト信号の結果、制御回路を用いて前記第１の液晶シャッタおよび第２の液晶シャッタを開け閉めするステップであって、前記液晶シャッタは、前記眼鏡を着用している観察者が観察することができるレートで開け閉めされる、ステップとを含む。例示的な実施形態では、前記信号送信機は、プロジェクタからタイミング信号を受信しない。例示的な実施形態では、前記信号送信機は、赤外線信号を発信する。例示的な実施形態では、前記赤外線信号は、パルスの系列を含む。例示的な実施形態では、前記信号送信機は、無線周波数信号を発信する。例示的な実施形態では、前記無線周波数信号は、パルスの系列を含む。
【０３３１】
第１の液晶シャッタおよび第２の液晶シャッタを含む一対の３次元ビューイング眼鏡を用いて３次元ビデオ画像を提供するための、機械読み取り可能な媒体にインストールされたコンピュータプログラムについて説明してきた。前記コンピュータプログラムは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、テスト信号を前記３次元ビューイング眼鏡に向かって送信するステップと、前記テスト信号を前記３次元眼鏡上のセンサによって受信するステップと、前記受信されたテスト信号の結果、制御回路を用いて前記第１の液晶シャッタおよび第２の液晶シャッタを開け閉めするステップであって、前記液晶シャッタは、前記眼鏡を着用している観察者が観察することができるレートで開け閉めされる、ステップとを含む。例示的な実施形態では、前記信号送信機は、プロジェクタからタイミング信号を受信しない。例示的な実施形態では、前記信号送信機は、赤外線信号を発信する。例示的な実施形態では、前記赤外線信号は、パルスの系列を含む。例示的な実施形態では、前記信号送信機は、無線周波数信号を発信する。例示的な実施形態では、前記無線周波数信号は、パルスの系列を含む。
【０３３２】
３次元ビデオ画像を提供するシステムについて説明してきた。前記システムは、第１の液晶シャッタおよび第２の液晶シャッタを含む一対の３次元ビューイング眼鏡を設ける手段と、１ミリ秒未満内に前記第１の液晶シャッタを開く手段と、前記第１の液晶シャッタを最大光透過のポイントにおいて第１の期間にわたって保持する手段と、前記第１の液晶シャッタを閉めた後、前記第２の液晶シャッタを１ミリ秒未満内に開く手段と、前記第２の液晶シャッタを最大光透過のポイントにおいて第２の期間にわたって保持する手段であって、前記第１の期間は、観察者の第１の眼に対する画像の提示に対応し、前記第２の期間は、観察者の第２の眼に対する画像の提示に対応する、手段と、テスト信号を前記３次元ビューイング眼鏡に向かって送信する手段と、前記テスト信号を前記３次元眼鏡上のセンサによって受信する手段と、前記テスト信号の結果、制御回路を用いて前記第１の液晶シャッタおよび第２の液晶シャッタを開け閉めする手段であって、前記液晶シャッタは、前記眼鏡を着用している観察者が観察することができるレートで開け閉めされる、手段とを含む。例示的な実施形態では、前記送信する手段は、プロジェクタからタイミング信号を受信しない。例示的な実施形態では、前記送信する手段は、赤外線信号を発信する。例示的な実施形態では、前記赤外線信号は、パルスの系列を含む。例示的な実施形態では、前記送信する手段は、無線周波数信号を発信する。例示的な実施形態では、前記無線周波数信号は、パルスの系列を含む。
【０３３３】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、および前記第２の期間は、観察者の第２の眼に対する画像の提示に対応する、ステップと、赤外線テスト信号を前記３次元ビューイング眼鏡に向かって送信するステップと、前記赤外線テスト信号を前記３次元眼鏡上のセンサにより受信するステップと、前記受信された赤外線テスト信号の結果、制御回路を用いて前記第１の液晶シャッタおよび第２の液晶シャッタを開け閉めするステップであって、前記液晶シャッタは、前記眼鏡を着用している観察者が観察することができるレートで開け閉めされ、前記信号送信機は、プロジェクタからタイミング信号を受信せず、前記赤外線信号は、パルスの系列を含み、前記赤外線信号は１つ以上のデータビットを含み、前記１つ以上のデータビットはそれぞれ、少なくとも１つのクロックパルスによって先行され、前記赤外線信号は同期シリアルデータ信号を含む、ステップとを含む。
【０３３４】
３次元ビデオ画像を提供するシステムについて説明してきた。前記システムは、第１の液晶シャッタを有する第１のレンズおよび第２の液晶シャッタを有する第２のレンズを含む一対の眼鏡であって、前記液晶シャッタはそれぞれ、液晶および１ミリ秒未満のオープン時間を有する、一対の眼鏡と、前記第１の液晶シャッタおよび第２の液晶シャッタを交互に開く制御回路であって、前記液晶配向は、前記制御回路が前記シャッタを閉めるまで、最大光透過のポイントにおいて保持される、制御回路と、前記制御回路に操作可能に結合された信号受信器であって、前記制御回路は、前記信号受信器が有効な信号を受信していると判定した場合、第１の所定の時間区間において前記信号受信器を活性化させ、第２の所定の時間区間内に前記信号受信器が前記有効な信号を受信していない場合、前記信号受信器を不活性化させ、前記信号受信器が前記有効な信号を受信していない場合、前記有効な信号に対応する区間において前記第１のシャッタおよび第２のシャッタを交互に開け閉めするように、適合される。例示的な実施形態では、前記第１の期間は、少なくとも２秒を含む。例示的な実施形態では、前記第２の期間は、１００ミリ秒未満を含む。例示的な実施形態では、前記信号受信器が前記有効な信号を受信するまで、前記液晶シャッタはどちらともオープン状態またはクローズ状態のままである。
【０３３５】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、前記信号受信器が信号送信機から有効な信号を受信していると判定した場合、第１の所定の時間区間において信号受信器を活性化させるステップと、第２の所定の時間区間内に前記信号受信器が前記信号送信機から前記有効な信号を受信していない場合、前記信号受信器を不活性化させるステップと、前記信号受信器が前記信号送信機から前記有効な信号を受信していない場合、前記有効な信号に対応する区間において前記第１のシャッタおよび第２のシャッタを開け閉めするステップとを含む。例示的な実施形態では、前記第１の期間は、少なくとも２秒を含む。例示的な実施形態では、前記第２の期間は、１００ミリ秒未満を含む。例示的な実施形態では、前記信号受信器が前記信号送信機から前記有効な信号を受信するまで、前記液晶シャッタはどちらともオープン状態またはクローズ状態のままである。
【０３３６】
３次元ビデオ画像を提供するシステムについて説明してきた。前記システムは、第１の液晶シャッタを有する第１のレンズおよび第２の液晶シャッタを有する第２のレンズを含む一対の眼鏡であって、前記液晶シャッタは、液晶および１ミリ秒未満のオープン時間を有する、一対の眼鏡と、前記第１の液晶シャッタおよび第２の液晶シャッタを交互に開けることが可能な制御回路であって、前記液晶配向は、前記制御回路が前記シャッタを閉めるまで、最大光透過のポイントにおいて保持され、前記制御回路は、前記第１の液晶シャッタおよび前記第２の液晶シャッタをどちらともオープン状態で保持するように、適合される。例示的な実施形態では、前記制御回路は、前記制御回路が同期信号を検出するまで、前記第１の液晶シャッタおよび前記第２の液晶シャッタをオープン状態で保持する。例示的な実施形態では、前記第１の液晶シャッタおよび第２の液晶シャッタに印加される電圧は、正と負との間で交番する。
【０３３７】
３次元ビデオ画像を提供する方法について説明してきた。前記方法は、第１の液晶シャッタおよび第２の液晶シャッタを含む一対の３次元ビューイング眼鏡を設けるステップであって、前記第１の液晶シャッタは１ミリ秒未満内に開くことができ、前記第２の液晶シャッタは１ミリ秒未満内に開くことができる、ステップと、前記第１の液晶シャッタおよび第２の液晶シャッタがユーザから見て透明なレンズのように見えるレートで前記第１の液晶シャッタおよび第２の液晶シャッタを開け閉めするステップとを含む。例示的な実施形態では、前記方法は、有効な同期信号が検出されるまで、前記液晶シャッタが前記ユーザから見て透明なレンズのように見えるレートで前記第１の液晶シャッタおよび第２の液晶シャッタを開け閉めするステップをさらに含む。例示的な実施形態では、前記方法は、有効な同期信号が検出されるまで、正と負との間で交番する電圧を前記第１の液晶シャッタおよび第２の液晶シャッタに印加するステップをさらに含む。
【０３３８】
３次元ビデオ画像の提供ならびに第１の液晶シャッタおよび第２の液晶シャッタを含む一対の３次元ビューイング眼鏡における使用のための、機械読み取り可能な媒体にインストールされたコンピュータプログラムについて説明してきた。前記コンピュータプログラムは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、第１の所定の時間区間において信号受信器を活性化させるステップと、前記信号受信器が前記信号送信機から有効な信号を受信しているかを判定するステップと、前記信号受信器が第２の期間内に前記信号送信機から前記有効な信号を受信していない場合、前記信号受信器を不活性化させるステップと、前記信号受信器が前記信号送信機から前記有効な信号を受信していない場合、前記有効な信号に対応する区間において前記第１のおよび第２のシャッタを開け閉めするステップとを含む。例示的な実施形態では、前記第１の期間は、少なくとも２秒を含む。例示的な実施形態では、前記第２の期間は、１００ミリ秒未満を含む。例示的な実施形態では、前記信号受信器が前記信号送信機から前記有効な信号を受信するまで、前記第１の液晶シャッタおよび第２の液晶シャッタはオープン状態のままである。
【０３３９】
３次元ビデオ画像の提供ならびに第１の液晶シャッタおよび第２の液晶シャッタを含む一対の３次元ビューイング眼鏡における使用のための、機械読み取り可能な媒体にインストールされたコンピュータプログラムについて説明してきた。前記第１の液晶シャッタは１ミリ秒未満内に開くことができ、前記第２の液晶シャッタは１ミリ秒未満内に開くことができる。前記コンピュータプログラムは、前記液晶シャッタが透明なレンズに見えるようなレートで前記第１の液晶シャッタおよび第２の液晶シャッタを開け閉めするステップを含む。例示的な実施形態では、前記コンピュータプログラムは、有効な同期信号が検出されるまで、前記第１の液晶シャッタおよび第２の液晶シャッタをオープン状態で保持するステップをさらに含む。例示的な実施形態では、前記コンピュータプログラムは、有効な同期信号が検出されるまで、正と負との間で交番する電圧を前記第１の液晶シャッタおよび第２の液晶シャッタに印加するステップをさらに含む。
【０３４０】
３次元ビデオ画像を提供するシステムについて説明してきた。前記システムは、第１の液晶シャッタおよび第２の液晶シャッタを含む一対の３次元ビューイング眼鏡を提供する手段と、１ミリ秒未満内に前記第１の液晶シャッタを開く手段と、前記第１の液晶シャッタを最大光透過のポイントにおいて第１の期間にわたって保持する手段と、前記第１の液晶シャッタを閉めた後、前記第２の液晶シャッタを１ミリ秒未満内に開く手段と、前記第２の液晶シャッタを最大光透過のポイントにおいて第２の期間にわたって保持する手段であって、前記第１の期間は、観察者の第１の眼に対する画像の提示に対応し、および前記第２の期間は、観察者の第２の眼に対する画像の提示に対応する、手段と、第１の所定の時間区間において信号受信器を活性化させる手段と、前記信号受信器が前記信号送信機から有効な信号を受信しているかを判定する手段と、前記信号受信器が第２の期間内に前記信号送信機から前記有効な信号を受信していない場合、前記信号受信器を不活性化させる手段と、前記信号受信器が前記信号送信機から前記有効な信号を受信していない場合、前記有効な信号に対応する区間において前記第１のおよび第２のシャッタを開け閉めする手段とを含む。例示的な実施形態では、前記第１の期間は、少なくとも２秒を含む。例示的な実施形態では、前記第２の期間は、１００ミリ秒未満を含む。例示的な実施形態では、前記信号受信器が前記信号送信機から有効な信号を受信するまで、前記第１の液晶シャッタおよび第２の液晶シャッタはオープン状態のままである。
【０３４１】
３次元ビデオ画像を提供するシステムについて説明してきた。前記システムは、第１の液晶シャッタを有する第１のレンズと、第２の液晶シャッタを有する第２のレンズとを含む一対の眼鏡であって、前記液晶シャッタは、液晶および１ミリ秒未満のオープン時間を有する、一対の眼鏡と、前記第１の液晶シャッタおよび第２の液晶シャッタを交互に開く制御回路であって、前記液晶配向は、前記制御回路が前記シャッタを閉めるまで、最大光透過のポイントにおいて保持され、前記眼鏡が所定期間にわたってパワーオンされた後、前記制御回路は、前記第１の液晶シャッタおよび第２の液晶シャッタを開け閉めする。例示的な実施形態では、前記眼鏡が所定期間にわたってパワーオンされた後、前記制御回路は、前記第１の液晶シャッタおよび第２の液晶シャッタを代替的に開け閉めする。例示的な実施形態では、その後、前記制御回路は、前記所定期間後、前記制御回路によって受信された同期信号の関数として前記第１の液晶シャッタおよび第２の液晶シャッタを開け閉めする。例示的な実施形態では、前記同期信号は、所定の区間においてパルスの系列を含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記パルスの系列の一部が暗号化される。例示的な実施形態では、前記パルスの系列は、暗号化されていない所定数のパルスと、前記パルスに追随する暗号化データとを含む。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３４２】
３次元ビデオ画像を提供する方法について説明してきた。前記方法は、第１の液晶シャッタおよび第２の液晶シャッタを含む一対の３次元ビューイング眼鏡を設けるステップと、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、前記眼鏡をパワーオンするステップと、前記眼鏡をパワーオンするステップ後、前記第１の液晶シャッタおよび第２の液晶シャッタを所定期間にわたって開け閉めするステップ。例示的な実施形態では、前記方法は、同期信号を提供するステップであって、前記同期信号の一部は暗号化される、ステップと、前記同期信号を感知するステップであって、前記所定期間後に暗号化された信号が受信された後にのみ、前記第１の液晶シャッタおよび第２の液晶シャッタは、前記感知された同期信号に対応するパターンにおいて開け閉めされる、ステップとをさらに含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記パルスの系列の一部が暗号化される。例示的な実施形態では、前記パルスの系列は、暗号化されていない所定数のパルスと、前記暗号化されていない所定数のパルスに追随する所定数の暗号化されたパルスとを含む。例示的な実施形態では、前記第１の液晶シャッタおよび第２の液晶シャッタは、２つの連続する暗号化された信号が受信された後にのみ、前記同期信号に対応するパターンにおいて開け閉めされる。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３４３】
第１の液晶シャッタおよび第２の液晶シャッタを含む一対の３次元ビューイング眼鏡を用いて３次元ビデオ画像を提供するための、機械読み取り可能な媒体にインストールされたコンピュータプログラムについて説明してきた。前記コンピュータプログラムは、１ミリ秒未満内に前記第１の液晶シャッタを開くステップと、前記第１の液晶シャッタを最大光透過のポイントにおいて第１の期間にわたって保持するステップと、前記第１の液晶シャッタを閉めた後、前記第２の液晶シャッタを１ミリ秒未満内に開くステップと、前記第２の液晶シャッタを最大光透過のポイントにおいて第２の期間にわたって保持するステップであって、前記第１の期間は、観察者の第１の眼に対する画像の提示に対応し、前記第２の期間は、観察者の第２の眼に対する画像の提示に対応する、ステップと、前記眼鏡をパワーオンするステップと、前記眼鏡をパワーオンするステップ後、前記第１の液晶シャッタおよび第２の液晶シャッタを所定期間にわたって開け閉めするステップとを含む。例示的な実施形態では、前記コンピュータプログラムは、同期信号を提供するステップであって、前記同期信号の一部は暗号化される、ステップと、前記同期信号を感知するステップであって、暗号化された信号が前記所定期間後に受信された場合にのみ、前記同期信号ステップに対応するパターンにおいて前記第１の液晶シャッタおよび第２の液晶シャッタが開け閉めされる、ステップとをさらに含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記パルスの系列の一部が暗号化される。例示的な実施形態では、前記パルスの系列は、暗号化されていない所定数のパルスと、前記暗号化されていない所定数のパルスに追随する所定数の暗号化されたパルスとを含む。例示的な実施形態では、前記第１の液晶シャッタおよび第２の液晶シャッタは、２つの連続する暗号化された信号が受信された後にのみ、前記同期信号に対応するパターンにおいて開け閉めされる。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３４４】
３次元ビデオ画像を提供するシステムについて説明してきた。前記システムは、第１の液晶シャッタおよび第２の液晶シャッタを含む一対の３次元ビューイング眼鏡を提供する手段であって、前記第１の液晶シャッタは１ミリ秒未満内に開くことができ、前記第２の液晶シャッタは１ミリ秒未満内に開くことができる、手段と、前記眼鏡が所定の期間にわたってパワーオンされた後、前記第１の液晶シャッタおよび第２の液晶シャッタを開け閉めする手段とを含む。例示的な実施形態では、前記システムは、前記所定の期間後に同期信号が受信された場合、前記第１の液晶シャッタおよび第２の液晶シャッタを開け閉めする手段をさらに含む。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３４５】
３次元ビデオ画像を提供するシステムについて説明してきた。前記システムは、第１の液晶シャッタおよび第２の液晶シャッタを含む一対の３次元ビューイング眼鏡を提供する手段と、１ミリ秒未満内に前記第１の液晶シャッタを開く手段と、前記第１の液晶シャッタを最大光透過のポイントにおいて第１の期間にわたって保持する手段と、前記第１の液晶シャッタを閉めた後、前記第２の液晶シャッタを１ミリ秒未満内に開く手段と、前記第２の液晶シャッタを最大光透過のポイントにおいて第２の期間にわたって保持する手段であって、前記第１の期間は、観察者の第１の眼に対する画像の提示に対応し、前記第２の期間は、観察者の第２の眼に対する画像の提示に対応する、手段と、前記眼鏡が所定の期間にわたってパワーオンされた後、前記第１の液晶シャッタおよび第２の液晶シャッタを開け閉めする手段とを含む。例示的な実施形態では、前記システムは、同期信号を送信する手段であって、前記同期信号の一部は暗号化される、手段と、前記同期信号を感知する手段と、暗号化された信号が前記所定期間後に受信された場合にのみ、前記同期信号に対応するパターンにおいて前記第１の液晶シャッタおよび第２の液晶シャッタを開け閉めする手段とをさらに含む。例示的な実施形態では、前記同期信号は、所定の区間においてパルスの系列を含む。第１の所定の個数のパルスに起因して前記第１の液晶シャッタが開き、第２の所定の個数のパルスに起因して前記第２の液晶シャッタが開く。例示的な実施形態では、前記パルスの系列の一部が暗号化される。例示的な実施形態では、前記パルスの系列は、暗号化されていない所定数のパルスと、前記暗号化されていない所定数のパルスに追随する所定数の暗号化されたパルスとを含む。例示的な実施形態では、前記第１の液晶シャッタおよび第２の液晶シャッタは、２つの連続する暗号化された信号が受信された後にのみ、前記同期信号に対応するパターンにおいて開け閉めされる。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３４６】
右ビューイングシャッタおよび左ビューイングシャッタを有する３Ｄ眼鏡のためのフレームについて説明してきた。前記フレームは、前記右ビューイングシャッタおよび左ビューイングシャッタを受容する右レンズ開口部および左レンズ開口部を画定するフレームフロントと、前記３Ｄ眼鏡のユーザの頭部への装着のための右テンプルおよび左テンプルであって、前記フレームフロントに連結されかつ前記フレームフロントから延び、前記右テンプルおよび左テンプルはそれぞれ蛇行形状を含む、右テンプルおよび左テンプルとを含む。例示的な実施形態では、前記右テンプルおよび左テンプルはそれぞれ、１つ以上のリッジを含む。例示的な実施形態では、前記フレームは、前記左ビューイングシャッタの作動を制御する、前記フレーム内に取り付けられた左シャッタコントローラと、前記右ビューイングシャッタの作動を制御する、前記フレーム内に取り付けられた右シャッタコントローラと、前記左シャッタコントローラおよび右シャッタコントローラの作動を制御する、前記フレーム内に取り付けられた中央コントローラと、外部ソースからの信号を感知するための、前記中央コントローラに操作可能に結合された信号センサと、前記フレーム内において前記左シャッタコントローラおよび右シャッタコントローラ、前記中央コントローラ、ならびに前記信号センサに操作可能に結合された、前記左シャッタコントローラおよび右シャッタコントローラ、前記中央コントローラ、ならびに前記信号センサへの電力供給のためのバッテリとをさらに含む。例示的な実施形態では、前記ビューイングシャッタはそれぞれ、１ミリ秒未満のオープン時間を有する液晶を含む。例示的な実施形態では、前記フレームは、前記バッテリおよび前記中央コントローラに操作可能に結合されたバッテリセンサであって、前記バッテリの作動状態を監視し、前記バッテリの前記作動状態を表す信号を前記中央コントローラに提供するバッテリセンサをさらに含む。例示的な実施形態では、前記フレームは、前記バッテリおよび前記中央コントローラに操作可能に結合されたチャージポンプであって、前記左シャッタコントローラおよび右シャッタコントローラに増加した電圧供給源を提供するチャージポンプをさらに含む。例示的な実施形態では、前記フレームは、前記中央コントローラに操作可能に結合された共通シャッタコントローラであって、前記左シャッタコントローラおよび右シャッタコントローラの作動を制御する共通シャッタコントローラ、をさらに含む。例示的な実施形態では、前記信号センサは、狭帯域通過フィルターおよび復号器を含む。
【０３４７】
右ビューイングシャッタおよび左ビューイングシャッタを有する３Ｄ眼鏡について説明してきた。前記３Ｄ眼鏡は、前記右ビューイングシャッタおよび左ビューイングシャッタを受容する左右のレンズ開口部を画定するフレームと、前記右ビューイングシャッタおよび左ビューイングシャッタの作動を制御する中央コントローラと、前記中央コントローラを収容するように前記フレームに連結されたハウジングであって、少なくとも前記コントローラの一部へのアクセスのための開口部を画定する、ハウジングと、前記ハウジング内で受容されかつ前記ハウジング内の前記開口部と密封係合するカバーとを含む。例示的な実施形態では、前記カバーは、前記ハウジング内の前記開口部との密封係合のためのＯリングシールを含む。例示的な実施形態では、前記カバーは、前記ハウジング内の前記開口部中に形成された相補型（ｃｏｍｐｌｉｍｅｎｔａｒｙ）凹部との係合のための１つ以上のキーイング部材を含む。例示的な実施形態では、前記３Ｄ眼鏡は、前記中央コントローラに操作可能に結合された左シャッタコントローラであって、前記左ビューイングシャッタの作動を制御するように前記ハウジング内に取り付けられた左シャッタコントローラと、前記中央コントローラに操作可能に結合された右シャッタコントローラであって、前記右ビューイングシャッタの作動を制御するように前記ハウジング内に取り付けられた右シャッタコントローラと、外部ソースからの信号を感知するための、前記中央コントローラに操作可能に結合された信号センサと、前記フレーム内において前記左シャッタコントローラおよび右シャッタコントローラ、前記中央コントローラ、ならびに前記信号センサに操作可能に結合された、前記左シャッタコントローラおよび右シャッタコントローラ、前記中央コントローラ、ならびに前記信号センサへの電力供給のためのバッテリとをさらに含む。例示的な実施形態では、前記ビューイングシャッタはそれぞれ、１ミリ秒未満のオープン時間を有する液晶を含む。例示的な実施形態では、前記３Ｄ眼鏡は、前記バッテリおよび前記中央コントローラに操作可能に結合されたバッテリセンサであって、前記バッテリの作動状態を監視し、前記バッテリの前記作動状態を表す信号を前記中央コントローラに提供するバッテリセンサをさらに含む。例示的な実施形態では、前記３Ｄ眼鏡は、前記バッテリおよび前記中央コントローラに操作可能に結合されたチャージポンプであって、前記左シャッタコントローラおよび右シャッタコントローラに増加した電圧供給源を提供するチャージポンプをさらに含む。例示的な実施形態では、前記３Ｄ眼鏡は、前記中央コントローラに操作可能に結合された共通シャッタコントローラであって、前記左シャッタコントローラおよび右シャッタコントローラの作動を制御する共通シャッタコントローラをさらに含む。例示的な実施形態では、前記信号センサは、狭帯域通過フィルターおよび復号器を含む。
【０３４８】
右ビューイング要素および左ビューイング要素を有する３Ｄ眼鏡のためのコントローラを収容する方法について説明してきた。前記方法は、ユーザによる装着の際に前記右ビューイング要素および左ビューイング要素を支持するフレームを提供するステップと、前記３Ｄ眼鏡のためのコントローラを収容するために、前記フレーム内にハウジングを設けるステップと、前記ハウジングとの密封係合のための密封要素を有する取り外し可能なカバーを用いて前記ハウジングを前記フレーム内に密封するステップとを含む。例示的な実施形態では、前記カバーは、１つ以上のディンプルを含む。例示的な実施形態では、前記ハウジングを密封するステップは、キーを操作して、前記ハウジングの前記カバー内の前記ディンプルと係合させるステップを含む。例示的な実施形態では、前記ハウジングは、前記３Ｄ眼鏡へのために前記コントローラに電力供給する取り外し可能なバッテリをさらに収容する。
【０３４９】
３Ｄ眼鏡のユーザに３次元ビデオ画像を提供するシステムについて説明してきた。前記システムは、電源と、前記電源に操作可能に結合された第１の液晶シャッタおよび第２の液晶シャッタと、前記電源および前記液晶シャッタに操作可能に結合された制御回路であって、第１の期間にわたって前記第１の液晶シャッタを開き、第２の期間にわたって前記第１の液晶シャッタを閉め、前記第２の期間にわたって前記第２の液晶シャッタを開き、前記第１の期間にわたって前記第２の液晶シャッタを閉め、かつ、前記第１の期間および第２の期間のうち少なくとも１つの部分にわたって前記第１液晶シャッタと前記第２の液晶シャッタとの間で電荷を移動させるように適合され、前記第１の期間は、前記ユーザの第１の眼に対する画像の提示に対応し、前記第２の期間は、前記ユーザの第２の眼に対する画像の提示に対応する、制御回路とを含む。例示的な実施形態では、前記制御回路は、同期信号を用いて前記第１の期間および第２の期間を判定するように、適合される。例示的な実施形態では、前記システムは、同期信号を提供するエミッタをさらに含み、前記同期信号は、前記制御回路に前記液晶シャッタのうち１つを開かせる。例示的な実施形態では、前記同期信号は、暗号化された信号を含む。例示的な実施形態では、前記制御回路は、前記暗号化された信号の承認後にのみ作動する。例示的な実施形態では、前記制御回路は、同期信号を検出し、前記同期信号の検出後に前記液晶シャッタを作動させるように、適合される。例示的な実施形態では、前記暗号化された信号は、前記暗号化された信号を受信するように適合された制御回路を有する一対の液晶眼鏡のみを作動させる。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３５０】
３次元ビデオ画像を提供するシステムについて説明してきた。前記システムは、第１の液晶シャッタを有する第１のレンズおよび第２の液晶シャッタを有する第２のレンズを含む一対の眼鏡であって、前記液晶シャッタはそれぞれ液晶を有する、一対の眼鏡と、前記第１の液晶シャッタおよび第２の液晶シャッタを交互に開く制御回路であって、前記液晶シャッタ間において電荷を移動させる制御回路とを含む。例示的な実施形態では、前記システムは、同期信号を提供するエミッタをさらに含み、前記同期信号は、前記制御回路に前記液晶シャッタのうち１つを開かせる。例示的な実施形態では、前記同期信号は、暗号化された信号を含む。例示的な実施形態では、前記制御回路は、前記暗号化された信号の承認後にのみ作動する。例示的な実施形態では、前記制御回路は、同期信号を検出し、前記同期信号の検出後に前記液晶シャッタを作動させるように、適合される。例示的な実施形態では、前記暗号化された信号は、前記暗号化された信号を受信するように適合された制御回路を有する一対の液晶眼鏡のみを作動させる。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３５１】
第１の液晶シャッタおよび第２の液晶シャッタを用いて３次元ビデオ画像を提供する方法について説明してきた。前記方法は、前記第１の液晶シャッタを閉め前記第２の液晶シャッタを開けた後、前記第２の液晶シャッタを閉め前記第１の液晶シャッタを開けるステップと、前記第１液晶シャッタと前記第２の液晶シャッタとの間で電荷を移動させるステップとを含む。例示的な実施形態では、前記方法は、同期信号を提供するステップと、前記同期信号に応答して、前記液晶シャッタのうち１つを開くステップとをさらに含む。例示的な実施形態では、前記同期信号は、暗号化された信号を含む。例示的な実施形態では、前記方法は、前記暗号化された信号の承認後にのみ作動させるステップをさらに含む。例示的な実施形態では、前記方法は、同期信号検出するステップと、前記同期信号の検出後、前記液晶シャッタの作動を開始させるステップとをさらに含む。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３５２】
３Ｄ眼鏡のユーザに３次元ビデオ画像を提供するための、第１の液晶シャッタおよび第２の液晶シャッタを有する前記３Ｄ眼鏡用のハウジング内の機械読み取り可能な媒体にインストールされたコンピュータプログラムについて説明してきた。前記コンピュータプログラムは、前記第１の液晶シャッタを閉め前記第２の液晶シャッタを開けた後、前記第２の液晶シャッタを閉め前記第１の液晶シャッタを開けるステップと、前記第１液晶シャッタと前記第２の液晶シャッタとの間で電荷を移動させるステップとを含む。例示的な実施形態では、前記コンピュータプログラムは、同期信号を提供するステップ、および前記同期信号に応答して、前記液晶シャッタのうち１つを開くステップをさらに含む。例示的な実施形態では、前記同期信号は、暗号化された信号を含む。例示的な実施形態では、前記コンピュータプログラムは、前記暗号化された信号を承認するステップをさらに含む。例示的な実施形態では、前記コンピュータプログラムはを、同期信号検出するステップと、前記同期信号の検出後、前記液晶シャッタを作動するステップとをさらに含む。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。
【０３５３】
第１の液晶シャッタおよび第２の液晶シャッタを用いて３次元ビデオ画像を提供するシステムについて説明してきた。前記システムは、前記第１の液晶シャッタを閉め前記第２の液晶シャッタを開ける手段と、その後前記第２の液晶シャッタを閉め前記第１の液晶シャッタを開ける手段と、前記第１液晶シャッタと前記第２の液晶シャッタとの間で電荷を移動させる手段とを含む。例示的な実施形態では、前記システムは、同期信号を提供する手段と、前記同期信号により前記液晶シャッタのうち１つを開ける手段とをさらに含む。例示的な実施形態では、前記同期信号は、暗号化された信号を含む。例示的な実施形態では、前記システムは、前記暗号化された信号の承認後にのみ作動させる手段をさらに含む。例示的な実施形態では、前記同期信号は１つ以上のデータビットを含み、前記１つ以上のデータビットはそれぞれ、１つ以上のクロックパルスによって先行される。例示的な実施形態では、前記同期信号は、同期シリアルデータ信号を含む。例示的な実施形態では、前記システムは、同期信号を検出する手段と、前記同期信号の検出後に前記液晶シャッタを作動させる手段とをさらに含む。
【０３５４】
左右の液晶シャッタを含む３Ｄ眼鏡に電力を供給するシステムについて説明してきた。前記システムは、前記左右の液晶シャッタに操作可能に結合されたコントローラと、前記コントローラに操作可能に結合されたバッテリと、前記コントローラに操作可能に結合されたチャージポンプであって、前記コントローラは、前記左液晶シャッタまたは右液晶シャッタのいずれかの作動状態を変更する際、前記左右の液晶シャッタ間で電荷を移動させるように適合され、前記チャージポンプは、前記コントローラが前記左液晶シャッタまたは右液晶シャッタのいずれかの作動状態を変更する際、電位を蓄積するように適合される。例示的な実施形態では、前記チャージポンプは、前記電位のレベルが所定のレベルに等しい場合、電位の蓄積を停止するように適合される。
【０３５５】
左右の液晶シャッタを含む３Ｄ眼鏡に電力を提供する方法について説明してきた。前記方法は、前記左液晶シャッタまたは右液晶シャッタのいずれかの作動状態を変更する際、前記左右の液晶シャッタ間で電荷を移動させるステップと、前記左液晶シャッタまたは右液晶シャッタのいずれかの前記作動状態を変更する際、電位を蓄積させるステップとを含む。例示的な実施形態では、前記方法は、前記電位のレベルが所定のレベルに等しい場合、前記電位の蓄積を停止するステップをさらに含む。
【０３５６】
左右の液晶シャッタを含む３Ｄ眼鏡に電力を提供するための、機械読み取り可能な媒体内に保存されたコンピュータプログラムについて説明してきた。前記コンピュータプログラムは、前記左液晶シャッタまたは右液晶シャッタのいずれかの作動状態を変更する際、前記左右の液晶シャッタ間で電荷を移動させるステップと、前記左液晶シャッタまたは右液晶シャッタのいずれかの前記作動状態を変更する際、電位を蓄積させるステップとを含む。例示的な実施形態では、前記コンピュータプログラムは、前記電位のレベルが所定のレベルに等しい場合、前記電位の蓄積を停止するステップをさらに含む。
【０３５７】
左右の液晶シャッタを含む３Ｄ眼鏡に電力を供給するシステムについて説明してきた。前記システムは、前記左液晶シャッタまたは右液晶シャッタのいずれかの作動状態を変更する際、前記左右の液晶シャッタ間で電荷を移動させる手段と、前記左液晶シャッタまたは右液晶シャッタのいずれかの前記作動状態を変更する際、電位を蓄積させる手段とを含む。例示的な実施形態では、前記システムは、前記電位のレベルが所定のレベルに等しい場合、前記電位の蓄積を停止する手段をさらに含む。
【０３５８】
信号送信機から信号を受信し、復号化された信号を前記３Ｄ眼鏡を作動させるためにコントローラに送信する、３Ｄ眼鏡において用いられる信号センサについて説明してきた。前記信号センサは、前記信号送信機から受信された前記信号をフィルタリングするバンドパスフィルタと、前記バンドパスフィルタに操作可能に結合された復号器であって、前記フィルタリングされた信号を復号化し、前記復号化された信号を前記３Ｄ眼鏡の前記コントローラに提供する復号器とを含む。例示的な実施形態では、前記信号送信機から受信された前記信号は、１つ以上のデータビットと、前記データビットの対応する１つに先行する１つ以上のクロックパルスとを含む。例示的な実施形態では、前記信号送信機から受信された前記信号は、直列データ伝送を含む。例示的な実施形態では、前記信号送信機から受信された前記信号は、前記３Ｄ眼鏡の作動を制御するための同期信号を含む。
【０３５９】
３−Ｄについて説明してきた。前記３−Ｄは、信号送信機から受信された信号をフィルタリングするバンドパスフィルタと、前記バンドパスフィルタに操作可能に結合された復号器であって、前記フィルタリングされた信号を復号化する復号器と、前記復号器に操作可能に結合されたコントローラであって、前記復号化された信号を受信するコントローラと、前記コントローラに操作可能に結合された左右の光学シャッタであって、前記復号化された信号の関数として前記コントローラによって制御される、左右の光学シャッタとを含む。例示的な実施形態では、前記信号送信機から受信された前記信号は、１つ以上のデータビットと、前記データビットのうち対応する１つを先行する１つ以上のクロックパルスとを含む。例示的な実施形態では、前記信号送信機から受信された前記信号は、同期直列データ伝送を含む。
【０３６０】
３Ｄ眼鏡にデータ信号を送信する方法について説明してきた。前記方法は、前記３Ｄ眼鏡に同期シリアルデータ信号を送信するステップを含む。例示的な実施形態では、前記データ信号は１つ以上のデータビットを含み、前記１つ以上のデータビットはそれぞれ、対応するクロックパルスによって先行される。例示的な実施形態では、前記方法は、前記データ信号をフィルタリングして、帯域ノイズを除去するステップをさらに含む。例示的な実施形態では、前記同期シリアルデータ信号は、前記３Ｄ眼鏡の作動を制御するための同期信号を含む。
【０３６１】
左右の光学シャッタを有する３Ｄ眼鏡を作動させる方法について説明してきた。前記方法は、前記３Ｄ眼鏡に同期シリアルデータ信号を送信するステップと、前記データ信号内に符号化されたデータの関数として前記左右の光学シャッタの作動を制御するステップとを含む。例示的な実施形態では、前記データ信号は１つ以上のデータビットを含み、前記１つ以上のデータビットはそれぞれ、対応するクロックパルスによって先行される。例示的な実施形態では、前記方法は、前記データ信号をフィルタリングして、帯域ノイズを除去するステップをさらに含む。
【０３６２】
３Ｄ眼鏡にデータ信号を送信するためのコンピュータプログラムについて説明してきた。前記コンピュータプログラムは、前記３Ｄ眼鏡に同期シリアルデータ信号を送信するステップを含む。例示的な実施形態では、前記データ信号は１つ以上のデータビットを含み、前記１つ以上のデータビットはそれぞれ、対応するクロックパルスによって先行される。例示的な実施形態では、前記コンピュータプログラムは、前記データ信号をフィルタリングして、帯域ノイズを除去するステップをさらに含む。例示的な実施形態では、前記同期シリアルデータ信号は、前記３Ｄ眼鏡の作動を制御するための同期信号を含む。
【０３６３】
左右の光学シャッタを有する３Ｄ眼鏡を作動させるためのコンピュータプログラムについて説明してきた。前記コンピュータプログラムは、前記３Ｄ眼鏡に同期シリアルデータ信号を送信するステップと、前記データ信号内に符号化されたデータの関数として前記左右の光学シャッタの作動を制御するステップとを含む。例示的な実施形態では、前記データ信号は１つ以上のデータビットを含み、前記１つ以上のデータビットはそれぞれ、対応するクロックパルスによって先行される。例示的な実施形態では、前記コンピュータプログラムは、前記データ信号をフィルタリングして、帯域ノイズを除去するステップをさらに含む。
【０３６４】
一対の３次元ビューイング眼鏡内の１つ以上の光学シャッタを作動させるための同期信号であって、前記同期信号は機械読み取り可能な媒体内に保存される、同期信号について説明してきた。前記同期信号は、前記一対の３次元ビューイング眼鏡内の前記光学シャッタのうち前記１つ以上の作動を制御するための１つ以上のデータビットと、前記データビットそれぞれを先行する１つ以上のクロックパルスとを含む。例示的な実施形態では、前記信号は、送信機に操作可能に結合された機械読み取り可能な媒体内に保存される。例示的な実施形態では、前記送信機は、赤外線送信機を含む。例示的な実施形態では、前記送信機は、可視光送信機を含む。例示的な実施形態では、前記送信機は、無線周波数送信機を含む。例示的な実施形態では、前記信号は、受信器に媒体操作可能に結合された機械読み取り可能な媒体内に保存される。例示的な実施形態では、前記送信機は、赤外線送信機を含む。例示的な実施形態では、前記送信機は、可視光送信機を含む。例示的な実施形態では、前記送信機は、無線周波数送信機を含む。
【０３６５】
左右のシャッタを有する３Ｄ眼鏡の作動と、表示装置とを同期させる方法について説明してきた。前記方法は、先ず前記３Ｄ眼鏡の動作と、前記表示装置の動作とを同期させるステップと、前記３Ｄ眼鏡の動作と前記表示装置の動作とを定期的に再同期させるステップとを含む。例示的な実施形態では、先ず前記３Ｄ眼鏡の動作と、前記表示装置の動作とを同期させるステップは、１つ以上の同期パルスを含む信号を前記表示装置から前記３Ｄ眼鏡に送信するステップを含む。例示的な実施形態では、先ず前記３Ｄ眼鏡の動作と、前記表示装置の動作とを同期させるステップは、前記表示装置の種類を示す情報を含む信号を前記表示装置から前記３Ｄ眼鏡に送信するステップを含む。例示的な実施形態では、先ず前記３Ｄ眼鏡の動作と、前記表示装置の動作とを同期させるステップは、前記左右のシャッタを開け閉めするシーケンスを示す情報を含む信号を前記表示装置から前記３Ｄ眼鏡に送信するステップを含む。例示的な実施形態では、先ず前記３Ｄ眼鏡の動作と、前記表示装置の動作とを同期させるステップは、前記表示装置上に表示された前記画像の動作周波数を示す情報を含む信号を前記表示装置から前記３Ｄ眼鏡に送信するステップを含む。例示的な実施形態では、先ず前記３Ｄ眼鏡の動作と、前記表示装置の動作とを同期させるステップは、１つ以上の同期パルスを含む信号を前記表示装置から前記３Ｄ眼鏡に送信するステップと、前記表示装置の種類を示す情報を含む信号を前記表示装置から前記３Ｄ眼鏡に送信するステップと、前記左右のシャッタを開け閉めするシーケンスを示す情報を含む信号を前記表示装置から前記３Ｄ眼鏡に送信するステップと、前記表示装置上に表示された前記画像の動作周波数を示す情報を含む信号を前記表示装置から前記３Ｄ眼鏡に送信するステップとを含む。例示的な実施形態では、前記３Ｄ眼鏡の動作と前記表示装置の動作とを定期的に再同期させるステップは、１つ以上の同期パルスを含む信号を前記表示装置から前記３Ｄ眼鏡に送信するステップを含む。例示的な実施形態では、前記３Ｄ眼鏡の動作と前記表示装置の動作とを定期的に再同期させるステップは、前記信号の送信時期を示す情報を含む信号を前記表示装置から前記３Ｄ眼鏡に送信するステップを含む。例示的な実施形態では、前記３Ｄ眼鏡の動作と前記表示装置の動作とを定期的に再同期させるステップは、前記信号の送信時期遅延を示す情報を含む信号を前記表示装置から前記３Ｄ眼鏡に送信するステップを含む。例示的な実施形態では、前記３Ｄ眼鏡の動作と前記表示装置の動作とを定期的に再同期させるステップは、１つ以上の同期パルスを含む信号を前記表示装置から前記３Ｄ眼鏡に送信するステップと、前記信号の送信時期を示す情報を含む信号を前記表示装置から前記３Ｄ眼鏡に送信するステップと、前記信号の送信時期遅延を示す情報を含む信号を前記表示装置から前記３Ｄ眼鏡に送信するステップとを含む。例示的な実施形態では、前記方法は、前記信号の送信の時間遅延を用いて、前記３Ｄ眼鏡の作動と前記表示装置の作動とを再同期させる３Ｄ眼鏡をさらに含む。
【０３６６】
変形が発明の範囲から逸脱することなくこれまでに記載された事項においてなされることが理解できよう、特定の実施形態が図示され、説明されているが、当業者であれば本発明の要旨または教示内容から逸脱することなく変更を行うことができよう。本明細書に説明された実施形態は、単に例示にすぎず、限定的ではない。多くの変形および変更が可能であり、発明の範囲に含まれる。更に、例示的な実施形態のうちの１つ以上の要素は、１つ以上の他の例示的な実施形態のうちの１つ以上の要素と全体的または部分的に組み合わされるか、または、置き換えられてもよい。従って、保護範囲はこれまで説明された実施形態に限定されることなく、特許請求の範囲の要旨のすべての均等物を含む範囲におよぶ特許請求の範囲のみによって限定される。
【図１】
2011217375.tif 000011
【図２】
2011217375.tif 000012
【図３】
2011217375.tif 000013
【図４】
2011217375.tif 000014
【図５】
2011217375.tif 000015
【図６】
2011217375.tif 000016
【図７】
2011217375.tif 000017
【図８】
2011217375.tif 000018
【図９】
2011217375.tif 000019
【図１０】
2011217375.tif 000020
【図１１】
2011217375.tif 000021
【図１２】
2011217375.tif 000022
【図１３】
2011217375.tif 000023
【図１４】
2011217375.tif 000024
【図１５】
2011217375.tif 000025
【図１６】
2011217375.tif 000026
【図１７】
2011217375.tif 000027
【図１８】
2011217375.tif 000028
【図１８ａ】
2011217375.tif 000029
【図１８ｂ】
2011217375.tif 000030
【図１８ｃ】
2011217375.tif 000031
【図１８ｄ】
2011217375.tif 000032
【図１９】
2011217375.tif 000033
【図２０】
2011217375.tif 000034
【図２１】
2011217375.tif 000035
【図２２】
2011217375.tif 000036
【図２３】
2011217375.tif 000037
【図２４】
2011217375.tif 000038
【図２５】
2011217375.tif 000039
【図２６】
2011217375.tif 000040
【図２７】
2011217375.tif 000041
【図２８】
2011217375.tif 000042
【図２９】
2011217375.tif 000043
【図３０】
2011217375.tif 000044
【図３０ａ】
2011217375.tif 000045
【図３０ｂ】
2011217375.tif 000046
【図３０ｃ】
2011217375.tif 000047
【図３１】
2011217375.tif 000048
【図３２】
2011217375.tif 000049
【図３３】
2011217375.tif 000050
【図３４】
2011217375.tif 000051
【図３５】
2011217375.tif 000052
【図３６】
2011217375.tif 000053
【図３７】
2011217375.tif 000054
【図３８】
2011217375.tif 000055
【図３９】
2011217375.tif 000056
【図４０】
2011217375.tif 000057
【図４１】
2011217375.tif 000058
【図４２】
2011217375.tif 000059
【図４３】
2011217375.tif 000060
【図４４】
2011217375.tif 000061
【図４５】
2011217375.tif 000062
【図４６】
2011217375.tif 000063
【図４７】
2011217375.tif 000064
【図４８】
2011217375.tif 000065
【図４９】
2011217375.tif 000066
【図５０】
2011217375.tif 000067
【図５１】
2011217375.tif 000068
【図５２】
2011217375.tif 000069
【図５３】
2011217375.tif 000070
【図５４】
2011217375.tif 000071
【図５５】
2011217375.tif 000072
【図５６】
2011217375.tif 000073
【図５７】
2011217375.tif 000074
【図５８】
2011217375.tif 000075
【図５９】
2011217375.tif 000076
【図６０ａ】
2011217375.tif 000077
【図６０ｂ】
2011217375.tif 000078
【図６１】
2011217375.tif 000079
【外国語明細書】
2011217375000001.pdf